(57)【要約】  本開示は全体的に、再使用可能な外側カバー、及び使い捨て吸収性インサートを含む、パンツを対象としている。
2016513994.tif 000002
【特許請求の範囲】
【請求項１】
パンツの一部を形成するか、パンツの一部へと形成されるように構成され、かつ長手方向軸及び横方向軸を有する、再使用可能な外側カバーであって、
前記横方向軸の第１の側に位置付けられた前方腰部区域と、
前記横方向軸の第２の側に位置付けられた後方腰部区域と、
前記長手方向軸の第１の側に位置付けられた第１締結ゾーンであって、前記第１締結ゾーンが、前記横方向軸の前記第１の側に位置付けられた第１部分と、前記横方向軸の前記第２の側に位置付けられた第２部分とを含む、第１締結ゾーンと、
前記長手方向軸の第２の側に位置付けられた第２締結ゾーンであって、前記第２締結ゾーンが、前記横方向軸の前記第１の側に位置付けられた第１部分と、前記横方向軸の前記第２の側に位置付けられた第２部分とを含む、第２締結ゾーンと、
前記前方腰部区域内に形成され、かつ第１横方向長さを有する前方伸張可能区域と、
前記後方腰部区域内に形成され、かつ第２横方向長さを有する後方伸張可能区域とを含み、
前記再使用可能な外側カバーは、使い捨て吸収性インサートを少なくとも部分的に受容して前記パンツを形成するように構成される、再使用可能な外側カバー。
【請求項２】
前記前方伸張可能区域の前記第１横方向長さは、前記後方伸張可能区域の前記第２横方向長さよりも大きい、請求項１に記載の再使用可能な外側カバー。
【請求項３】
前記前方伸張可能区域の前記第１横方向長さは、前記後方伸張可能区域の前記第２横方向長さよりも小さい、請求項１に記載の再使用可能な外側カバー。
【請求項４】
前記前方腰部区域は、前記使い捨て吸収性インサートのための前方取り付けゾーンを含み、前記前方伸張可能区域は、
前記第１締結ゾーンと、前記使い捨て吸収性インサートのための前記前方取り付けゾーンの第１端部との間で横方向に延びる第１部分と、
前記第２締結ゾーンと、前記使い捨て吸収性インサートのための前記前方取り付けゾーンの第２端部との間で横方向に延びる第２部分とを含む、請求項１〜３のいずれか一項に記載の再使用可能な外側カバー。
【請求項５】
前記後方腰部区域は、前記使い捨て吸収性インサートのための後方取り付けゾーンを含み、前記後方伸張可能区域は、
前記第１締結ゾーンと、前記使い捨て吸収性インサートのための前記後方取り付けゾーンの第１端部との間で横方向に延びる第１部分と、
前記第２締結ゾーンと、前記使い捨て吸収性インサートのための前記後方取り付けゾーンの第２端部との間で横方向に延びる第２部分とを含む、請求項１〜４のいずれか一項に記載の再使用可能な外側カバー。
【請求項６】
前記前方伸張可能区域の前記第１部分及び前記第２部分の合計横方向長さが、前記後方伸張可能区域の前記第１部分及び前記第２部分の合計横方向長さとは異なる、請求項５に記載の再使用可能な外側カバー。
【請求項７】
前記前方腰部区域は、前記使い捨て吸収性インサートのための前方取り付けゾーンを含み、前記前方取り付けゾーンは、第１締結要素及び第２締結要素を含み、
前記前方伸張可能区域は、
前記第１締結ゾーンと、前記第１締結要素の第１端部との間で横方向に延びる第１部分と、
前記第１締結要素の第２端部と、前記第２締結要素の第１端部との間で横方向に延びる第２部分と、
前記第２締結要素の第２端部と、前記第２締結ゾーンとの間で横方向に延びる第３部分とを含む、請求項１に記載の再使用可能な外側カバー。
【請求項８】
前記後方腰部区域は、前記使い捨て吸収性インサートのための後方取り付けゾーンを含み、前記後方取り付けゾーンは、第１締結要素及び第２締結要素を含み、
前記後方伸張可能区域は、
前記第１締結ゾーンと、前記第１締結要素の第１端部との間で横方向に延びる第１部分と、
前記第１締結要素の第２端部と、前記第２締結要素の第１端部との間で横方向に延びる第２部分と、
前記第２締結要素の第２端部と、前記第２締結ゾーンとの間で横方向に延びる第３部分とを含む、請求項１又は７に記載の再使用可能な外側カバー。
【請求項９】
前記前方伸張可能区域の平均弾性率は、前記後方伸張可能区域の平均弾性率とは異なる、請求項１〜８のいずれか一項に記載の再使用可能な外側カバー。
【請求項１０】
前記第１締結ゾーンは、第１締結要素及び第２締結要素を含み、
前記第１締結要素は、前記外側カバーの前記長手方向軸とほぼ平行な方向に延びる長手方向軸を有するとともに、前記第２締結要素と係合するか、又は係合するように構成されて、前記前方腰部区域の一部を前記後方腰部区域の一部に接合する、請求項１〜９のいずれか一項に記載の再使用可能な外側カバー。
【請求項１１】
前記第１締結ゾーンは、前記前方腰部区域の第１部分を前記後方腰部区域の第１部分と接合する側部シームを含む、請求項１〜１０のいずれか一項に記載の再使用可能な外側カバー。
【請求項１２】
前記第２締結ゾーンは、前記第１腰部区域の第２部分を前記後方腰部区域の前記第２部分に恒久的に接合する、請求項１〜１１のいずれか一項に記載の再使用可能な外側カバー。
【請求項１３】
前記第１締結ゾーンは、前記長手方向軸とほぼ平行な方向に延びる長手方向構成要素を有し、前記長手方向構成要素は、少なくとも７０ｍｍの長さを有する、請求項１〜１２のいずれか一項に記載の再使用可能な外側カバー。
【請求項１４】
不織布、フィルム、又は積層体を含む、請求項１〜１３のいずれか一項に記載の再使用可能な外側カバー。
【請求項１５】
前記第１横方向長さは、約５０ｍｍ〜約１２０ｍｍの範囲であり、前記第２横方向長さは、約５０ｍｍ〜約１２０ｍｍの範囲である、請求項１〜１４のいずれか一項に記載の前記再使用可能な外側カバーと、
使い捨て吸収性インサートとを含み、
前記使い捨て吸収性インサートは、
トップシートと、
バックシートと、
前記トップシートと前記バックシートとの間に少なくとも部分的に配置された吸収性コアとを含み、
前記使い捨て吸収性インサートは、前記使い捨て吸収性インサートを前記再使用可能な外側カバーに取り外し可能に接合するために、前記再使用可能な外側カバーの第１取り付けゾーン、及び少なくとも第２取り付けゾーンに取り付けられるように構成される、パンツ。
【発明の詳細な説明】
【技術分野】
【０００１】
本開示は一般的に、おむつ、成人失禁用製品、並びに身体排泄物の収容及び吸収のための機構を有する他の着用可能な吸収性物品、より具体的には、共におむつを形成する使い捨て吸収性インサート、及び再利用可能な外側カバーを有するこのような物品及び製品の分野に関する。
【背景技術】
【０００２】
布地から作製される再利用可能なおむつは、布地の発明以来、使用されてきた。しかしながら、再利用可能な布おむつは、衛生に関するニーズに関連した困難さ、並びに再使用のために汚れたおむつを取り扱う、洗濯する、及び効果的に衛生的にする上での困難さを引き起こす。再利用可能な布おむつはまた、排泄物を収容することに関して比較的信頼性がない（すなわち、再利用可能な布おむつは漏れる傾向があり得る）。濡れた布おむつが皮膚と直接接触するので、濡れていることを迅速に感知して濡れたおむつを除去しなければ、着用者の皮膚の水分過剰を促進して、皮膚がおむつかぶれになりやすくなる可能性がある。
【０００３】
比較的最近における、パンツ型を含む使い捨ておむつの導入は、多くの人のこのような不利益を軽減した。一般に、着用者から取り除く際に、汚れた使い捨ておむつを有意な規模で空にする、洗濯する、又は処理する必要はなく、むしろそのままで廃棄することができる。次に、着用者の身体の任意の汚れた領域を清潔にすることができ、必要に応じて清潔な新しい使い捨ておむつを着用者に着けさせることができる。多くの現用の使い捨ておむつは、排出物を収容するという点でこの使い捨ておむつを従来の布おむつよりも比較的効果的にする構造を有している。多くの現用の使い捨ておむつは、液体排出物を着用者の皮膚から離して運びかつ貯蔵するという点で、使い捨ておむつを比較的より効果的にする構造及び材料を有している。一部の使い捨ておむつは、それらが「空気を容易に通す」ことができるようにして、おむつの内側の湿度を低減する機能を有し、一部の使い捨ておむつは、おむつが着用されたときに皮膚に移動するスキンケア組成物を更に有する。そのような機能は、皮膚の水分過剰の可能性及び／又は程度を低減することができ、さもなければ皮膚の健康を促進する又はこれを維持するのを助けることができる。
【０００４】
経済的理由で、現在のところ、ほとんどの使い捨ておむつは、かなり大きな割合でポリプロピレン及び／又はポリエチレンなどの石油由来の材料で製造されている。これらの材料は、布様不織布ウェブ材料を形成する紡糸繊維、あるいは又はこれに加えて、フィルムの形態で見られることが多い。
【０００５】
最近では、あらゆる種類の人間活動の「環境フットプリント」についての懸念が生じている。おむつの製造及び使用は、特に人口増加（すなわち、乳児の数の増加）を考えると、決して例外ではない。１つの見方は、通常使い捨ておむつを製造する材料は再生不可能な資源由来であり得、それらを製造するのに相当量のエネルギーを必要とするので、使い捨ておむつの使用は環境にとって有害になるというものであるように思われる。更に、使い捨ておむつは、典型的には再使用又は再利用されないので、一部の人は、それらの使用が埋立地などのごみ処分施設に不満足な方法で重い負担をかけると考える場合がある。しかしながら、代替物が再利用可能な布おむつである場合、別の見方は、それらおむつが通常使用される割合で汚れたおむつを洗濯するのに必要な（例えば、機器を運転する、洗濯用の水を加熱する、及び廃水を処理するための）エネルギー、及び薬品（例えば、洗剤及び水処理剤）の使用の増加、及び付随する廃水の処理は、それ自体が環境への一連のストレスを引き起こすことになるというものであるように思われる。理解されるように、どの代替物がより「環境に優しい」のかに関する分析は複雑であり、どちらにしても、誰もが認める結論はまだ存在しないように思われる。
【０００６】
しかしながら、どの代替物がより環境に優しいと考えることができるかにかかわらず、先進国では、現在の使い捨ておむつは一般に、乳児及び幼児の世話人の間では再利用可能な布おむつよりも好ましいように思われる。これは恐らく、不快感、衛生面に関する懸念、並びに汚れた再利用可能な布おむつの取り扱い及び洗濯に関連する手間及び／又は出費の低減若しくは排除、排出物のより良好な収容、並びに／又は皮膚の健康の促進及び／若しくは維持の援助の有効性といった利点に起因する。
【０００７】
完全に使い捨てであるおむつの製造は、一般に、資本集約的ビジネスであると考えられる。各製造ラインで、１分当たりに多くの場合５００を超える、経済的に実現可能な製造率で、入ってくる材料流れから製品を製造するために必要な複合機械装置の結果である。必要なプロセス若しくは設備の簡略化、又は材料費の低減につながる可能性を有するあらゆる技術革新は、製造業者及び消費者にとっては、物品あたりの費用の低減につながる潜在性を有する。
【０００８】
再利用可能な布の外側カバーと、再利用可能又は使い捨て吸収性インサートとを有するいくつかのおむつデザインは、製造かつ市販されている。しかしながら、ユーザーにとっては、これらのデザインは依然として、従来の布おむつの不利点の少なくともいくつかを引き起こしており、一方で現行の使い捨ておむつのデザインから得られる利点のいくつかを提供しない。
【０００９】
上述の懸念を考慮し、使い捨て及び再利用可能なおむつの代替物のそれぞれの不利点を低減しながら、使い捨て及び再利用可能なおむつの両方からもたらされる利点を提供する、パンツの形態の着用可能な吸収性物品が得られれば有利であろう。
【発明の概要】
【課題を解決するための手段】
【００１０】
一形態において、本開示の一部が、パンツの一部を形成するか、又は一部へと形成されるように構成され、長手方向軸及び横方向軸を有する、再使用可能な外側カバーを対象とする。再使用可能な外側カバーは、横方向軸の第１の側に位置付けられた前方腰部区域と、横方向軸の第２の側に位置付けられた後方腰部区域とを含む。再使用可能な外側カバーは更に、長手方向軸の第１の側に位置付けられた第１締結ゾーン、及び長手方向軸の第２の側に位置付けだれた第２締結ゾーンを含み得る。第１締結ゾーンは、横方向軸の第１の側にある第１部分と、横方向軸の第２の側にある第２部分とを含み得る。第２締結ゾーンは、横方向軸の第１の側にある第１部分と、横方向軸の第２の側にある第２部分とを含み得る。再使用可能な外側カバーは、パンツを形成するために使い捨て吸収性インサートを少なくとも部分的に受容するように構成されている。外側カバーは、前方腰部区域に形成され、第１横方向長さを有する前方伸張可能区域と、後方腰部区域に形成され、第２横方向長さを有する後方伸張可能区域とを含み得る。
【図面の簡単な説明】
【００１１】
【図１Ａ】本開示の非限定的な実施形態による、着用者により胴体下部周辺で着用されたものとして表され得る、着用可能な吸収性物品の斜視図である。
【図１Ｂ】本開示の非限定的な実施形態による、開かれ、平坦に配置された、図１Ａの外側カバーの平面図であり、外側表面（すなわち、衣類に面する表面）が見る人に向けられている。
【図１Ｃ】本開示の非限定的な実施形態による、締結ゾーンが閉鎖構成にあり、使い捨て吸収性インサートが内部に位置付けられた、着用可能な吸収性物品の斜視図である。
【図１Ｄ】本開示の非限定的な実施形態による、締結ゾーンが開放構成にある、図１Ｃの着用可能な吸収性物品の斜視図である。
【図１Ｅ】本開示の非限定的な実施形態による、未伸張構成にある部分のパンツの斜視図である。
【図１Ｆ】本開示の非限定的な実施形態による、着用者の腰部及び臀部の上のパンツの引っ張りをシミュレーションする、伸張構成にある図１Ｅのパンツの斜視図である。
【図１Ｇ】本開示の非限定的な実施形態による、着用者の胴体下部への位置付けをシミュレーションする、部分的な伸張構成にある図１Ｆのパンツの斜視図である。
【図１Ｈ】本開示の非限定的な実施形態による、側部に締結ゾーンを有する、パンツの腰部区域の図である。
【図１Ｉ】本開示の非限定的な実施形態による、前方腰部区域に締結ゾーンを有する、パンツの腰部区域の図である。
【図１Ｊ】本開示の非限定的な実施形態による、後方腰部区域に締結ゾーンを有する、パンツの腰部区域の図である。
【図１Ｋ】本開示の非限定的な実施形態による、締結ゾーン内の重複シームの図である。
【図１Ｌ】本開示の非限定的な実施形態による、締結ゾーン内の突き合わせシームの図である。
【図１Ｍ】本開示の非限定的な実施形態による、閉じた外側カバー内に位置付けられたインサートの前方斜視図である。
【図１Ｎ】本開示の非限定的な実施形態による、図１Ｍの閉じた外側カバー内に位置付けられたインサートの平面図である。
【図１Ｏ】本開示の非限定的な実施形態による、インサートが完全に内部に位置付けられた、図１Ｎの外側カバーの斜視図である。
【図２Ａ】本開示の非限定的な実施形態による、開かれ、平坦に配置された、外側カバーの平面図であり、外側表面が見る人に向けられている。
【図２Ｂ】本開示の非限定的な実施形態による、開かれ、平坦に配置された平面図であり、内側表面（すなわち、着用者に面する表面）が、見る人に向けられている。
【図２Ｃ】本開示の非限定的な実施形態による、開かれ、平坦に配置された、外側カバーの平面図であり、内側表面が見る人に向けられている。
【図２Ｄ】本開示の非限定的な実施形態による、開かれ、平坦に配置された、外側カバーの平面図であり、内側表面が見る人に向けられている。
【図２Ｅ】本開示の様々な非限定的な実施形態による、開かれ、平坦に配置された外側カバーの平面図であり、内側表面が見る人に向けられている。
【図２Ｆ】本開示の非限定的な実施形態による、開かれ、平坦に配置されたインサートの平面図であり、外側表面が見る人に向けられている。
【図２Ｇ】本開示の様々な非限定的な実施形態による、開かれ、平坦に配置された外側カバーの平面図であり、内側表面が見る人に向けられている。
【図２Ｈ】本開示の非限定的な実施形態による、開かれ、平坦に配置されたインサートの平面図であり、外側表面が見る人に向けられている。
【図２Ｉ】本開示の様々な非限定的な実施形態による、開かれ、平坦に配置された外側カバーの平面図であり、内側表面が見る人に向けられている。
【図２Ｊ】本開示の非限定的な実施形態による、開かれ、平坦に配置されたインサートの平面図であり、外側表面が見る人に向けられている。
【図２Ｋ】本開示の様々な非限定的な実施形態による、開かれ、平坦に配置された外側カバーの平面図であり、内側表面が見る人に向けられている。
【図２Ｌ】本開示の非限定的な実施形態による、開かれ、平坦に配置されたインサートの平面図であり、外側表面が見る人に向けられている。
【図２Ｍ】本開示の様々な非限定的な実施形態による、開かれ、平坦に配置された外側カバーの平面図であり、内側表面が見る人に向けられている。
【図２Ｎ】本開示の非限定的な実施形態による、開かれ、平坦に配置されたインサートの平面図であり、外側表面が見る人に向けられている。
【図２Ｏ】本開示の様々な非限定的な実施形態による、開かれ、平坦に配置された外側カバーの平面図であり、内側表面が見る人に向けられている。
【図２Ｐ】本開示の非限定的な実施形態による、開かれ、平坦に配置されたインサートの平面図であり、外側表面が見る人に向けられている。
【図２Ｑ】本開示の様々な非限定的な実施形態による、開かれ、平坦に配置された外側カバーの平面図であり、内側表面が見る人に向けられている。
【図２Ｒ】本開示の非限定的な実施形態による、開かれ、平坦に配置されたインサートの平面図であり、外側表面が見る人に向けられている。
【図２Ｓ】本開示の様々な非限定的な実施形態による、開かれ、平坦に配置された外側カバーの平面図であり、内側表面が見る人に向けられている。
【図２Ｔ】本開示の非限定的な実施形態による、開かれ、平坦に配置されたインサートの平面図であり、外側表面が見る人に向けられている。
【図２Ｕ】本開示の様々な非限定的な実施形態による、開かれ、平坦に配置された外側カバーの平面図であり、内側表面が見る人に向けられている。
【図２Ｖ】本開示の非限定的な実施形態による、開かれ、平坦に配置されたインサートの平面図であり、外側表面が見る人に向けられている。
【図２Ｖ１】本開示の様々な非限定的な実施形態による、開かれ、平坦に配置された外側カバーの平面図であり、内側表面が見る人に向けられている。
【図２Ｖ２】本開示の非限定的な実施形態による、開かれ、平坦に配置されたインサートの平面図であり、外側表面が見る人に向けられている。
【図２Ｗ】本開示の非限定的な実施形態による、開かれ、平坦に配置されたインサートの端部の平面図であり、内側表面が見る人に向けられている。
【図２Ｘ】本開示の非限定的な実施形態による、開かれ、平坦に配置されたインサートの端部の平面図であり、内側表面が見る人に向けられている。
【図２Ｙ】本開示の非限定的な実施形態による、開かれ、平坦に配置されたインサートの端部の平面図であり、内側表面が見る人に向けられている。
【図２Ｚ】本開示の非限定的な実施形態による、開かれ、平坦に配置されたインサートの一端の平面図であり、内側表面が見る人に向けられ、外側カバー上に重ねられたものとして示されている。
【図３】本開示の非限定的な実施形態による、自立し、弛緩した状態で示され得る、外側カバーと別個に示されるインサートの斜視図である。
【図４】本開示の非限定的な実施形態による、伸張され、平坦に配置された、インサートの平面図であり、内側表面が見る人に向けられている。
【図５Ａ】本開示の非限定的な実施形態による、図４の直線５Ａ−５Ａに沿った、例えば図４に示されるインサートの実施例の断面図である。
【図５Ｂ】本開示の非限定的な実施形態による、図４の直線５Ｂ−５Ｂに沿った、例えば図４に示されるインサートの実施例の断面図である。
【図５Ｃ】本開示の非限定的な実施形態による、図４の直線５Ｃ−５Ｃに沿った、例えば図４に示されるインサートの別の実施例の断面図である。
【図５Ｄ】本開示の非限定的な実施形態による、図４の直線５Ｄ−５Ｄに沿った、例えば図４に示されるインサートの別の実施例の断面図である。
【図５Ｅ】本開示の非限定的な実施形態による、図４の直線５Ｅ−５Ｅに沿った、例えば図４に示されるインサートの別の実施例の断面図である。
【図５Ｆ】本開示の非限定的な実施形態による、図４の直線５Ｆ−５Ｆに沿った、例えば図４に示されるインサートの別の実施例の断面図である。
【図６Ａ】本開示の様々な非限定的な実施形態による、例えば、図４のインサートなどの、インサートの横方向軸を通じた、二重脚部ガスケットシステムを使用するインサートの実施例の概略的な横方向断面図である。
【図６Ｂ】本開示の様々な非限定的な実施形態による、例えば、図４のインサートなどの、インサートの横方向軸を通じた、二重脚部ガスケットシステムを使用するインサートの実施例の概略的な横方向断面図である。
【図６Ｃ】本開示の様々な非限定的な実施形態による、例えば、図４のインサートなどの、インサートの横方向軸を通じた、二重脚部ガスケットシステムを使用するインサートの実施例の概略的な横方向断面図である。
【図６Ｄ】本開示の様々な非限定的な実施形態による、例えば、図４のインサートなどの、インサートの横方向軸を通じた、二重脚部ガスケットシステムを使用するインサートの実施例の概略的な横方向断面図である。
【図６Ｅ】本開示の様々な非限定的な実施形態による、例えば、図４のインサートなどの、インサートの横方向軸を通じた、二重脚部ガスケットシステムを使用するインサートの実施例の概略的な横方向断面図である。
【図６Ｆ】本開示の様々な非限定的な実施形態による、例えば、図４のインサートなどの、インサートの横方向軸を通じた、二重脚部ガスケットシステムを使用するインサートの実施例の概略的な横方向断面図である。
【図６Ｇ】本開示の様々な非限定的な実施形態による、例えば、図４のインサートなどの、インサートの横方向軸を通じた、二重脚部ガスケットシステムを使用するインサートの実施例の概略的な横方向断面図である。
【図６Ｈ】本開示の様々な非限定的な実施形態による、例えば、図４のインサートなどの、インサートの横方向軸を通じた、二重脚部ガスケットシステムを使用するインサートの実施例の概略的な横方向断面図である。
【図６Ｉ】本開示の非限定的な実施形態による、インサートの使用される二重脚部ガスケットシステムの一方の側部の実施例の横方向の概略断面図である。
【図７Ａ】本開示の非限定的な実施形態による、インサートの横方向軸に沿った、図６Ａ〜６Ｈに示される、二重脚部ガスケットシステムを使用するインサートの実施例の長手方向側部の概略横方向断面図である。
【図７Ｂ】本開示の様々な非限定的な実施形態による、インサートの横方向軸に沿った、図６Ａ〜６Ｈに示される二重脚部ガスケットシステムを使用するインサートの様々な別の実施例の長手方向側部の概略的な横方向断面図である。
【図７Ｃ】本開示の様々な非限定的な実施形態による、インサートの横方向軸に沿った、図６Ａ〜６Ｈに示される二重脚部ガスケットシステムを使用するインサートの様々な別の実施例の長手方向側部の概略的な横方向断面図である。
【図７Ｄ】本開示の様々な非限定的な実施形態による、インサートの横方向軸に沿った、図６Ａ〜６Ｈに示される二重脚部ガスケットシステムを使用するインサートの様々な別の実施例の長手方向側部の概略的な横方向断面図である。
【図８Ａ】本開示の様々な非限定的な実施形態による、インサートの横方向軸に沿った、使用される二重脚部ガスケットシステムの様々な代替的な実施例の横方向概略断面図である。
【図８Ｂ】本開示の様々な非限定的な実施形態による、インサートの横方向軸に沿った、使用される二重脚部ガスケットシステムの様々な代替的な実施例の横方向概略断面図である。
【図８Ｃ】本開示の様々な非限定的な実施形態による、インサートの横方向軸に沿った、使用される二重脚部ガスケットシステムの様々な代替的な実施例の横方向概略断面図である。
【図８Ｄ】本開示の様々な非限定的な実施形態による、インサートの横方向軸に沿った、使用される二重脚部ガスケットシステムの様々な代替的な実施例の横方向概略断面図である。
【図８Ｅ】本開示の様々な非限定的な実施形態による、インサートの横方向軸に沿った、使用される二重脚部ガスケットシステムの様々な代替的な実施例の横方向概略断面図である。
【図８Ｆ】本開示の様々な非限定的な実施形態による、インサートの横方向軸に沿った、使用される二重脚部ガスケットシステムの様々な代替的な実施例の横方向概略断面図である。
【図８Ｇ】本開示の様々な非限定的な実施形態による、インサートの横方向軸に沿った、使用される二重脚部ガスケットシステムの様々な代替的な実施例の横方向概略断面図である。
【図８Ｈ】本開示の様々な非限定的な実施形態による、インサートの横方向軸に沿った、使用される二重脚部ガスケットシステムの様々な代替的な実施例の横方向概略断面図である。
【図８Ｉ】本開示の様々な非限定的な実施形態による、インサートの横方向軸に沿った、使用される二重脚部ガスケットシステムの様々な代替的な実施例の横方向概略断面図である。
【図８Ｊ】本開示の様々な非限定的な実施形態による、インサートの横方向軸に沿った、使用される二重脚部ガスケットシステムの様々な代替的な実施例の横方向概略断面図である。
【図８Ｋ】本開示の様々な非限定的な実施形態による、インサートの横方向軸に沿った、使用される二重脚部ガスケットシステムの様々な代替的な実施例の横方向概略断面図である。
【図８Ｌ】本開示の様々な非限定的な実施形態による、インサートの横方向軸に沿った、使用される二重脚部ガスケットシステムの様々な代替的な実施例の横方向概略断面図である。
【図８Ｍ】本開示の様々な非限定的な実施形態による、インサートの横方向軸に沿った、使用される二重脚部ガスケットシステムの様々な代替的な実施例の横方向概略断面図である。
【図８Ｎ】本開示の様々な非限定的な実施形態による、インサートの横方向軸に沿った、使用される二重脚部ガスケットシステムの様々な代替的な実施例の横方向概略断面図である。
【図８Ｏ】本開示の様々な非限定的な実施形態による、インサートの横方向軸に沿った、使用される二重脚部ガスケットシステムの様々な代替的な実施例の横方向概略断面図である。
【図８Ｐ】本開示の様々な非限定的な実施形態による、インサートの横方向軸に沿った、使用される二重脚部ガスケットシステムの様々な代替的な実施例の横方向概略断面図である。
【図９】本開示の非限定的な実施形態による、開かれ、平坦に配置された、外側カバーの平面図であり、内側表面が見る人に向けられている。
【図１０】本開示の非限定的な実施形態による、開かれ、平坦に配置された、外側カバーの平面図であり、内側表面が見る人に向けられている。
【図１１】本開示の非限定的な実施形態による、インサートを受容するように構成され、前方及び後方伸張可能区域を有する外側カバーの平面図であり、前方伸張可能区域の横方向長さは、後方伸張可能区域の横方向長さと等しいか、又は実質的に等しい。
【図１２】本開示の非限定的な実施形態による、インサートを受容するように構成され、前方及び後方伸張可能区域を有する外側カバーの平面図であり、前方伸張可能区域の横方向長さは、後方伸張可能区域の横方向長さよりも小さい。
【図１３】本開示の非限定的な実施形態による、インサートを受容するように構成され、前方及び後方伸張可能区域を有する外側カバーの平面図であり、前方伸張可能区域の横方向長さは、後方伸張可能区域の横方向長さよりも大きい。
【図１４Ａ】本開示の非限定的な実施形態による、インサートを受容するように構成され、前方伸張可能領域を有する、外側カバーの正面図である。
【図１４Ｂ】本開示の非限定的な実施形態による、インサートを受容するように構成され、後方伸張可能領域を有する、外側カバーの後面図である。
【図１５】本開示の非限定的な実施形態による、伸長可能領域を備える、開かれ、平坦に配置された平面図であり、内側表面が、見る人に向けられている。
【図１６】本開示の非限定的な実施形態による、伸長可能領域及び補助伸長可能領域を備える、開かれ、平坦に配置された平面図であり、内側表面が、見る人に向けられている。
【図１７】本開示の非限定的な実施形態による、調節可能な締結構成要素、及び受容締結構成要素を備える、開かれ、平坦に配置された外側カバーの平面図であり、内側表面が見る人に向けられている。
【図１８】本開示の非限定的な実施形態による、調節可能な締結構成要素、及び受容締結構成要素を備える、開かれ、平坦に配置された外側カバーの平面図であり、内側表面が見る人に向けられている。
【図１９Ａ】試験サンプルが含まれた、本明細書の縁部偏向力測定法（Edge Deflection Force Measurement Method）で用いられる一定速度の引張り試験機で使用される締付具の正面図である。
【図１９Ｂ】本明細書の縁部偏向力測定法で用いられる一定速度の引張り試験機で使用される下部締付具の側面図である。
【図２０】本明細書の縁部偏向力測定法で試験するための、末端支持補強材（end support stiffener）を含むインサートの試験サンプルの準備を例示している。
【図２１】本明細書の曲げ剛性測定法で用いる一定速度の引張り試験機で使用される下部締付具の正面図である。
【図２２】本明細書の曲げ剛性測定法で用いる一定速度の引張り試験機で使用される上部締付具の側面図である。
【図２３】本明細書の曲げ剛性測定法で用いる一定速度の引張試験機で使用される上部締付具の正面図である。
【図２４】曲げ曲線上のピーク屈曲力及び勾配計算領域を示すグラフである。
【図２５】全外側カバー腰部開口部周辺力試験のために使用されるカスタムフックのセットを例示する。
【図２６】上部に係合する再使用可能な外側カバーを備える、図２５のカスタムフックのセットを例示する。
【発明を実施するための形態】
【００１２】
用語の定義
この説明の目的上、以下の用語は、次に記載の意味を有するものとする。
「吸収性インサート」及び「インサート」は、尿、糞便、若しくはこれらの組み合わせを収容及び／又は吸収するように構成され、再利用可能な外側カバーに設置され、ここから取り外されるように構成された、着用可能な吸収性物品の構成要素を意味する。インサートは、吸収性コアを含んでも、含まなくてもよい。
【００１３】
「取り付けゾーン」は、インサートを外側カバーに取り外し可能に取り付けるか、又は接合するために使用される、外側カバーの内側表面上に位置付けられるか又は形成される１つ以上の締結構成要素を意味する。取り付けゾーンの締結構成要素は、フック、ループ、接着剤、粘着剤、スナップ、ボタン、ポケット、及び／又は当業者に既知の他の好適な締結構成要素であり得る。
【００１４】
「シャーシ」とは、着用者の下部胴体の周りに着用されるように適合され、かつ吸収性インサートを支持して、インサートを着用者の身体の近くに保持するように適合された、着用可能な吸収性物品の構成要素を意味する。本明細書では、シャーシは「外側カバー」と呼ばれることもできる。用語「外側カバー」及び「シャーシ」は、本明細書の目的上、互換的である。
【００１５】
「使い捨て」とは、吸収性インサートについて言及する場合、吸収性インサートが、通常の家庭での洗濯プロセス及び通常の住宅設備で効果的に衛生的に洗濯されるように適合又は意図されておらず、したがって通常は、排出物によって汚れて外側カバーから取り外された後に、新品同様の意図された機能及び性能を提供するために、衛生的かつ効果的に再使用するのに好適でないことを意味する。非限定的な例として：再使用の際に新品同様に有効となるように通常の家庭での洗濯及び乾燥を経て、それらの実質的な新品同様の物理的形状又は構造を維持することができない；水性液体を吸収し、再使用の際に新品同様に有効となるように通常の家庭用乾燥装置及び通常の乾燥サイクルで十分に乾燥／脱水されることができない；通常の家庭での洗濯又は乾燥によって溶解して又は実質的に分解して、インサートが実質的に損傷を受ける又は役に立たなくなる；及び／又は、通常の洗濯によって、再使用のために衛生上又はその他で許容可能となるように排出物質を有効に洗浄することができない、材料及び／又は構成体を含むことによって、効果的な洗濯が失敗させられ又は阻止されて、インサートが使い捨てにされる可能性がある。
【００１６】
「締結ゾーン」とは、シームを形成するように、外側カバーの一部（例えば、前方腰部区域の一部）を、外側カバーの別の部分（例えば、後方腰部区域の一部）に締結、取り付け、又は接合する領域を意味する。締結、取り付け、又は接合は、恒久的であるか、取り外し可能であるか、又は再締結可能であり得る。締結ゾーンはそれぞれ、前方腰部区域の一部を後方腰部区域の一部と接合するように構成された、重複シーム、又は突き合わせシームなどのシームを形成することができる。締結ゾーンの締結構成要素は、一部分上にあり、別の部分の１つ以上の種類の表面に接着するように構成された接着性パッチ、又は一部分上にあり、他の部分の１つ以上の種類の表面に取り付けられるように構成されたフック若しくはフックのパッチを含み得る。更なる例として、一部分上にあり、他の部分の全体又は一部を捕捉及び保持するように構成された、ポケット、ストラップ、フック、バックルなどのいずれかの構造又は構成要素は、本明細書において使用されるとき、「締結ゾーン」の締結構成要素であり得る。締結ゾーンはまたそれぞれ、２つ以上の締結構成要素、例えば、フック・ループ締結システム（例えば、ＶＥＬＣＲＯ）の各構成要素、ループ・ループ締結システム（各表面は凝集性材料が塗布されている）、雄型及び雌型スナップ締結構成要素、ボタン及びボタン孔、スロット又はループ、他の締結により協調する要素などを含み得る。締結構成要素の他の例としてはジッパー構成要素、「ジップロック」係合構成要素、ループ、ポスト、ポケット、バンド又はストラップ、マイクロ締結具、マクロ締結具、加えて米国特許番号第６，９３６，０３９号、同第６，８９３，３８８号、同第６，６６９，６１８号、同第６，４３２，０９８号、及び同第６，２５１，０９７号、並びに、米国特許出願公開第２００５／０２３４４１９号、同第２００５／０２１５９７１号、同第２００５／０２１５９７０号、同第２００５／０１３０８２１号、同第２００４／００２３７７１号、同第２００３／０２３３０８２号、同第２００３／０１１９６４１号、同第２００３／００８８２２０号、同第２００２／０１６９４３１号に記載される締結構成要素が挙げられる。外側カバーは１つ以上の締結ゾーンを含み得る。外側カバーが２つ以上の締結ゾーンを含む、代表的な実施形態において、１つの締結ゾーンは、外側カバーの長手方向軸の第１の側に位置付けられてもよく、第２締結ゾーンは、長手方向軸の第２の側に位置付けられてもよい。第１締結ゾーンは、外側カバーの横方向軸の第１の側の第１部分と、横方向軸の第２の側の第２部分とを含み得る。同様に、第２締結ゾーンは、横方向軸の第１の側の第１部分と、横方向軸の第２の側の第２部分とを含み得る。パンツのシームを形成するようにして、第１締結ゾーンの第１部分は第１締結ゾーンの第２部分に接合されてもよく、同様に、第２締結ゾーンの第１部分は第２締結ゾーンの第２部分に接合されてもよい。他の実施形態において、外側カバーは、長手方向軸の第１の側又は第２の側に１つの取り外し可能な締結ゾーンのみを含み、長手方向軸の他方の側に恒久的な締結ゾーンを有してもよい。単一の締結ゾーンが、前方腰部区域内の第１部分と、後方腰部区域内の第２部分とを含んでもよい。第１部分が第２部分に接合されて、締結ゾーンを形成してもよい。本明細書において記載される各締結ゾーンの各部分は少なくとも一部分が、長手方向に（すなわち、外側カバーの長手方向軸と平行に）、又はほぼ長手方向に（例えば、長手方向軸から±２０°）延びてもよい。締結ゾーンの各部分がまた、横方向に、又はほぼ横方向に延びてもよい。
【００１７】
「横方向」（及びその文法的変形）とは、着用者に関し、着用者の前部から後部（又は逆もまた同様）に延びる方向と略横断する又は交差する方向に沿っていることを意味する。着用可能な吸収性物品の構成要素に関し、「横方向」（及びその変形）とは、構成要素が着用者の上に適切に位置している場合に着用者の前部から後部（又はその逆）に構成要素に沿って延びる方向とほぼ横断方向、横方向、又は垂直方向に沿っていることを意味する。
【００１８】
「長手方向」（及びその文法的変形）とは、着用者に関し、着用者の前部から後部（又は逆もまた同様）に概ね延びる方向に沿っていることを意味する。着用可能な吸収性物品の構成要素に関し、「長手方向」（及びその文法的変形）とは、構成要素が着用者の上に適切に位置している場合に着用者の前部から後部に（又はその逆）、概ね構成要素に沿って、又はこれと平行に延びる方向に沿っていることを意味する。
【００１９】
「外側カバー」とは、着用者の下部胴体の周りに着用されるように構成され、かつ吸収性インサートを支持して、インサートを着用者の身体の近くに保持するように構成された、着用可能な吸収性物品の構成要素を意味する。外側カバーは、インサート上の取り付けゾーンの使用、及びインサート上の取り付けゾーンの使用を通じて、インサートに取り付けられてもよい。外側カバーは、締結ゾーンの部分を一緒に取り付けるか、又は接合することにより、パンツを形成してもよく、又はパンツを形成するように構成されてもよい。本明細書において、外側カバーは「シャーシ」と呼ばれることもできる。用語「外部カバー」、及び「シャーシ」は、本明細書における目的のために、互換可能であり、本明細書において記載される機構を有し、おむつ、おむつカバー、下着、ブリーフ、トレーニングパンツ、ボクサーショーツ、パンツ、及び／ショーツなどとして構成される衣類を含むがこれらに限定されない。
【００２０】
「パンツ」とは、その外側カバー内の連続的な周辺腰部開口部及び連続的な周辺脚部開口部を有する、乳幼児、子供、又は成人の着用者（例えば、成人失禁用）のための、着用可能な吸収性物品を意味する。パンツは、物品が着用者に適用される前に、連続的な、すなわち閉じた腰部開口部と、少なくとも１つの連続的な、閉じた脚部開口部とを有して構成され得る。パンツは、外側カバーの締結ゾーンの部分を一緒に接合すること、又はいずれかの再締結可能な及び／若しくは恒久的な閉鎖部材（例えば、シーム、熱結合、圧接、接着剤、凝集結合、機械的締結など）を使用することが挙げられるがこれらに限定されない、様々な技術によって予め形成することができる。パンツは、腰部区域において着用可能な吸収性物品の周囲部に沿った任意の場所で予め形成され得る（例えば、側部締結又は継ぎ合わせ、前方腰部締結又は継ぎ合わせ、後方腰部締結又は継ぎ合わせ）。パンツは、一方又は両方のシームの周辺で開放され、続いて再締結され得る。周囲部を形成する外側カバーの締結ゾーン内に、締結構成要素を有するパンツは、側部、前方腰部区域、及び／又は後方腰部区域において接合され得る。パンツは、吸収性インサートが外側カバーと共に接合されるとき、外側カバー及び吸収性インサートにより形成される。パンツとして分類されるためには、吸収性物品は、閉鎖構成において（例えば、腰部が連続的な周囲部を有する）、パンツが着用者の大腿及び臀部から腰部にかけて引っ張られるように、設計されるべきである。パンツは、大腿及び臀部全体の上でこのような引っ張りを可能にするために十分な伸張及び／又は伸張を有する一方で、小柄な着用者が一度着用したパンツが外れるような大きな腰部を有さないべきである。これらの特徴はとりわけ、パンツを、着用者の周囲に巻かれ、「引かれ」ないテープ式おむつと区別する。
【００２１】
「再利用可能」とは、外側カバーについて言及する場合、外側カバーの実質的に新品同様の機能性を提供するのに必要な外側カバーのあらゆる構成要素を実質的に破壊することなく、かつ、インサートの交換の後にあらゆる修理又は再構築の必要なく、少なくとも第１のインサートの取り外し、及び少なくとも第２のインサートとの交換を可能にするように構成された外側カバーを意味する。
【００２２】
「伸長可能区域」とは、張力をかけた際に伸張するか、又は弾性的に拡張し、力が解除された際に弾性的に収縮するように構成された、外側カバーの領域を意味する。パンツは、前方及び後方腰部区域に、１つ又は２つ以上の伸張可能区域を有し得る。
【００２３】
「テープ型おむつ」という用語は、着用者に適用される前に、互いに締結、予備締結、又は接続されない初期前方腰部区域及び初期後方腰部区域を有する外側カバーを含む着用可能な吸収性物品を意味する。テープ式おむつはまた、外側カバー及びインサート上の取り付けゾーンの使用を通じて外側カバーに接続されたインサートを含み得る。テープ型おむつは、一方の腰部区域の内部が、対向する腰部区域の内部と表面同士が接触した状態で、腰部区域を締結又は結合することなく横方向中心軸を中心に折り畳まれてもよい。
【００２４】
「使用」とは、外側カバーに関し、インサートが交換されるまで外側カバーを着用する１つの事象を意味する。
【００２５】
「ユーザー」とは、着用可能な吸収性物品を着用者に適用することができる世話人又はその他の人を意味する。着用者が着用可能な吸収性物品を自分自身に身に着けることができる場合、着用者もまた「ユーザー」である。
【００２６】
「着用者」とは、本明細書に記載の着用可能な吸収性物品を着用することができる人を意味する。
【００２７】
「着用可能な吸収性物品」とは、下部胴体の周りに着用されるように、並びに尿、糞便、経血又はこれらの任意の組み合わせを収容及び／又は吸収するように設計された任意の物品を意味する。「着用可能な吸収性物品」には、（「テープ」締結可能な、別の方法で締結可能な、「プルアップ式」の、又は任意のその他の種類の）乳児又は幼児用おむつ、トレーニングパンツ及び成人用失禁パンツ、ブリーフ等が挙げられるが、これらに限定されない。
【００２８】
二部分からなる着用可能な吸収性物品
一実施形態において、図１Ａは、着用者の胴体下部周囲に位置付けられたパンツである、着用可能な吸収性物品１０の実施例を示す。前方腰縁部２１、後方腰縁部２２、脚部開口部縁部２３、締結耳部２９及び脚部バンドを有する外側カバー２０を含む。外側カバーは、内側の、着用者に面する表面２５（図１Ａに例示されない）、及び外側の、衣類に面する表面２４を含む。外側カバー２０は、以下でより詳細に記載されるように、インサートを受容するように構成され得る。締結耳部２９は、パンツを形成するために、後方腰部区域を前方腰部区域に、又はその逆に、恒久的に又は取り外し可能に接合するために使用され得る。一実施形態において、締結耳部２９の１つが前方腰部区域に恒久的に接合されてもよく、一方で他の締結耳部２９が前方腰部区域に取り外し可能に接合されてもよい。一実施形態において、締結耳部２９は前方腰部区域上に位置付けられ、後方腰部区域に恒久的に又は取り外し可能に接合されて、パンツを形成してもよい。パンツはまた、その股部区域のパウチ状構造７５を含んでもよい。
【００２９】
図１Ｂは、開かれ、平坦に配置されたものとして示され得るパンツの外側カバー２０を例示する。図１Ｂにおいて、外側カバー２４は見る人の方に向けられている。外側カバー２０は、前方腰部区域２７、股部区域２６、及び後方腰部区域２８を含み得る。前方腰部区域２７は、横方向軸４５の第１の側に位置付けられてもよく、後方腰部区域２８は、横方向軸４５の第２の側に位置付けられてもよい。股部区域２６は、横方向軸４５を超えて延びてもよく、これにより股部区域２６の一部が横方向軸の第１の側に位置付けられ、股部区域２６の第２の部分が横方向軸の第２の側に位置付けられる。外側カバー２０は、前方ウエストバンド３４、後方ウエストバンド３５、及び長手方向軸４６を含み得る。外側カバー２０はまた、前方腰部区域２７の締結耳部２９の１つ、及び後方腰部区域２８内の締結耳部２９の１つにより形成された、第１締結ゾーンを含み得る。第１締結ゾーンは、長手方向軸４６の第１の側（例えば、右側）に位置付けられてもよい。第１締結ゾーンは、長手方向軸４５の第１の側（すなわち、前方腰部区域２７）に位置付けられた第１部分と、横方向軸４５の第２の側（すなわち、後方腰部区域２８）に位置付けられた第２部分とを含み得る。第１締結ゾーンの第１部分は、前方腰部区域２７の長手方向軸４６の右側に、耳部パネル２９を含み得る。第１締結ゾーンの第２部分は、後方腰部区域２８の長手方向軸４６の右側に、耳部パネル２９を含み得る。外側カバー２０はまた、前方腰部区域２７の締結耳部２９の１つ、及び後方腰部区域２８内の締結耳部２９の１つにより形成された、第２締結ゾーンを含み得る。第２締結ゾーンは、長手方向軸４６の第２の側（例えば、左側）に位置付けられてもよい。第２締結ゾーンは、長手方向軸４５の第１の側（すなわち、前方腰部区域２７）に位置付けられた第１部分と、横方向軸４５の第２の側（すなわち、後方腰部区域２８）に位置付けられた第２部分とを含み得る。第２締結ゾーンの第１部分は、前方腰部区域２７の長手方向軸４６の左側に、耳部パネル２９を含み得る。第２締結ゾーンの第２部分は、後方腰部区域２８の長手方向軸４６の左側に、耳部パネル２９を含み得る。閉じた外側カバー２０を形成するため、第１締結ゾーンの第１部分は、第１締結ゾーンの第２部分へと取り外し可能、除去可能、又は恒久的に接合されてもよく、第２締結ゾーンの第１部分は、第２締結ゾーンの第２部分へと取り外し可能、除去可能、又は恒久的に接合されてもよい。
【００３０】
図１Ｃは、内部に位置付けられ、ここに取り付けられたインサート５０を備える外側カバー２０を例示する。図１Ｃにおいて、第１及び第２締結ゾーンが接合されている。図１Ｄは、インサート５０を備えず、第１及び第２締結ゾーンが接合されていない、図１Ｃの外側カバー２０を例示する。
【００３１】
図１Ｅは、未伸張構成（すなわち、パンツに力がかけられていない）にあるパンツを例示する。図１Ｆは、伸張構成にある、図１Ｅのパンツを例示する。図１Ｆは、着用者の大腿及び臀部の上で引かれるように伸張したパンツをシミュレーションしている。伸張力は、図１Ｆの矢印の方向でかけられる。図１Ｇは、部分的伸張構成にある、図１Ｅのパンツを例示する。図１Ｇは、着用者の胴体下部の周囲で完全に引かれ、位置付けられるパンツをシミュレーションしている。図１Ｅは、腰部区域の長さＣ１を示す。図１Ｆは、腰部区域の長さＣ２を示す。図１Ｇは、腰部区域の長さＣ３を示す。長さＣ２は、長さＣ１又はＣ３よりも大きく、長さＣ３は長さＣ１よりも大きい。図１Ｅ〜１Ｇのパンツは、前方腰部区域及び後方腰部区域を接合する恒久的なシームを備えるものとして例示されているが、同じ論理が取り外し可能なシームを有するパンツにも適用されることが理解される。
【００３２】
図１Ｈは、パンツの側部に位置付けられた締結ゾーンを有するパンツの平面図の例示である。図１Ｉは、パンツの側部に位置付けられた締結ゾーンを有するパンツの平面図の例示である。図１Ｊは、パンツの側部に位置付けられた締結ゾーンを有するパンツの平面図の例示である。本明細書において開示されるいくつかの実施形態は、各特定の実施形態に関して具体的に例示されていないが、パンツの側部、前部、又は後部において、締結ゾーン、又はシームを有してもよいことが理解される。
【００３３】
本開示の締結ゾーンのいずれかが、重複シーム（図１Ｋ）、又は突き合わせシーム（図１Ｌ）を形成してもよい。当業者に既知の他のシームもまた提示され得る。
【００３４】
図１Ｍ−１Ｏを参照し、インサート５０を閉じた外側カバー２０と接合する１つの方法が開示される。インサート５０は、着用可能な形状へと折り畳まれ、及び／又はその横方向軸を中心折りたたまれて、外側カバー２０内に挿入され得る。インサート５０上の締結構成要素は、外側カバー２０の着用者に面する表面２５上の取り付けゾーンと係合し、インサート５０を外側カバー２０と接合してもよい。一実施形態において、インサート５０は、その腰部区域から外側に延びるフック及び／又はリップを有してもよく、これらは、外側カバー２０のウエストバンド周囲部の近位にある受容スロット又は他の部材と係合するように構成される。このような機構は、パンツ１０が着用者の大腿及び臀部の上で引かれるときに、外側カバー２０内の位置にインサート５０を保持してもよい。
【００３５】
いくつかの実施形態において、下着又はパンティ締結用接着剤などの接着剤を使用して、インサート５０を外側カバー２０に取り付けてもよい。この接着剤は、インサート５０及び／又は外側カバー２０に塗布されてもよい。適切な時まで、接着剤が表面に粘着するのを防ぐ、又は少なくとも抑制するために、接着剤の上に１つ以上の剥離紙が取り付けられてもよい。接着剤は、インサートの全長及び全幅にわたって均一に塗布されてもよく、又はこれはインサートの全体若しくは一部にわたり、複数のスロット若しくは螺旋状のパターンで塗布されてもよい。
【００３６】
外側カバーが膝周辺まで下ろされている間、又は着用者が外側カバーをつけていないときに、インサートが外側カバーに適用されてもよい。失禁症状のある着用者、又は他の着用者が、ふるいインサートを取り除き、廃棄した後に新しいインサートを取り付けることができる。この用途において、ユーザーは、片手で外側カバーを伸張させる一方で、もう一方の手でインサートを外側カバーの適切な位置に挿入することができる。ほとんどの場合において、接着剤は、ユーザー又は介護者が、適用中及び又は取り外し中に再調整するために外側カバーから容易に取り外せるように十分に弱く、かつ使用中にインサートが外側カバーに対して移動しないように十分に強くあるべきである。接着剤がフィルム内の小さいポケット内にある、食品包装型押し技術を、本開示のインサート及び外側カバーに使用することができる。このような実施形態において、インサートは、インサートが外側カバー上の位置へと弱く押し付けられるまで、外側カバーに張り付いていないことがある。この特徴は、インサートを外側カバーに対して弱く押し付けることにより、これを適所に固定する前に、インサートを外側カバー上に適切に挿入する選択肢をユーザーにもたらす。この接着剤による手法は、着用者上に位置付けられていない外側カバーにインサートが取り付けられる際にも有用であり得る。
【００３７】
いくつかの実施形態において、図２Ａ、２Ｂ、及び２Ｃは、本開示の外側カバー２０を、開かれ、平坦に配置されたものとして示している。図２Ａでは、外側カバー２０の外側、衣類に面する表面が見る人に面しており、図２Ｂ及び図２Ｃでは、外側カバー２０の内側、すなわち、着用者に面す表面が見る人に面している。前方及び後方腰部縁部２１、２２は、それぞれ、図面の上部及び下部に示されている。外側カバー２０は、股部区域２６、前方腰部区域２７、後方腰部区域２８、並びに後方腰部区域２８及び前方腰部区域２７から横方向に延びる締結耳部２９の対を有し得る。各締結耳部２９は、締結構成要素３０又は受容締結構成要素３１を含み得る。締結構成要素３０は、受容締結構成要素３１と係合して、パンツ内にシームを形成してもよい。例示されないが、締結構成要素３０は、前方腰部区域２８内にあってもよく、受容締結構成要素３１は後方腰部区域２７にあってもよい。締結構成要素３０及び受容締結構成要素３１は、フック・ループ、ボタン・スロット、スナップ、接着剤、粘着剤など、当業者に既知の任意の好適な締結装置であり得る。外側カバー２０は、前方腰縁部２１の最前部から、後方腰縁部２２の最後部までの長さＬＣを有してもよく、外側カバー横方向軸４５がこの長さを等分している。したがって、前方腰部区域２７は、外側カバー横方向軸４５の第１の側に位置付けられてもよく、後方腰部区域２８は、外側カバー横方向軸４５の第２の側に位置付けられてもよい。股部区域２６は、外側カバー横方向軸４５の第１の側、及び外側カバー横方向軸４５の第２の側に位置付けられてもよい。外側カバー２０は、インサートを外側カバー２０に取り付けるために、前方取り付けゾーン３３、３３ａ、及び後方取り付けゾーン３２、３２ａなどの、上部に配置された１つ以上の取り付けゾーンを有してもよい。
【００３８】
図３は、外側カバー２０から切り離されて、自立した弛緩状態で示されている、着用可能な吸収性物品１０の内部構成要素を形成することができる使い捨て可能な吸収性インサート５０を斜視図で示している。インサート５０は、以下でより詳細に記載されるように、身体排泄物を収容及び／又は吸収するように設計されてもよく、柔軟な材料で作製されてもよい。インサート１０は、前方区域５４及び後方区域５５を有してもよく、並びに外側カバー２０上の前方取り付けゾーン３３及び後方取り付けゾーン３２と係合するように構成された１つ異常の前方締結構成要素５６、及び１つ以上の後方締結構成要素５７を含んでもよい。インサート１０は、身体に面するライナー又はトップシート５１と、外側ライナー又はバックシート５２と、一対の起立カフ５３と、を含んでもよい。図４を参照し、インサート５０は、完全に開かれ、平坦に配置された際に、前方区域５４の最前部から後方区域５５の最後部までの長さＬを有してもよく、インサート横方向軸７０はこの長さを等分する。したがって、前方区域５４は、インサート横方向軸７０の第１の側に位置付けられ、後方区域５５は、インサート横方向軸７０の第２の側に位置づけられてもよい。
【００３９】
一実施形態において、図２Ｂ及び図３を参照し、インサート５０はその上に配置された後方締結構成要素５７を有し得る。あるいは、又はこれに加えて、外側カバー２０は、インサート上に配置された後方インサート締結構成要素３２を有していてもよい。同様に、インサート５０は、その上に配置された前方締結要素５６を有していてもよい。あるいは、又はこれに加えて、外側カバー２０は、インサート上に配置された前方インサート締結構成要素３３を有していてもよい。２つの要素からなる締結システムを使用する場合、締結要素対５７、３２及び５６、３３は、これらの対応の要素が合体されたときにそれらの間に締結をもたらす協働要素であってもよい。したがって、示されている例では、吸収性インサート５０を外側カバー２０内に設置するために、ユーザーは外側カバー２０を平らに置き、内側表面２５を上に向け、後方締結構成要素５７が後方インサート締結構成要素３２に面しかつ前方締結構成要素５６が前方インサート締結構成要素３３に面するようにインサート５０を広げて向きを定め、それらの間に締結をもたらすためにこれら対応の締結構成要素対５７、３２及び５６、３３を合体させることができる。
【００４０】
外側カバー２０が再利用されることが望ましい場合、インサートの取り外し及び交換の後に、外側カバー２０が実質的に衛生的かつ有用でありつづけるために（洗濯又は廃棄を必要とせずに）、外側カバー２０の全部が着用者の排泄（特に糞便物質）の後に、実質的に汚れていないままであることが望ましい場合がある。したがって、インサート５０が外側カバー２０内に設置されるときに、インサート５０の着用者に面する表面の実質的な部分の上にある、又はこれを覆う、外側カバー２０の取り外し不可能な部分又は構成要素が存在しないことが望ましい場合がある。換言すると、外側カバー２０の取り外し不可能な部分、又は構成要素は、着用可能な吸収性物品１０が少なくとも排泄物を排泄する着用者の身体の部位の近位において着用される際に、インサート５０の実質的な部分と着用者との間に位置付けられる。したがって、着用可能吸収性物品１０が着用されたときに、外側カバー２０は、外側カバー２０内のインサート５０の着用者に面する表面のかなりの部分を覆う又は収容する取り外し可能でないカバーシート等を含まず、そしてまた、排泄物の排泄ポイントに近接するインサートを実質的に包み込む又は覆う、あるいは実質的にインサート５０と着用者の肛門及び／又は生殖器との間に位置する、ポケット、ストラップ又はフラップなどのいずれかの上部構造を含まないのが望ましくあり得る。外側カバー２０がそのような上部構造を有さない場合、このことは、着用者の排出物がインサート５０のみに接触し、外側カバー２０の一部分に接触しない可能性を高める。
【００４１】
図１Ａ、２Ａ、及び２Ｂを参照し、着用可能な吸収性物品１０は、インサート５０を外側カバー２０に取り付け、締結構成要素３０を受容締結構成要素３１に取り付けてパンツを形成し、パンツを脚、大腿の上、腰部、及び臀部から、図１Ａに例示される位置へと引き上げることによって、着用者上に配置され得ることが看取される。一実施形態において、外側カバー２０は、例えば、恒久的な又は再締結可能なシームを有する、予め形成された状態（すなわち、連続的な腰部及び脚部周辺）で、メーカーから受け渡され得る。このような状況において、インサート５０は、外側カバー２０内に挿入され、その後脚部、大腿の上、腰部、及び臀部から着用者上の適所へと引き上げられてもよい。インサート５０が外側カバー２０の中に設置されると、次に、インサート５０は外側カバー２０内で着用者の近くに配置され、起立カフ５３は向きを定められて、脚縁部２３の内側部分に隣接して長手方向に（すなわち、着用者の脚の間で長手方向に）延びる。
【００４２】
考えられる外側カバーの詳細の例
締結システム
いくつかの実施形態において、図２Ａ及び図２Ｂを参照し、締結耳部２９の前方腰部区域２７への締結を可能にするため、締結耳部２９は外側カバー締結構成要素３０、及びその上に配置された締結受容構成要素３１を有し得る。締結構成要素３０及び受容構成要素３１は、締結耳部２９の締結を生じるために協調するように選択され得る。
【００４３】
一例を挙げれば、外側カバー締結要素３０は、フックのパッチを備えてもよく、受け側締結要素３１はループのパッチを備えてもよい。好適なフックアンドループ締結システムの例は、ＶＥＬＣＲＯシステム（Ｖｅｌｃｒｏ  Ｉｎｄｕｓｔｒｉｅｓ  Ｂ．Ｖ．の製品）である。フック・ループ締結システムは特定の利点を提供する。個々のフック・ループ構成要素はシート状で供給されるので、これらシート状の要素を適切な形状のパッチに切断することができ、このパッチを、接着剤結合、機械的結合、超音波接合、縫合、縫製、縁かがり、及び／又は縁取り等の様々な手段で、布又は不織布基材に固定することができる。フック又はループのパッチが締結耳部２９に固定されて外側カバー締結構成要素３０が形成されると、協調するフック又はループ材料の横方向に延びたパッチが、外側カバー前方区域２７に固定されて、１つ以上の受容締結構成要素３１を形成し得る。耳部２９の締結を、その上の横方向に異なる位置に提供することにより、この構成は、着用可能な吸収性物品１０の腰部開口部寸法の容易で単純な調節機能をもたらす。複数のスナップ又は磁石は、腰部開口部の寸法を調節可能にもたらすため、締結構成要素３０及び／又は締結受容構成要素３１として設けることができる。締結構成要素３０及び受容締結構成要素はまた、パンツに対して長手方向の調節可能性をもたらすことができる。一実施例において、締結構成要素３０及び受容締結構成要素３１は、各締結耳部２９のそれぞれ、又はそれ未満の上で長手方向に位置付けられた複数のスナップ又は磁石を含み、これによりパンツは、前方腰縁部２１及び後方腰縁部２２により近くに、又は前方腰縁部２１及び後方腰縁部２２からより遠くに締結することができる。結果的に、パンツは、特定の着用者のための、好適な腰部開口部寸法、及び／又は「隆起」（股部区域を通じて）寸法を使用して、腰部領域において接合することができる。
【００４４】
図２Ｂを参照すると、外側カバー２０は、その上に配置された１つ以上の対応の締結具プロテクタ３９を更に備えてもよい。この特徴は、保管、運搬、洗濯、及び同様の／関連した活動の間に、外側カバー２０、又は他の物品の一部分に無作為に又は意図せずに係合しやすい及びひっかかりやすい特徴を有する締結構成要素３０が、そうなることを防止して、そのような活動中に起こり得る塊化、絡み合い及び／又は外側カバー２０若しくは他の物品のいずれかへの損傷を回避することができる。例えば、締結要素３０がフックのパッチである場合、適切に載置された締結具プロテクタ３９は、対応するループのパッチを含んでもよい。これにより、耳部２９を締結具プロテクタ３９に係合するためにユーザーが耳部２９を折り重ね、それらを折り重ね位置に保持することが可能になり、その結果、外側カバー２０が着用されていないときには耳部２９上のフックが覆われて、フックが他の物品にひっかかることが防止又は少なくとも抑制される。
【００４５】
材料
外側カバー２０、及び／又は外側カバー２０の層若しくは一部分は、意図される着用者の皮膚との適切な適合性を有している、任意のニット生地、織布、若しくは不織布地、フィルム、又は布様材料で製造され得る。外側カバー２０は、耐久性のある材料及び／又は半耐久性の材料で構成されてもよい。一般に、本明細書における参照のみを目的として、「耐久性のある」は、洗濯可能な衣類物品の構成要素として使用され得る、あらゆる種類の繊維材料又はニット生地材料を指す。本明細書において使用するとき「耐久性」とは、２０１０年１月１４日に出願された、Ｄｏｎａｌｄ  Ｃ．Ｒｏｅによる、米国特許出願番号第２０１０／０１７９４９５号、同第２０１０／０１７９５０３号、同第２０１１／０１７２６２８号、各表題「ＲＥＵＳＡＢＬＥ  ＯＵＴＥＲ  ＣＯＶＥＲ  ＦＯＲ  ＡＮ  ＡＢＳＯＲＢＥＮＴ  ＡＲＴＩＣＬＥ」、「ＲＥＵＳＡＢＬＥ  ＯＵＴＥＲ  ＣＯＶＥＲ  ＦＯＲ  ＡＮ  ＡＢＳＯＲＢＥＮＴ  ＡＲＴＩＣＬＥ  ＨＡＶＩＮＧ  ＺＯＮＥＳ  ＯＦ  ＶＡＲＹＩＮＧ  ＰＲＯＰＥＲＴＩＥＳ」、及び「ＬＥＧ  ＡＮＤ  ＷＡＩＳＴＢＡＮＤ  ＳＴＲＵＣＴＵＲＥＳ  ＦＯＲ  ＡＮ  ＡＢＳＯＲＢＥＮＴ  ＡＲＴＩＣＬＥ」に定義され、説明されるような、「洗濯可能な」材料を含む。一般に、本明細書における参照のみを目的として、「半耐久性」は、外側カバーの材料として使用されるときに、役に立たない状態になる程度までその構造的一体性を失わずに、インサートを備えた１回を超える使用に耐えることができる不織布材料又はその積層体を指す。本明細書で使用するとき、「半耐久性」は、すぐ上で特定された米国特許出願に定義されかつ記載されているような「洗濯耐性」である材料を包含する。このように、外側カバー２０は、外側カバー２０を再利用可能及び／又は洗濯可能にする材料及び構成体で構成され得る。
【００４６】
外側カバー２０を作製することができる耐久性のある材料は、おむつ、パンツ、下着、高性能衣類、スポーツ衣類、又は一般的な衣類若しくは紡織分野において既知の、任意の天然又は合成繊維材料を含むことができる。耐久性のある材料は、例えば、綿、亜麻布、羊毛、竹、麻布、絹、及び／又はレーヨン等の天然繊維、並びに、これらの繊維のいずれかと他のいずれかとのブレンド、又はこれらの繊維のいずれかと合成繊維とのブレンドで作られる織布又はニット生地を含むことができる。耐久性のある材料の構成要素として使用するのに好適な合成繊維の例には、ポリエステル、ナイロン、スパンデックス及び／又はその他のエラストマー繊維が挙げられる。持続可能な外側カバー材料としてはまた、通気性撥水性材料、例えば、ＧＯＲＥ−ＴＥＸ（Ｗ．Ｌ．Ｇｏｒｅ  ＆  Ａｓｓｏｃｉａｔｅｓ，Ｉｎｃ．，Ｅｌｋｔｏｎ，ＭＤの製品）、マイクロカプセル化相変化ポリマー材料を含む布地、例えば、ＯＵＴＬＡＳＴ  ＣＯＭＦＯＲＴＥＭＰ布地（Ｏｕｔｌａｓｔ  Ｔｅｃｈｎｏｌｏｇｉｅｓ，Ｂｏｕｌｄｅｒ，ＣＯの製品−例えば、米国特許第６，５１４，３６２号、及び同第６，２０７，７３８号参照）、及び／又はＣＯＯＬＭＡＸ（Ｉｎｖｉｓｔａ，Ｗｉｃｈｉｔａ，ＫＳの製品）が挙げられる。
【００４７】
好適な耐久性のある材料は、バーズアイ織物、テリー織、フリース、フランネル、ニット、ストレッチニット、シェルパ、スエード布地、マイクロフリース、サテン、ベロア、バーレイニットなどを含む任意の模様又は織物の形態であり得る。好適な例としては、ＰＯＬＡＲＴＥＣＨ  ＰＯＷＥＲ  ＤＲＹ、ＰＯＷＥＲ  ＳＴＲＥＴＣＨ、及びＷＩＮＤ  ＰＲＯ（Ｐｏｌａｒｔｅｃ，ＬＬＣ（Ｌａｗｒｅｎｃｅ，ＭＡ）の製品）が挙げられる。織布材料又は不織布材料よりも本質的に伸縮性があり弾性であり得るニット生地は、より良好なフィット、快適性及び／又は外観を外側カバー２０に付与することができる。スパンデックス繊維又は他のエラストマー繊維を組み込むことにより、弾性及び弾力性も高めることができ、それにより、そのような弾性繊維を含まない布地よりも良好なフィット、快適性及び／又は外観を外側カバー２０に付与することができる。
【００４８】
耐久性のある外側カバーの材料の特定の好適な例には：レーヨン（９３％）とスパンデックス（７％）繊維；モーダル（９４％）とスパンデックス（６％）繊維；綿とスパンデックス繊維；及び竹とスパンデックス繊維、のブレンドのジャージーニットが挙げられる。約２Ｘ以上の伸張能力を有する材料が望ましくあり得る。材料の好適な例は、１層につき約０．０１４〜０．０２３グラム／ｃｍ２（約０．０９〜０．１５グラム／インチ２）の坪量、又はその他の坪量を有していてもよい。
【００４９】
米国特許出願公開番号第２００８／０１１９８１３号、同２００８／０１１９８１４号、同２００８／０１１９８１５号、及び同２００８／０１１９８１６号に記載される材料及び伸張機構は、外側カバー２０、又は例えば股部区域２６などのそのいずれかの部分の構造及び構成において使用され得る。
【００５０】
耐久性の外側カバーの材料はまた、所望の快適性、外観及び性能を外側カバー２０に付与するように選択されてもよい。ある状況では、広範囲にわたって汚れる又は損傷を受けた場合に、費用及び罪悪感の問題を最小限にして廃棄できるように、十分に安価な耐久性のある外側カバーの材料を選択するのが望ましくあり得る。
【００５１】
半耐久性の外側カバーの材料は、おむつ又はパンツの分野で既知の、任意の天然又は合成の不織布ウェブ及び／又はフィルム材料を包含することができる。外側カバー２０を構成することができる半耐久性の材料としては、使い捨ておむつの構成要素として用いられる不織布ウェブ材料を形成するために使用される、ポリプロピレン及び／又はポリエチレン繊維、ポリエステル繊維、並びに任意のその他の合成繊維、及びこれらのブレンドの不織布ウェブ材料が挙げられ得る。綿、亜麻布、羊毛、竹、麻布、絹、レーヨン等の天然繊維は、外側カバー２０の構成要素層として好適なそのような不織布ウェブを形成するために、合成繊維とブレンドされてもよい。
【００５２】
半耐久性の外側カバーの材料として使用されることが考慮され得る繊維、不織布、及び不織布とフィルムとの積層体の非限定的な例は、米国特許第７，２２３，８１８号、同第７，２１１，５３１号、同第７，０６０，１４９号、同第６，９６４，７２０号、同第６，９０５，９８７号、同第６，８９０，８７２号、同第６，８８４，４９４号、同第６，８７８，６４７号、及び同第５，５１８，８０１号、並びに米国特許出願公開第２００８／０３１９４０７号、同第２００８／００４５９１７号、同第２００７／０２９３１１１号、同第２００７／０２８７９８３号、同第２００７／０２８７３４８号、同第２００７／０２４９２５４号、同第２００７／０２０３３０１号、及び同第２００５／０１６４５８７号に見出すことができる。
【００５３】
半耐久性の外側カバーの材料はまた、所望の快適性、外観及び性能を外側カバー２０に付与するように選択されてもよい。ある状況では、広範囲にわたって汚れる又は損傷を受けた場合に、費用及び罪悪感の問題を最小限にして廃棄できるように、十分に安価な半耐久性の外側カバーの材料を選択するのが望ましくあり得る。
【００５４】
外側カバー２０はまた、又は更に、改善された液体浸透耐性及び／又は弾性特性を提供するために、弾性であってもよい、積層された又は実質的に独立したフィルム層を備えてもよい。弾性特性はまた、外側カバー２０に、例えば、弾性ストランド、バンド、及び／又はスクリムなどを含む他の材料を、層、バンド、又はストリップの方法で加えることにより追加する又は向上させることもできる。フィルム層は、耐久性のある材料又は半耐久性の材料と共に積層されてもよい。
【００５５】
２つのウェブ層の間に挟持された、布若しくは不織布層の線維性構成要素として、フィルム層として、又は予備伸張させた弾性ストランドとして、弾性材料を含めることは、伸張性及び弾性の改善をもたらし、これは例えば、着用者の臀部の上、及び／又は腰部区域の注意で着用者の解剖学的構造及び運動に適合し、フィット及び快適性を改善させるために有用であるものと考えられる。更に、フィルム層を含む場合には、更なる液体収容能力を外側カバーに付与することができる。着用されている状態の外側カバー内に通気性を提供して湿度を低減し、液体収容能力が望ましい場合に皮膚が水分過剰になる可能性を低減するために、フィルム層は、実質的に液体不透過性であるが蒸気透過性であるフィルムを包含してもよい。通気性の良いフィルムは、様々なプロセスによりフィルムを機械的に穿孔又は開口することによってもたらされてもよい。米国特許番号第８，１５８，０４３号、及び米国特許出願公開番号第２０１１／００２４９４０号に、このようなプロセスの実施例が記載されている。
【００５６】
外側カバーの伸張性は、一方向（例えば、横方向のみ）又は二方向（例えば、横方向及び長手方向）であり得る。外側カバーは、横方向及び長手方向以外の方向にも伸張し得る。
【００５７】
予め伸張させた（収縮した）弾性ストランドを含む実施形態において、ストランドは、着用者の腰部周囲に伸張をもたらすために、横方向に向けられてもよい。予め伸張させた弾性ストランドの積層体を含むベルトが、前方腰部区域２７、後方腰部区域２８、又は両方の腰部区域においてもたらされてもよい。後者の実施形態において、前方及び後方腰部ベルトは、材料のウェブによって接続され得る（例えば、不織布、フィルム、又はその積層体）。インサート取り付けゾーンは、ベルト若しくは接続ウェブの少なくとも一方、又は両方の、着用者に面する表面２５上に設けられてもよい。別の実施形態において、インサート５０は、支持をもたらす接続ウェブなしに、ベルト区域に直接取り付けられてもよい。
【００５８】
一実施形態において、図２Ａを参照し、外側表面２４は、耐久性又は半耐久性材料の第１層により形成され得る。選択される材料は、疎水性を有して、かかる第１の層に改善された液体収容特性を提供する繊維を包含することができる。しかしながら、別の実施例において、いくつかの状況において、洗濯された材料が、親水性繊維、又は親水性となるように処理された繊維を含み、材料が通過する液体をより容易に吸収及び／又は送達するようにしてもよい。これは、液体排出物がインサート５０から流出する事象に対して外側カバー２０内に追加の吸収性を提供する、又は液体排出物がインサート５０から流出したことをユーザーに知らせる１つの方法を提供するのに貢献することができる。加えて、いくつかの状況において、選択される材料が、ユーザー及び／着用者が魅力的と感じるような心地よい感触を有するように、柔軟な触覚特性を有することが望ましい場合がある。材料はまた、例えば、色合い、光沢、質感等を非限定的に含む所望の外観を有するように選択されてもよい。
【００５９】
外側カバー２０は、耐久性又は半耐久性材料の単一層から形成されてもよく、又は前方腰部区域２７、後方腰部区域２８、股部区域２６、及び脚部開口部内に２つ以上の層を有してもよい。したがって、図２Ｂを参照すると、代表的な内側表面２５は、耐久性のある材料又は半耐久性の材料の第２の層で形成されてもよい。選択される材料は、疎水性を有して、第２の層に改善された液体収容特性を提供する繊維を包含することができる。しかしながら、別の例では、選択された材料は、親水性繊維、又は親水性になるように処理された繊維を包含するのがある状況では望ましくあり得る。これは、いくつかの状況において、内側表面２５を形成する材料が液体をより容易に吸収するか、又は通過する液体を送達するようにするために、望ましい場合がある。これは、液体排出物がインサート５０から流出する事象に対して外側カバー内に追加の吸収性を提供し、外側カバー２０が漏れる可能性を低減するのに貢献することができる。あるいは、湿気が外側表面２４上で可視であるように湿気を外側カバーの外層まで透過させることにより、液体排出物がインサート５０から流出したことをユーザーに知らせる１つの方法を提供することができる。あるいは、より乾燥したより快適な感触を目的として、皮膚から水分を引き離す傾向がある層を提供するのに役立つ可能性がある。
【００６０】
２つ以上の層（例えば、２つ、又はそれより多くの層）の外側カバー２０を形成することにより、様々な利益を提供することができる。第２の層（及び任意の追加層）は、外側カバー２０全域に、横方向と長手方向の両方の追加の引張り強度を提供することができる。更に、第１の層は第１の一連の特性のために選択されてもよく、第２の層は第２の一連の特性を目的として選択されてもよい。例えば、第１層を形成する材料は、比較的大きな弾性並びに特定の質感、色、及び／又は他の外観に関する特性を有するために選択されてもよく、第２層を形成する材料は、内層とする目的のために、比較的大きな疎水性、親水性、及び／又は肌への柔軟性を有するために選択されてもよく、この２つの層の組み合わせは、外側層２０に対して所望の属性の組み合わせを付与する。例えば、内層は、吸収力、及び流体流出（漏れ）の可能性の低下をもたらすように、親水性の材料で形成されてもよい、及び／又はより親水性になるように処理されてもよいのに対して、外層は、例えば、周囲の汚れを阻止するために、又は内層から外層への液体透過を阻止するために、より疎水性の材料で形成されてもよい。更に、単一層と比べて、複数の層は、より滑らかでより魅力的な外観を目的として、インサートの隆起、角部、シーム、又はその他の特徴を包み隠すように良好に機能する。
【００６１】
再び図２Ａ及び２Ｂを参照し、異なる材料の異なる層を形成することに加え、例えば、外側カバー２０の、対応する前方区域２７、股部区域２６、及び／又は後方区域２８内の異なる材料など、異なる材料による単一層を形成することが望ましい場合がある。このような異なる材料は、内側シーム４０（図２Ｂ）及び／又は外側シーム４１（図２Ａ）などのシームにおいて接合されてもよい。他の実施形態において、２つの異なる特性は、例えば、単一の布地断片に固有であり得る。例えば、後方腰部区域２８の内側表面を主に形成する材料は、主として、着用者の体輪郭の周囲にぴったりとしたフィットを提供し、かつ着用者の動き（すなわち、臀部及び腰回りの周囲）に適合するように良好に機能し得る弾性特徴を目的として選択されてもよい。これに対して、前方腰部区域２７及び／又は股部区域２６の内側表面を主に形成する材料は、主として、液体排出物を収容するように良好に機能し得る疎水性又は親水性を目的として選択されてもよい。
【００６２】
外側カバー２０の層又はその他の要素は、例えば、接着剤、機械的結合、超音波接合、縫合、縫製、縁かがり、縁取り等の任意の好適な機構によって互いに結合されてもよい。
【００６３】
上記の構造及び材料に加えて、又はこれに代えて、外側カバー２０が構成されてもよく、２０１０年１月１４日に出願された、Ｄｏｎａｌｄ  Ｃ．Ｒｏｅによる、米国特許出願公開番号第２０１０／０１７９４９５号、同第２０１０／０１７９５０３号、及び同第２０１１／０１７２６２８、各表題「ＲＥＵＳＡＢＬＥ  ＯＵＴＥＲ  ＣＯＶＥＲ  ＦＯＲ  ＡＮ  ＡＢＳＯＲＢＥＮＴ  ＡＲＴＩＣＬＥ」、「ＲＥＵＳＡＢＬＥ  ＯＵＴＥＲ  ＣＯＶＥＲ  ＦＯＲ  ＡＮ  ＡＢＳＯＲＢＥＮＴ  ＡＲＴＩＣＬＥ  ＨＡＶＩＮＧ  ＺＯＮＥＳ  ＯＦ  ＶＡＲＹＩＮＧ  ＰＲＯＰＥＲＴＩＥＳ」、及び「ＬＥＧ  ＡＮＤ  ＷＡＩＳＴＢＡＮＤ  ＳＴＲＵＣＴＵＲＥＳ  ＦＯＲ  ＡＮ  ＡＢＳＯＲＢＥＮＴ  ＡＲＴＩＣＬＥ」に記載される材料及び機構を含んでもよい。外側カバー２０はまた、不織布材料、若しくはその積層体、フィルム、及び／又はフィルム／不織布積層体など、使い捨てオムツの製造において使用される材料から構成され得る。このような外側カバーは、使い捨てであるか、又は２回以上再利用可能であり得る。
【００６４】
外側カバー２０はまた、異なる特性を有する１つ以上の材料から形成され得る。一実施例において、外側カバー２０は、単一の材料から形成され得る（締結具、若しくは締結具受容構成要素、又は他の「付加」構成要素を含まない）。この単一の材料は、その領域を通じて異なる特性を有し得る。例えば、単一の材料は、ある領域において、別の領域と比較した際に、より高い弾性、又は他の特性を有し得る。材料はまた、異なる特性を有する３つ以上の領域を有してもよい。これらの異なる特性は、例えば、様々な領域においてより厚い、又はより薄い材料により形成され得る。材料は、追加的な弾性ストランド、ストリップ、又はバンドが外側カバー２０に対して全く、又はほとんど追加する必要がないように、エラストマーであってもよい。
【００６５】
伸縮性ウエストバンド、脚部バンド
図１Ａ、図２Ａ及び図２Ｂを再び参照すると、前方ウエストバンド部分３４、後方ウエストバンド部分３５、及び脚部バンド部分３６が図示されている。これらバンド部分３４、３５、３６の１つ以上は、スパンデックス又はスパンデックスと他の繊維とのブレンドなどのエラストマー材料を含む１つ以上のストランド又はストリップで形成されてもよく、このストランド又はストリップは、外側カバー２０の内層及び／又は外層を形成する材料の縁部を包含し得る不織布又は繊維材料に被包されて、それぞれのバンド部分を形成しかつ弾性を持たせる。弾性材料は、ピンと張った状態で、又は加えられた歪ゼロで、外側カバー層に又は外側カバー層内に固定され得る。他の実施形態において、外側カバーの材料は、別個の弾性材料の存在なしに、ウエストバンドをもたらしてもよい。弾性ストランド又はストリップを被包する繊維材料は、弾性ストランド又はストリップの周囲に縫い付けられて、それらをそれぞれのバンド部分の中の定位置に保持することができる。製造プロセス中に、これらのバンド部分を形成するために弾性材料が被包される及び固定される前に及びその間に、弾性材料がピンと引っ張られると、弛緩の際に、被包材料及び隣接する外側カバーの材料にギャザーが寄り、それに沿って波打ち構造（ruffle）３７が形成され、ギャザーの付いた外側カバー材料をもたらす。これは、ぴったりとしたフィット、着用者の快適性及び外観を改善するのを助けることができる。バンド部分は、外側カバーの縁部に沿って配置されてもよく、ある状況では、外側カバー２０が着用されている間、着用者の脚及び／又は腰部を実質的に若しくは完全に包囲するバンドを形成するように、脚部及び／又は後方腰部開口部の実質的に全長に沿って位置付けられたバンド部分を備えるのが望ましくあり得る。ラッフル３７内のギャザー材料は、ウエストバンド部分３４、３５、並びに脚部バンド部分３６の伸張に適合するのに役立つ場合がある。記載されたような伸縮性脚部バンド部分３６を含むこの構成は、着用者の脚の周囲により良好なフィットをもたらすことができるだけでなく、適切に寸法設定されかつ成形された材料で形成された場合に、外側カバー２０が着用されたときに股部区域２６にパウチ様構造体７５（図１Ａ参照）を形成するのを可能にすることができ、このパウチ構造体７５は、外側カバー１０内にインサート５０（図３）を収容するための空間を提供し、かつインサート５０を外側カバー２０内の適所に、股部区域２６内で実質的に横方向に中心合わせされた位置に保持するのを助けるように機能し得る。このことは、以下に更に説明されるように任意の長手方向中間位置にではなく、インサート５０の各末端部の近くのみに位置決めされた締結具構成要素によって、インサート５０が外側カバー２０内に取り付けられる例において有利であると考えることができる。あるいは、又は代替として、ウエストバンド部分３４、３５及び脚部バンド部分３６の弾性ストランド又はストリップは、外側カバー２０内のそれぞれの端部の位置又は端部の近くのみ、例えば、外側カバーの材料で形成されたパウチ状、管状又は被包構造体の中に固定されてもよい（本明細書では「引きひも弾性」とも呼ばれる）。これにより、弾性材料及び関連する外側カバーの材料は、互いに自由に及び独立して伸張及び移動することができることになり、フィット及び快適性を促進することができる。そのような弾性脚部バンド部分３６によってもたらされる着用者の脚の周囲のぴったりとしたフィットは、着用可能な吸収性物品１０の収容能力を高める働きをすることができる。
【００６６】
ウエストバンド部分３４、３５及び脚部バンド部分３６の１つ以上は、上記のやり方で、又はその他の手段によって弾性を持たされてもよい。例えば、弾性ウエストバンド及び脚部バンド、又は従来の布製下着、ブリーフ、若しくはその他の衣料品のその他のバンド機能を形成するために使用されるような弾性のあるバンド／ストリップ材料は、独立して製造されて、その製造中に、外側カバー２０を形成する材料に任意の好適な方法で固定されてもよい。
【００６７】
別の例では、ウエストバンド部分３４、３５及び脚部バンド部分３６の１つ以上は、接着剤及び／又は圧縮結合を用いて、脚部開口部及び／又は腰部開口部の縁部の周囲に簡単に固定された弾性材料で形成されてもよい。別の実施例において、弾性ストリップ材料は、複数の歪んだ弾性ストランド、又はストリップを、歪んでいない不織布ウェブ材料又はフィルムの１つ以上のストリップへと固定することによって形成され得る。得られた弾性ストリップ材料を弛緩させると、未延伸の材料は、ギャザーの付いた未延伸の材料を含む横皺を形成し、弾性ストリップ材料の伸縮に適合することになる。ウエストバンド部分３４、３５及び／又は脚部バンド部分３６の１つ以上に弾性ストリップ材料を固定することにより、この弾性ストリップ材料を使用して、弾性ウエストバンド部分３４、３５及び／又は脚部バンド部分３６の１つ以上を形成することができる。
【００６８】
固定バンド
別の実施形態において、外側カバー２０はまた、図２Ａ、図２Ｂに示されたような外側カバー後面区域２８上又はその区域内に配置された固定バンド３８などの固定強化部材を含んでもよい。固定バンドは、外側カバーが二方向の伸張、又は多方向の伸張を有するときに、特に重要であり得る。このような実施形態において、固定バンドは、インサートが身体排泄物により充填されるとき、又は少なくとも部分的に充填されたときに、吸収性物品（すなわち、外側カバー及びインサート）が着用者からずり落ちるのを防ぐか、又は少なくとも抑制することができる。様々な固定バンドがまた、股部区域２６、並びに／又は腰部区域２７及び２８内へと、及び／又はこれを通じて延びてもよい。一実施形態において、１つの固定バンドが、別の固定バンドを横断してもよい。例えば、１つの固定バンドがインサートの第１角部の近位から、インサートの対角線上反対の隅部へと延びてもよく、別の固定バンドは、インサートの第２隅部の近位から、インサートの対角線反対側の隅部へと延びてもよく、これにより固定バンドのＸ状の形状が形成される。図２Ａ及び図２Ｂにおいて提示されるように、固定バンド３８は、層に沿って固定されるか、又は層の間に配置され、外側カバー２０の内側表面２５及び外側表面２４を形成してもよい。固定バンド３８は、外側カバー２０の後方角部に近い位置又は締結耳部２９に近い位置に固定される、材料のエラストマーの又は弾性のストリップ又はバンドを含んでもよい。したがって、固定バンド３８は、固定バンド３８の末端部のみによって、又は固定バンド３８の限定された数の選択された中間部横方向位置においてのみ外側カバー２０に取り付けられるので、固定バンド３８は、外側カバー２０の内側表面２５及び外側表面２４を形成する層から、その横方向長さに沿って外側カバー２０の他の層から部分的に又は実質的に力分離（force-decoupled）され得る。例えば、固定バンド３８は、固定バンド３８の端部においてのみ、外側カバー２０に取り付けられてもよい。別の例では、固定バンド３８は、固定バンド３８の末端部においてのみ、又は固定バンド３８の横方向中心においてのみ、外側カバー２０に取り付けられてもよい。この実質的な力分離構成は、固定バンド３８及び外側カバー２０の周囲部が伸張し、互いに実質的に独立して動くことを可能にし、これがより良好なフィット及び快適性を促進し得る。しかしながら、別の例では、固定バンド３８は、固定バンド３８の実質的に全長に沿って、外側カバー２０の内側表面２５及び外側表面２４のいずれか又は両方を形成する伸縮性材料の層と積層された、ないしは別の方法でこの層に固定された、弾性バンド、ストリップ又はストラップであってもよい。
【００６９】
着用者に適用するために横方向に引っ張られると、固定バンド３８は、着用可能な吸収性物品１０の横方向張力を着用者の腰部の周囲に提供する（又は補完する）ように機能して、腰部開口部をゆるやかに引き、フィットを強化し、かつ着用者の腰部の周囲への着用可能な吸収性物品１０の固定を強化する傾向がある。固定バンド３８の弾性特性（例えば、弾性係数及び最大弾性伸張）は、周囲の、隣接する、又は同一の広がりを持つ外側カバー材料の弾性特性よりも高いか、又はこれと異なる場合がある。
【００７０】
別の例では、図２Ａ及び図２Ｂの固定バンド３８の図示された位置によって示されるように実質的に横方向に配向されるのではなく、又はこれに加えて、固定バンドを形成する１つ以上の部材は、長手方向と横方向との間に斜めに配向されてもよい。例えば、図２Ａに示したように、一対の斜めの固定バンド３８ａは、外側カバー２０の角部及び／又は締結耳部２９に近接する位置エリアにおいて固定されるそれぞれの腰部末端部を備えてもよく、図２Ａに示したように、外側カバー２０の横方向及び長手方向両方の中心に向かってそれぞれ延びてもよい。固定バンド３８ａの対応する中央端部は、図２Ａに示されるように、外側カバー２０の横方向中央に近接する位置において、外側カバー２０に固定されてもよく、上記のように、固定バンド３８ａは、固定バンド３８ａの長さに沿って外側カバー２０に力分離、又は力結合され得る。以下に更に記載されるように追加的な長手方向支持を目的としてインサート５０が固定バンドに接続される例では、斜めの固定バンド３８ａなどの斜めの固定バンドは、外側カバー２０に沿った追加の長手方向張力を提供して、その中に追加の長手方向支持を提供するように機能することができる。
【００７１】
一実施形態において、１つ以上の固定バンドが実質的に横方向で、着用者を包囲してもよい。これらの固定バンドは、上記の固定バンドに取り付けられるか、その中に形成される、別個のバンドであり得る。あるいは、高弾性特性の固定バンドがまた、外側カバーの構造内に設置されてもよい。例えば、横方向に位置する弾性バンドを含む外側カバーにおいて、固定バンド区域内にあるストランドは、外側カバーのその部分に高弾性率をもたらすために、より高いデニール、又はより低いストランド間隔を有し得る。
【００７２】
外側カバーの非対称性
外側カバー２０のフィット、着用者快適性、及び外観を向上させる及び／又は最大にするために、意図される着用者の解剖学的輪郭及び体の動きに適合するように外側カバー２０を形作るのが望ましい場合がある。例えば、図２Ａ及び図２Ｂに示されるように、外側カバー２０は、後方腰部区域２８において前方腰部区域２７と異なる形状及び／又は前側区域２７よりも大きな材料表面積を有してもよい。下胴部／腰回り／太腿区域の人体構造は、体の横平面を中心に非対称である、すなわち、人体の前側の幾何学的形状は後側の形状と異なる。より良好なフィット及び快適性を提供するために、外側カバーの形状及び伸縮性などの機能性は、適宜適合され得る。後方腰部区域２８における異なる形状及び／又はより大きな材料表面積は、着用者の動作（例えば、座る及び／又は腰の位置で体を前に曲げる）を通して臀部をより良好に覆うのに役立つことができ、前方腰部区域２７における小さい材料表面積は、特に着用者が座る及び／又は腰の位置で体を前に曲げるなどといった姿勢にあるときに、材料が塊化する及び／又は着たときの外観が悪くなるのを回避するのに役立つことができる。その結果、外側カバー２０の形状又は表面積は、外側カバー横方向軸４５に対して非対称であってもよい。
【００７３】
この説明の目的上、外側カバー２０に関して用いられる場合、「非対称な」及び「非対称」とは、外側カバー横方向軸４５の片側の特徴、幾何学的形状（例えば、形）、材料及び／又は構成体が、外側カバー横方向軸４５の反対側のそれらと、いくつかの点で実質的に異なることを意味する。そのような非対称な構成体は、着用可能な吸収性物品の収容／吸収性能、快適性、フィット及び／若しくは外観を改善するために、並びに／又は材料の使用を節約するために、意図される着用者の前側と後側で異なる身体特徴及び機能に適合するように設計された外側カバー２０の様々な特徴を有することによりもたらされる。「非対称な」及び「非対称」は、純粋に表面装飾又は表面的な色合い；インサートの締結（例えば本明細書に記載の締結ゾーンなど）；外側カバーを束ねる、折り畳む、保管する、又は運搬する；外側カバー２０内でインサートの向きを定める（又はその逆）ための印（例えば本明細書に記載の向きの印）の目的だけのため、又は着用可能吸収性物品１０の性能、快適性、フィット及び／若しくは物理的外観に影響を与えるための、並びに／又は材料の使用を節約するための、意図される着用者の前側と後側で異なる身体特徴及び機能に実質的に関連しない他の目的のために、外側カバー２０上に含まれる場合がある特徴に起因する外側カバー横方向軸４５に対する違いを指さない。
【００７４】
非対称の別の例では、様々な組成、構成及び／又は特性の材料は、後方腰部区域２８と比べて、前方腰部区域２７を主に形成してもよい。例えば、後方区域２８を形成する材料は、前方区域２７を形成する材料と比べて、改善された伸張／弾性特性を目的として選択されてもよい。この例では、改善された伸張／弾性特性を有する材料は、臀部の輪郭上でより良好に適合、伸張、及び収縮し、かつ、座る及び腰の位置で体を前に曲げるなどの体の動きに適合して、より良好な被覆及びフィットを提供するように機能してもよい。
【００７５】
非対称の更なる例では、外側カバー２０は、前側領域２７と後側領域２８とで異なる、弾性バンド、固定バンド及び／又は他の部材などの構造を有してもよい。
【００７６】
非対称の更なる例では、外側カバー２０を形成する材料は、前側領域と後側領域とで異なるレベルの親水性及び／若しくは疎水性、異なるレベルの通気性、異なる摩擦係数、並びに／又はその他の異なる機能的属性を有していてもよい、又はこれらが付与されてもよい。
【００７７】
したがって、外側カバー横方向軸４５に対する外側カバーの非対称は、ただ１つの前方区域とただ１つの後方区域とを有するような外側カバー２０の設計及び構成の結果であり、すなわち、外側カバー２０のフィット、快適性、性能及び外観が最適であるとしたら、前方区域及び後方区域は互換不可能であることが理解される。
【００７８】
可能な吸収性インサートの詳細の例
吸収性インサート５０の特徴の例が、図３、図４及び図５Ａ〜図５Ｆを参照して説明される。
【００７９】
上記のように図３は、斜視図として示される、本明細書において記載される、着用可能な吸収性物品１０の内側構成要素を形成し得る、使い捨て吸収性インサート５０を示し、外側カバー２０とは別個に、自立し、弛緩した状態で示され得る。図４は、身体に面する表面が見る人に面している、（図３に示されるのと同様の位置にもたらされる弾性に誘発される収縮に逆らって）伸張され、平坦に配置されたものとして示される吸収性インサート５０の例を図示している。図５Ａ〜図５Ｆは、図４で示されたインサート５０の断面図を様々な可能な例で示している。
【００８０】
インサート５０は、以下に更に説明されるもののような吸収性コア材料のための外被様エンクロージャを形成するトップシート５１及びバックシート５２を備えてもよい。トップシート５１及びバックシート５２は、長手方向シーム６４に沿って、及び横方向シーム６９に沿って互いに固定されてもよい。インサート５０はまた、これに沿って固定される長手方向起立カフ５３を有してもよい。
【００８１】
トップシート
トップシート５１は、液体透過性不織布ウェブ材料で形成されてもよい。トップシート５１を形成する材料は、着用者の皮膚に順応し、柔軟な触感で、刺激がないのが望ましくあり得る。トップシート５１の少なくとも一部分は液体透過性であり、液体がその厚さを簡単に貫通することができるのが望ましくあり得る。適切なトップシートは、例えば、多孔質発泡体、網状発泡体、有孔プラスチックフィルム、有孔不織布材料、又は天然繊維の不織布材料（例えば、木材繊維又は綿繊維）、合成繊維（例えば、ポリエステル繊維又はポリプロピレン繊維）、若しくは天然繊維と合成繊維との組み合わせの織布若しくは不織布材料などの、広範囲の材料から製造されてもよい。トップシート５１が繊維を含む場合、繊維は、スパンボンド処理、カード処理、湿式堆積処理、メルトブロー処理、水流交絡処理、ないしは当業者に既知の別の方法で処理されてよい。
【００８２】
ある状況では、トップシート５１の少なくとも一部分は、吸収性コア７１に含まれる液体から着用者の皮膚を隔離するために、疎水性材料で作製される、又は疎水性になるように処理されるのが望ましくあり得る。トップシート５１を主に疎水性材料で作製する場合、トップシート５１の上面の少なくとも一部分を親水性になるように処理して、液体がトップシート５１を通ってより迅速に移動するようにするが望ましくあり得る。トップシート５１を、界面活性剤で処理することにより、又は界面活性剤をトップシート５１中に組み込むことにより、親水性にすることができる。
【００８３】
バックシート
バックシート５２は一般的に、インサート５０の衣類に面する表面を形成する、その外側線形部分であり、インサート５０内に吸収され、収容された排泄物が、外側カバー２０を通じて吸い上げられ、汚れるのを防ぐか、又は少なくとも抑制する。いくつかの状況において、バックシート５２は液体に対して実質的に不透過性であることが望ましい場合がある。
【００８４】
バックシート５２は、フィルム、不織布、又はフィルムと不織布との積層体で形成されてもよい。バックシート５２は、実質的に液体不透過性の積層体又はフィルムと不織布ウェブとの複合体で形成されてもよい。バックシート５２は、液体排出物を収容し、かつ外側カバー２０、外側衣類及び／又は着用者の環境から隔離するように、実質的に液体不透過性の不織布ウェブ、又は不織布ウェブと実質的に液体不透過性のフィルムとの積層体で形成されてもよい。同時に、インサート５０及び着用可能吸収性物品１０の通気性を提供して、インサート５０と着用者の身体との間の領域の湿度を低減し、皮膚の水分過剰が原因で生じる場合がある皮膚のかぶれ及び／又は発疹の可能性を低減するのを助けるために、バックシート５２は蒸気透過性であってもよい。バックシート５２は、当該技術分野において既知の任意の好適な取り付け手段によって、インサート５０のトップシート５１、吸収性コア７１又は任意のその他の要素に結合され得る。
【００８５】
本明細書において記載される外側カバー２０は、伸縮して着用者の解剖学的特徴及び体の動きに適合することによって、着用者の排泄物の排出に起因する吸収、膨張、及び付加重量により一般に使い捨ておむつに与えられる構造負荷の大部分に耐えかつこれを支持するような材料及び構成体で構成され得ることは理解されるであろう。そのため、使い捨ておむつの内部構成要素に要求される強度と比べて、そのような外側カバー２０を使用する場合には、インサートの構造強度の要件が少なくなる可能性がある。したがって、本明細書において記載されるような着用可能な物品は、石油に由来する材料（例えば、ポリエチレン、及びポリプロピレン）など、使い捨てオムツの製造において通常使用されるものとは異なる材料から製造された、使い捨て吸収性インサートを含み得る。例えば、上で特定された材料の他に、木材、綿、亜麻（亜麻布）、麻布、竹、又は他のセルロース繊維（例えば、紙）の製品で形成されたトップシート、バックシート、起立カフ及び／又は他の構成要素の１つ以上を有する使い捨て吸収性インサートが想到される。例えば、バックシート及び／又は起立カフにとって水性液体浸透性に対する耐性又は実質的な液体不透過性が望ましい場合、紙などの通常の親水性繊維で形成された材料に、皮膚適合性の油又はワックスなどの疎水性材料をコーティングする又は浸透させて、水性液体浸透性に対する所望の耐性を付与することができる。インサートを形成する材料のそれぞれは、水又は水溶液中に分散する、フラッシャブルである、生分解性である、及び／又は（好ましくは農業関連で使用可能な腐植土又は土壌改良に）コンポスタブルであるように選択されてもよい。
【００８６】
吸収性コア
一実施形態において、図５Ａ〜Ｆを参照し、インサート５０は、トップシート５１、及びバックシート５２により形成される、エンベロープ状の構造内に吸収性コア７１を有してもよい。吸収性コア７１は、一般に圧縮性であって、適合性があり、着用者の皮膚に対して非刺激性であり、尿などの液体及び他のある種の身体排泄物を吸収して保持することができる、任意の吸収性材料を含んでもよい。吸収性コア７１は、一般にエアフェルトと呼ばれている粉砕木材パルプ等といった、使い捨ておむつ及び他の吸収性物品に通常使用される多種多様な液体吸収性材料を含んでもよい。
【００８７】
吸収性コア７１は、液体獲得／分配材料６５、及び貯蔵材料６６を含み得る。一般に、獲得／分配材料６５は、比較的迅速な吸収特性及び吸上特性を有し得るが、限定された吸収能力を有してもよい。反対に、一般に、貯蔵材料６６は、比較的遅い吸収特性及び吸上特性を有する場合があるが、より大きな吸収能力を有してもよい。つまり、獲得／分配材料６５は、尿などの液体の流出を迅速に吸収及び分配する役割を果たし得る一方で、より大きな吸収能力を有する貯蔵材料６６は、獲得／分配材料からかかる液体を吸収して、それをインサート５０が交換され得るまでの必要な時間貯蔵する役割を果たし得る。
【００８８】
起立カフ
インサート５０はまた、その長手方向長さに沿って部分的に又は全体的に取り付けられる一対の長手方向起立カフ５３を有してもよい。好適な長手方向起立カフ（種々の公開された例では「レッグカフ」、「バリアカフ」、「ガスケッティングカフ」等と指定されている）は、次の文献に記載されているがこれらに限定されないもののような材料及び構成体で形成され得る：米国特許第６，７８６，８９５号；同第６，４２０，６２７号；同第５，９１１，７１３号；同第５，９０６，６０３号；同第５，７６９，８３８号；同第５，６２４，４２５号；同第５，０２１，０５１号；及び同第４，５９７，７６０号；並びに米国特許出願公開番号第２００７／０２３９１３０号及び米国特許番号第８，００２，７６０号。図３に示されるように、起立カフ５３は、それに沿って長手方向に配置されるカフ弾性体５８ａ、５８ｂの１つ以上のストランド又はストリップを有してもよい。そのようなカフ弾性体５８ａ、５８ｂが、起立カフ５３を形成するウェブ材料に固定される前に予めピンと張られると、これに沿って生じる長手方向張力は、起立カフ５３を形成するウェブ材料に図示のようなギャザーを寄せ、かつカフ５３をインサート５０の本体から（図３に関しては上方に）延出させる、つまりカフを「起立」させる。この特徴により、起立カフ５３は、インサート５０を包含する着用可能な吸収性物品１０が着用されると、排泄物が排出される解剖学的特徴の両側に長手方向に、着用者の身体に沿ってガスケット構造を形成する。このように、起立カフ５３は、インサート５０の、そして結果として着用可能な吸収性物品１０の排出物収容能力を強化するように機能し得る。バックシート５２と同様に、起立カフ５３は実質的に液体不透過性ウェブで形成されて、液体排出物を収容し、かつ外側カバー２０、外側衣類及び着用者の環境から液体排出物を隔離することができる。同時に、インサート５０及び着用可能吸収性物品１０の通気性を提供して、インサートと着用者の身体との間の領域の湿度を低減し、皮膚の水分過剰が原因で生じる場合がある皮膚のかぶれ及び／又は発疹の可能性を低減するのを助けるために、起立カフ５３は蒸気透過性であってもよい。
【００８９】
一実施形態において、弾性カフは、当該技術分野において既知であるように、緩慢に回復するエラストマーから作製され得る。これは、長手方向に伸張された際に、インサートが短時間（数秒間）にわたって平坦になることを可能にし、よってユーザーがカフの予備収縮に対応することを必要とせずに、外側カバー上にインサートを位置付けるためのいくらかの時間をもたらす。
【００９０】
別の例では、例えば、非限定的な例として、米国公開出願第２００７／０２３９１３０号に記載されるように、起立カフ５３を形成する材料は、バックシート５２を形成する材料と一体であってもよい。この特定の例では、図３を参照すると及びこれと関連して、連続した１枚の材料は、一方の起立カフ５３を形成し、インサートの下を包み込んでバックシート５２を形成し、反対側を上方に包み込んでもう一方の起立カフ５３を形成することができる。このラップアラウンド構造の例は、起立カフ５３と、バックシート５２と、を含む外側の液体を収容する面に沿ったシームを排除することにより、インサート５０に改善された液体収容能力を提供することができる。この構造の別の例は、米国特許第４，８０８，１７８号に図示及び記載されている。
【００９１】
しかしながら、ある状況では、製造上の制約及び／又は経済的制約がこのような構造を阻む場合がある、あるいは、起立カフ５３及びバックシート５２を形成する材料は異なる特性を有するのが望ましい場合がある。例えば、用途によっては、起立カフ５３が、依然として流体をはじき、かつ収容する傾向があり得るが、一般に、フィルムなどの実質的に液体不透過性の積層体よりも通気性の良い、近接して位置する疎水性繊維を含む不織布ウェブ材料で別の方法により形成される場合、起立カフ５３が実質的に液体不透過性であることが必要がないと考えられる可能性がある。この場合、図３に示されるように、起立カフ５３を形成する材料でインサートの下側にある長手方向角部の下を部分的にのみ包み込み、この材料を、最も外側の下側角部ではなく、インサートの下のシームで固定することによって、改善された強度及び液体収容特性を依然として付与することができる。この構成の一例は、米国特許出願番号第７，６９５，４６３号、詳細にはその図１３と関連説明文に示され記載されている。
【００９２】
図６Ａ〜６Ｈを参照し、本発明に記載されるタイプのインサートにおいて特に有益であり得る工場した排泄物収容機能のために、インサート５０は、二重ガスケットシステムを含み得る。二重ガスケットシステムは、上記の弾性起立カフ５３、及び外側カフ弾性部材１７７を含み、インサート５０の長手方向側縁部１８２を画定する外側カフ１７４の双方を含み得る。外側カフ弾性部材１７７は、起立カフ５３及びトップシート５１の基部又は取り付けた近位部分を形成する材料、又は長手方向側縁部に沿ったトップシート５１及びバックシート５２を形成する材料、又は更に別個の外側カフ材料１８０の一部など、他の材料層の間に挟持、及び／又は封入されてもよい。
【００９３】
外側カフ弾性部材１７７は、バリアカフ弾性部材５８ａ、５８ｂと同じ又は異なる弾性材料から形成され、１つ以上の長手方向に向けられたストランド、バンド、ストリップなどの形態であり得る各外側カフ１７４内にあり得る。外側カフ弾性部材１７７は、製造中に予め歪ませた状態で構造内に設置されてもよく、それにより、製造が完了し材料が弛緩する際に、外側カフ弾性部材１７７が長手方向に収縮し、これらを収容する材料を部材１７７の近位の領域において長手方向にギャザリングさせる。ギャザリングした材料及び収容される弾性部材１７７は、弾性伸張及び収縮をもたらし、着用者の脚部の周囲でぴったりとフィットするガスケット構造を形成する、外側カフ１７４を形成する。
【００９４】
外側カフ弾性部材１７７は、取り付け部１７９の長手方向線のほぼ横方向外側に配置されてもよく、この長手方向線に沿って起立カフ５３を形成する材料が片側でインサートに取り付けられ、もう一方はインサートから離れるように自由に延びている。外側カフ弾性材料を挟持又は封入する材料（例えば、トップシート５１及びバックシート５２を形成する材料）、又は起立カフ５３及びトップシート５１を形成する材料、及び／又は外側カフ１７４を別個に形成する材料１８０は、例えば、接着剤結合、熱結合、圧力結合、若しくはこれらの組み合わせを含む、任意の好適な手段によって長手方向経路に沿って、弾性部材１７７の近位で一緒に結合されて、これらを収容する材料内の比較的固定された横方向位置に弾性部材１７７を保持し得る。
【００９５】
図６Ａ〜６Ｈの比較から明らかであるように、起立カフ５３を形成する材料は、様々な構成で配置され得、重複している、又はしていない外側カフ１７４の一部を形成し得る。例えば、図６Ａ〜６Ｄに示されるように、外側カフ１７４は、外側カフ弾性部材１７７を組み込むことによって、インサート５０の長手方向側縁部に沿ってトップシート５１及び／又はバックシート５２を形成するウェブ材料から効果的に形成され得る。この構成は、製造効率、及び材料コストの調整のために望ましい場合がある。あるいは、図６Ｅ〜６Ｈに記載されるように、外側カフ１７４は、別個のウェブ材料１８０により形成されてもよく、これは、外側カフ弾性部材１７７を挟持又は封入し、インサートの他の材料に取り付けられて、その長手方向側縁部１８２を効果的に形成する。この構成は、例えば、快適性若しくは外観、又は更に材料コスト調節の目的のために、外側カフ材料の選択をより柔軟にするために望ましい場合があり、外側カフ１７４を形成するために使用される、選択される材料１８０は、バックシート５２及び／又はトップシート５１を形成する材料よりも安価であり得る。
【００９６】
記載のように、起立カフ５３は、任意の好適なウェブ材料から形成され得るが、好ましくは、効果的に液体不透過性であり、一方で蒸気透過性である好適なウェブ材料から形成され、着用者の液体排泄物がインサート内に収容される一方でインサートが「呼吸」できるようになり、インサート内の過剰な水分（これは着用者の皮膚を過剰に水和し、おむつによる湿疹などの条件を助長する）が回避される。液体透過性トップシート５１及び液体不透過性起立カフ５３を接合する長手方向シームにおいて、液体排泄物が漏れる可能性を低減するために、接着剤材料の長手方向の、実質的に連続的な堆積が、起立カフ５３を形成する材料と、バックシート５２を形成する材料との間に含まれることが望ましい場合がある。起立カフ５３が、これを形成するウェブ材料の近位縁部１８１が、取り付け線１７９の横方向外側に位置するように構成されるとき（例えば、図６Ａ、６Ｂ、６Ｃ、６Ｅ、６Ｇ）、接着剤の堆積が、取り付け線１７９、又はその横方向外側に配置される。起立カフ５３が、これを形成するウェブ材料の近位縁部１８１が、取り付け線１７９の横方向内側に位置するように構成されるとき（例えば、図６Ｄ、６Ｆ、６Ｈ）、接着剤の堆積が、取り付け線１７９、又はその横方向外側に配置される。このような接着剤の堆積は、起立カフ５３を、トップシート５１及びバックシート５２を含むインサート構造に接着することと、トップシート５１を形成する不織布ウェブ材料の繊維の間の間隔に浸透しこれを充填し、取り付け線１７９に沿って液体バリアをもたらすこととの両方に役立ち得る。
【００９７】
起立カフ５３、及び別個の材料１８０で形成される場合（例えば、図６Ｅ〜６Ｈ）、外側カフ１７４は、上記の（又は上記にて参照として本明細書に組み込まれ、起立カフの記述として参照される）材料のいずれから形成され得、又は使用される二重脚部ガスケットシステム内に内側バリアを形成するために使用され得る、下記の材料のいずれかから形成され得る。
【００９８】
外側カフ１７４のガスケット構造は、インサート内から着用者の排泄物が漏れる可能性を低減するために、起立カフ５３のガスケット構造を補強及び補完するために望ましい場合がある。
【００９９】
更なる実施例において、インサートは、統合二重脚部ガスケットシステム１７０を含むことがある。図６Ｉ、７Ａ〜７Ｄ、及び８Ａ〜８Ｐは、統合二重脚部ガスケットシステムの実施例の概略断面図を示す。統合二重脚部ガスケットシステム１７０は、内側バリアカフ折り返し縁部１７２、及び内側バリアカフ材料縁部１７３を含む、内側バリアカフ１７１を含み得る。統合二重脚部ガスケットシステム１７０は更に、外側カフ折り返し縁部１７５、及び外側カフ材料縁部１７６を含む、外側カフ１７４を更に含み得る。システムは、着用者の身体の周囲に、１つではなく、２つのガスケット構造をもたらし、これは排泄物収容機能を向上させ、外側カバーが着用者の排泄物により汚される可能性を低減し得る。加えて、システムは、比較的効率的な製造、及び材料の使用に役立ち得る。
【０１００】
一実施例において、統合二重脚部ガスケットシステム１７０は、ガスケット材料８２の単一ウェブで形成されてもよい。（本明細書において、材料の「単一」ウェブから形成される構造とは、構造が、構造を通じて連続的である材料のウェブから形成され、すなわち、ウェブ材料のいくつかの切断、及び接合された部分から形成されるのではないことを意味する）材料の単一ウェブから形成される、統合二重脚部ガスケットシステムは、２つ以上のウェブ材料を有する実施例に対して、コスト面での利益をもたらし得る。更に、ガスケット材料の単一ウェブから形成される実施例は、ウェブ材料の２つ以上の部分を接合するために使用され得る、機械的結合から生じる孔を生じることなく形成され得るため、漏れを生じる可能性がより低くなることがある。また、材料の単一ウェブから形成される実施例は、見える結合部が少なくなるか、又はなくなるように製造され得るために、審美的により心地の良いものとなり得る。
【０１０１】
一実施例において、統合二重脚部ガスケットシステム１７０は、内側バリアカフ折り返し縁部１７２、及び内側バリアカフ材料縁部１７３からなる、内側バリアカフ１７１を有してもよい。統合二重脚部ガスケットシステム１７０は更に、外側カフ折り返し縁部１７５、及び外側カフ材料縁部１７６を含む、外側カフ１７４を更に含み得る。一実施例において、材料のウェブは、外側カフ折り返し縁部１７５を形成するために横方向内側の上に折り返され、内側バリアカフ折り返し縁部１７２を形成するために横方向外側の上に折り返されてもよい。一実施例において、統合二重脚部ガスケットシステム１７０は、インサートの前方における横方向シーム６９から、インサートの後方における横方向シーム６９へと延びてもよく（図４参照）、前方横方向シーム６９と後方横方向シーム６９との間の長手方向位置において、内側バリアカフ折り返し縁部１７２と外側カフ折り返し縁部１７５との間で、トップシート５１及び／又はバックシート５２に接合されてもよい。一実施例において、外側カフ材料縁部１７６は、内側バリアカフ材料縁部１７３の横方向内側に配置されてもよい。
【０１０２】
一実施例において、外側レッグカフ１７４は、外側カフ折り返し縁部１７５と、外側カフ材料縁部１７６との間の、横方向の配列に位置付けられた外側カフ弾性材料１７７を含んでもよく、外側レッグカフ１７４は任意により、少なくとも２つの外側カフ弾性材料１７７、少なくとも３つの弾性部材１７７、少なくとも４つの外側カフ弾性部材１７７、少なくとも５つの外側カフ弾性部材１７７、又は少なくとも６つの外側カフ弾性部材１７７を含み得る。一実施例において、外側カフ弾性部材１７７は、外側カフ折り返し縁部１７５と、内側バリアカフ材料縁部１７３との間に配置され得る。
【０１０３】
一実施例において、内側バリアカフ１７１は、内側バリアカフ折り返し縁部１７２内のバリアカフ弾性部材１７８の配列を含んでもよく、内側バリアカフ１７１は任意により、少なくとも１つの弾性部材１７８、少なくとも２つのバリアカフ弾性部材１７８、少なくとも３つのバリアカフ弾性部材１７８、少なくとも４つのバリアカフ弾性部材１７８、又は少なくとも５つのバリアカフ弾性部材１７８を含み得る。一実施例において、バリアカフ弾性部材１７８は、内側バリアカフ折り返し縁部１７２と、外側カフ材料縁部１７６との間に配置されてもよい。
【０１０４】
一実施例において、外側レッグカフ１７４は、内側バリアカフ１７１の弾性部材１７８よりも少なくとも１つ多い弾性部材１７７を含み得る。一実施例において、内側バリアカフ材料縁部１７３は、外側カフ材料縁部１７６の横方向外側にあり得る。
【０１０５】
一実施例において、弾性部材１７７及び１７８は、一方の縁部から他方の縁部まで、横方向に少なくとも２ｍｍ、任意により少なくとも３ｍｍ、任意により少なくとも３．５ｍｍ、又は任意により少なくとも４ｍｍ離間していることがある。一実施例において、最外弾性部材１７７及び１７８は、外側カフ材料縁部１７６、及び内側バリアカフ材料縁部１７３から、少なくとも約２ｍｍ未満、任意により少なくとも約１．５ｍｍ未満、又は約１ｍｍ未満であり得る。
【０１０６】
一実施例において、外側カフ弾性部材１７７は、内側バリアカフ材料縁部１７３と、外側カフ折り返し縁部１７５との間に位置し得る。一実施例において、バリアカフ弾性部材１７８は、外側カフ材料縁部１７６と、内側カフ折り返し縁部１７２との間に位置し得る。一実施例において、追加的な材料が、内側バリアカフ材料縁部１７３と、外側カフ材料縁部１７６との間に位置してもよく、このような材料は、トップシート５１、バックシート５２、コア７１、又はシステム１７０の設計内に最適に位置付けられる他のいずれかの材料を含み得る。１つのこのような実施例が図７Ａに示され、トップシート５１は内側バリアカフ材料縁部１７３と、外側カフ材料縁部１７６との間に位置付けられる。図７Ｂ〜７Ｄは、追加的な実施例の概略断面図を示す。一実施例において、トップシート５１は、内側カフ縁部１７１と、外側カフ縁部１７４との間に横方向に配置される。図７Ｂ〜７Ｄは、バックシート５２、トップシート５１、及びシステム１７０を一緒に固定してインサート構造を形成するために、結合部８１が配置され得る、位置の例を示す。構成要素の結合部８１（概略的に示される）は、各構成要素の機械的結合により、接着剤の堆積により、又はこれらの組み合わせにより形成され得る。接着剤の堆積はまた、液体収容の目的のために、構成要素が結合される位置における液体バリアとして機能し得る。統合二重脚部ガスケットシステム全体がトップシート５１の上方に堆積される、図７Ｂに記載される実施例は、比較的効率的な製造のために役立つため、いくつかの状況において好まれる場合がある。図７Ｃに示される実施例は、各側においてシステム７０の実質的な部分にわたって横方向に延びるバックシート５２を有し、これは液体収容性を向上させるためにいくつかの状況において望ましい場合がある（バックシート５２は液体不透過性である）。図７Ｄに示される実施例において、ガスケット材料８２はバックシート８２下部を包囲し、これは液体収容性を向上させ得る代替的構造である。図８Ａ〜８Ｐは、トップシート５１の構成の追加的な実施例の概略断面図を示す（トップシート５１の下に配置される吸収性コア及びバックシートは示されない）。図８Ｇ及び８Ｈに示される実施例において、トップシート５１はシステム１７０を形成する材料の同じ単一のウェブから形成されてもよく、穿孔されるか又は有孔であってもよい（トップシートから吸収性コアへと液体を通過させるために液体透過性を付与させるべく提案される）。あるいは、ウェブは、本来液体透過性であってもよく、液体不透過性層、又は液体不透過性を付与する処理が、ガスケットシステム１７０を形成するウェブの一部に加えられてもよい。
【０１０７】
一実施例において、統合二重脚部ガスケットシステム１７０は、内側バリアカフ折り返し縁部１７２、及び内側バリアカフ材料縁部１７３を有する、内側バリアカフ１７１を有してもよい。統合二重脚部ガスケットシステム１７０は更に、外側カフ折り返し縁部１７５、及び外側カフ材料縁部１７６を有する、外側カフ１７４を更に含み得る。統合二重脚部ガスケットシステムは、内側バリアカフ１７１を含む第１材料、及び外側カフ１７４を含む第２材料を含んでもよい。任意の適当な接合手段により、第１の材料及び第２の材料を重なり合わせて、それぞれの材料の長手方向縁部に沿って接合してもよい。一実施例において、材料のウェブは、外側カフ折り返し縁部１７５を形成するために横方向内側の上に折り返され、内側バリアカフ折り返し縁部１７２を形成するために横方向外側の上に折り返されてもよい。一実施例において、外側カフ１７４の近位縁部は隣接していてもよい。一実施例において、外側カフ１７４の近位縁部は、約２ｍｍ超、約４ｍｍ超、約６ｍｍ超、約１０ｍｍ超で離間していてもよい。一実施例において、カフの近位材料縁部は両方とも内側バリアカフに結合され得る。一実施例において、外側カフ１７４の近位材料縁部の一方のみが、内側バリアカフに結合される。一実施例において、外側カフの近位材料縁部は、いずれかの好適な結合機構により一緒に保持されてもよい。
【０１０８】
一実施例において、統合二重脚部ガスケットシステムは、バックシートの長手方向縁部の横方内側に、約１０ｍｍ、任意により約２０ｍｍ、又は任意により約３０ｍｍ離間していてもよい。別の実施例において、シャーシの横方向外側縁部は、外側レッグカフの横方向縁部により画定され得る。別の実施例では、バックシート及び高分子フィルムは、約１０ｍｍ、必要に応じて約２０ｍｍ、必要に応じて約３０ｍｍ、必要に応じて約４０ｍｍ、外側カフの縁部の横方向内側に離間され得る。
【０１０９】
一実施例において、内側バリアカフ１７１の高さは、少なくとも約３０ｍｍ、少なくとも約３２ｍｍ、少なくとも約３５ｍｍ、又は少なくとも約３８ｍｍであり得る。一実施例において、外側レッグカフ１７４の高さは、少なくとも約２３ｍｍ、少なくとも約２５ｍｍ、少なくとも約２７ｍｍ、又は少なくとも約３０ｍｍであり得る。内側バリアカフの高さは、内側バリアカフ折り返し縁部１７２から、内側バリアカフ材料縁部を超える材料への第１接続点まで測定される。外側カフの高さは、外側カフの折り返し縁部１７５から内側カフが有する内側カフの材料縁部を超えた材料への第１接続点まで測定される。したがって、内側カフ及び外側カフは、それらの対応する折り畳まれた縁部から、内側バリアカフが内側バリアカフ材料縁部を越えた第１の材料に接続される点まで、測定される。
【０１１０】
統合二重脚部ガス化ケットシステム１７０の１つの利益として、カフ構造を形成するために実質的に液体不透過性の材料が使用されるとき、バックシートのポリマーフィルム構成層が狭くされるか、場合によっては完全に排除され得、フィルム材料の使用量が減る可能性をもたらし、よってより費用効果の高い設計がもたらされる。高信頼性の加工を行う接着剤技術を使用することによって、より信頼性の高い性能が得られ、実質的に液体不透過性なシールが作られる。この技術は、重複する密閉部に対する必要性を低減することにより、フィルム層の狭化は、吸収性コアよりも若干広くする程度の狭化でよいことを可能する。
【０１１１】
ガスケットカフ１７１、１７４は、実質的に非弾性であってもよく、又は弾性的に延伸性であって、着用者の脚部に動的に適合してもよい。ガスケットカフ１７０、１７４はそれぞれ、トップシート５１、バックシート５２、又はインサート５０の形成に使用される他の任意の好適な基材へと、その端部において動作可能に接合される、１つ以上の弾性部材１７７、及び１７８（弾性ストランドなど）を含み得る。好適なガスケットカフ構成が、米国特許第３，８６０，００３号に更に記載される。
【０１１２】
内側バリアカフ１７１は、インサート５０の長手方向長さ全体、又はシーム６９の間のその長さ全体若しくは実質的全体に及ぶことがある（図４）。内側バリアカフ１７１は、１つ以上の弾性部材１７８（例えば、弾性ストランド）を備えるフラップを形成し得る。内側バリアカフ１７１は、インサート５０を形成する既存の材料又は要素の連続的な延長部から形成され得る。
【０１１３】
インサートはまた、米国特許出願公開番号第２０１２／０２７７７１３号、及び同第２０１２／０２７７７０２号に記載される、カフ構造（及びこれらを形成する材料）のいずれかを備えてもよい。
【０１１４】
インサートの非対称性
図４を参照し、インサート５０は、その長手方向長さを分割するインサート横方向軸７０を有してもよい。インサート５０は、インサート横方向軸７０に対して非対称である構造を有してもよい。この説明を目的として、インサートに関して使用するとき、「非対称な」及び「非対称」とは、インサート横方向軸７０の片側の特徴、幾何学的形状（例えば、形）、材料及び／又は構成体が、インサート横方向軸７０の反対側のそれらと、いくつかの点で実質的に異なることを意味する。そのような非対称な構成体は、着用可能吸収性物品１０の収容／吸収性能、快適性、フィット及び／若しくは外観を改善するために、材料の使用を節約するために、並びに／又は処理可能な廃棄物の量を低減するために、意図される着用者の前側と後側で異なる身体特徴及び機能（すなわち、体輪郭、排出器官及び排出機能）に適合するように設計されたインサート５０の様々な特徴を有することによりもたらされる。「非対称な」及び「非対称」は、純粋に審美的な色合い又は表面装飾；外側カバーの締結（例えば本明細書に記載の締結要素）；ユーザーがインサートを把持する（例えば本明細書に記載の把持構造体）；外側カバー内でインサートの向きを定めるための印（例えば本明細書に記載の向きの印）の目的だけのため、又は着用可能吸収性物品１０の性能、快適性、フィット及び／若しくは物理的外観に影響を与えるための、材料の使用を節約するための、並びに／又は処理可能な廃棄物の量を低減するための、意図される着用者の前側と後側で異なる身体特徴及び機能に実質的に関連しない他の目的のために、インサート上に含まれる場合がある特徴に起因するインサート横方向軸７０に対する違いを指さない。
【０１１５】
一例として、図４に示されるように、トップシート５１は、そこを通る１つ以上の開口６３を、主に股部区域及び／又は後方区域５５内に有してもよい。開口部６３は、液体又は低粘度の糞便物質を、トップシート５１を貫通して、そのような開口を有さない場合よりも迅速に、これを吸収性コア７１の吸収性材料に到達させ、インサート５０の液状の糞便の吸収及び収容能力を向上させることができる。
【０１１６】
別の例では、例えば、米国特許出願第８，０１６，８０３号、同第７，７７１，４０６号、及び同第７，７７１，４０８号に記載のような１つ以上のポケット、スペーサー、低粘度の糞便管理要素、張設された伸縮性トップシート内の開口部などを含む、糞便管理機能がインサート５０の後部に配置されてもよい。したがって、トップシート５１は、後方区域内に１つ以上の比較的大きな開口を備えて、固形物又は高粘度の排泄物を制限なく又は比較的制限が少なくそこを通して移動させてもよい。開口の寸法は、所望の糞便封入性能を達成するうえで重要であり得る。開口が小さすぎる場合、排出点と開口位置との位置合わせがうまくいかないのが原因で、又は糞塊が開口より大きな寸法を有するのが原因で、排泄物が開口を通過しない可能性がある。しかしながら、開口が大きすぎる場合、収容された排泄物からの「再湿潤」にさらされる可能性がある皮膚面積が大きくなる。開口部は、約１０ｃｍ２〜約５０ｃｍ２、特に、指定される範囲の０．１ｃｍ２ごとの全ての値、及びその内部に形成される全ての範囲の、面積を有し得る。いくつかの状況において、開口部は、約１５ｃｍ２〜３５ｃｍ２、特に、指定される範囲の０．１ｃｍ２ごとの全ての値、及びその内部に形成される全ての範囲の面積を有することが望ましい場合がある。
【０１１７】
インサートの吸収性コア７１は、非対称性を有していてもよい（吸収性コアの非対称性）。吸収性コアの非対称性は、前側と後側で異なる着用者の生体構造の特徴及び機能にしたがって、吸収性コア７１の特定の材料及び特徴をそれらが最も必要とされる及び／又は最も有効である場所に位置付けるための、吸収性コア７１内の材料及び特徴の配列によってもたらされてもよい。
【０１１８】
例えば、図５Ａと図５Ｂ、図５Ｃと図５Ｄ、及び図５Ｅと図５Ｆをそれぞれ比較することによって理解され得るように、インサート５０の後方区域５５の全て又は一部分は、獲得／分配材料６５を含むが、前方領域５４と比べて貯蔵材料６６が少ないか含まなくてもよい。この特定の吸収性コアの非対称によって、貯蔵材料６６は、着用されたときに主に着用可能吸収性物品１０の前側に位置付けられることができる。これは、インサートの尿貯蔵能力の優位な割合を着用者の尿排出点の近くに提供して、漏れの可能性を低減し、かつ、特に貯蔵材料６６が液体を吸収して膨張する際の潜在的な不快感並びに／又は外観の悪い寸法及び嵩を、着用者の脚の間又は臀部領域から除去することができる。更に、この特定の非対称は、貯蔵材料６６を、実質的にインサート５０全体に沿ってではなくインサート５０の一部分のみに位置付けることによって、使用する貯蔵材料６６の量の節約をもたらす。米国特許第６，２７８，０３７号に開示されているティーバッグ遠心能力テストで測定した場合、吸収性コア７１の前方領域の液体貯蔵能力は、吸収性コア７１の後方区域の液体貯蔵能力よりも高くてもよい。吸収性コア７１の前方領域５４の液体貯蔵能力は、後方区域５５の液体貯蔵能力よりも、少なくとも約１０％、２０％、５０％、又は更には１００％以上高くてもよい。そのような構成では、前方領域５４及び後方区域５５の両方に位置付けられる獲得／分配材料６５は、液体（通常は、尿）を獲得し、主に前方領域５４内に位置付けられる貯蔵材料６６にそれを移動させるように機能することができる。あるいは、又は更に、インサート５０の前方区域５４内の獲得システム又は構成要素材料の面積及び／若しくは坪量は、後方区域５５のそれより、少なくとも約１０％、２０％、５０％、又は更には１００％以上大きくてもよい。あるいは、又は更に、吸収性コア７１の表面積、断面積及び／又は横方向幅は、後方区域５５と比べて前方区域５４の方が大きくてもよい。例えば、吸収性コア７１の表面積、断面積及び／又は横方向幅は、吸収性コア７１の前方領域５４内に存在するより大きな割合の獲得／分配及び／又は貯蔵材料に適合するために、後方区域５５と比べて前方領域５４の方が大きくてもよい。
【０１１９】
図５Ａ、図５Ｃ及び図５Ｅを参照すると、他の例では、前方区域５４の吸収性材料６６は、それぞれ、獲得／分配材料６５内に分散されてもよく（図５Ａ）、獲得／分配材料６５と流体連通する独立した液体透性過構造体若しくはエンベロープ６７内に収容されてもよく（図５Ｃ）；又は保持材料６８の接着性マトリックスの上若しくはその中に分散されて、獲得／分配材料６５と流体連通してもよい（図５Ｅ）。逆に、後方区域５５は、獲得／分配材料６５を主に含むが、前方区域５４と比較して貯蔵材料６６がより少ない、又は全くない場合がある（図５Ｂ、５Ｄ、５Ｆ）。前方区域５４内の材料はまた、米国特許出願公開番号第２００８／０３１２６１７号、同第２００８／０３１２６１８号、同第２００８／０３１２６２８号、同第２００８／０３１２６１９号、同第２００８／０３１２６２０号、同第２００８／０３１２６２１号、同第２００８／０３１２６２２号、同第２００８／０３１２６２５号、同第２００８／０３１２６２４、及び米国特許番号第８，０１７，８２７号の１つ以上に記載される構成に従って配置され得、後方区域５５において異なる構成を備える。
【０１２０】
別の例では、図５Ｃに示されるように、貯蔵材料６６及び獲得／分配材料６５は、吸収性コア７１の異なる別個の層を占有してもよい。ある状況では、獲得／分配材料６５を含む層の表面積（すなわち、図４に示される平らにされたインサートに関する平面図の表面積）を、貯蔵材料６６を含む層よりも大きくするのが望ましくあり得る（又はその逆）。例えば、獲得／分配材料６５を含む層が、前方領域５４内にインサートを横切って大きな表面積を有するように形成される場合、前方領域５４内のより多くの量の獲得／分配材料６５に空隙を提供するのに役立つことができる。このことは、前方領域５４に向けて放出された比較的大量な尿の流出を迅速に吸収しかつ分配するためのより大きな収容力を前方領域５４に付与することができ、これは、例えば、年齢のより高い男の乳児及び幼児用の着用可能吸収性物品にとって望ましくあり得、インサート５０の収容能力を高めることができる。
【０１２１】
しかしながら、別の例では、例えば新生児及び幼い乳児などでは、尿の大量の流出は予想されないが、比較的相当量の液体又は低粘度の糞便物質が予想される。したがって、この群の意図される着用者用の着用可能な吸収性物品は、大きな表面積を占める大きな寸法の獲得／分配層を、インサート５０の後方区域５５に有してもよい。このことは、後方区域５５に向けて放出された液体の流出又は低粘度の糞便物質を迅速に吸収するためのより大きな収容力を後方区域に付与して、インサート５０の収容能力を高めることができる。
【０１２２】
前方区域５４と後方区域５５との間の差はまた、睡眠時用インサートの目的で含められてもよい。起きている間に使用するように設計されたインサートは、上記のように、その液体貯蔵能力の優位な割合を前方区域５４内に有していてもよい一方で、例えば、幼い乳児が睡眠中に使用するように設計されたインサートは、流体排出物が重力の影響で流れる場所に貯蔵能力の優位な割合を位置付けることによって仰向けに眠る乳児に適合するために、その液体貯蔵能力の優位な割合を後方区域５５内に有していてもよい。
【０１２３】
インサート５０はまた、非対称な全体的形状／バックシートを有していてもよい。例えば、図４に示されるように平らにした状態で見て、インサート５０は、インサート横方向軸７０の片側に、反対側より大きな表面積を占めてもよい。このことは、バックシート材料の使用中の快適性、身体被覆、外観、性能及び／又は節約の目的で有用であり得る。例えば、貯蔵材料６６の優位な割合を含むと共に、インサート５０の前方領域５４は、貯蔵材料６６を収容するためのインサート５０内の大きな空隙に関連して、大きな表面積を占有してもよく、例えば、うつ伏せで眠る着用者の夜間の吸収及び収容能力を改善し、特に吸収性材料が液体を吸収して膨張する際に、インサートが平らな状態を維持できるようにする。そのような大きな表面積は、インサート横方向軸７０の反対側で後方区域５５が占める表面積よりも、インサート横方向軸７０の片側で大きくてもよい。
【０１２４】
インサート５０はまた、外側カバー２０の股部区域２６にあるエリア内に狭い領域を有してもよい。股部区域２６内の狭窄部は、脚部の間の寸法及び嵩を排除することにより着用者の快適性を向上させ、より下着様のフィットをもたらすのに役立つことがある。外側カバー２０はまた、同じ又は同様の利益を達成するために、股部区域内に狭い区域を有してもよい。図２Ｂを参照すると、股部区域のこの狭まりは、インサート５０が限られた量の吸収性材料をその中に有しかつ限られた幅を有することで、外側カバー２０の股部区域２６の空隙の収容力を超えて膨張しないのを確実にすることによって、外側カバー２０の股部区域２６が、インサート５０の横方向に中心合わせされた位置を収容しかつ維持しやすくなるように機能することができる。そのような狭窄は、例えば、インサート５０の後方部分５５へと続いて、全体的形状／バックシートの非対称を作り出すことができる。一実施形態において、インサートは、砂時計の形状を有してもよく、全ての縁部が任意により丸い。このような形状のインサートは、インサートの股部のフィットを改善し得る。
【０１２５】
インサート５０はまた、上記されたものと同じ、関連した、又はその他の目的に貢献するために、他の方法でインサート横方向軸７０に対して非対称であってもよい。
【０１２６】
したがって、インサート横方向軸７０に対するインサートの非対称性は、ただ１つの前方区域５４とただ１つの後方区域５５とを有するようなインサート５０の設計及び構成の結果であること、すなわち、インサート５０の意図されるフィット、快適性、性能及び外観が完全に実現されるとしたら、前方区域及び後方区域は相互に交換可能でないことが理解される。
【０１２７】
パンツの場合、インサートは、インサート横方向軸７０にわたって対称であり得る。
【０１２８】
把持機構、除去及び廃棄補助部
図２Ｈ、２Ｒ、２Ｔ、２Ｖ、２Ｙ、３及び図４を参照すると、インサート５０はまた、個別の前方ユーザー把持構造体５９及び後方ユーザー把持構造体６１を有してもよい。ユーザー把持構造体５９、６１は、ユーザーがインサート５０をその各端部近傍で迅速かつ容易に把持できるようにするために提供され得る。
【０１２９】
図示され及び／又は提案される把持構造体は、ユーザーがインサート５０をより迅速に把持し、かつ図３に示されるのと同様の収縮位置から、図４に示されるのと同様の拡張位置まで伸張できるようにすることができ、これは、インサート５０を外側カバー２０の中に設置するために望ましくあり得る。図示のように、ユーザー把持構造体５９、６１がインサート５０の各端部に近接して中心合わせされると、これは、以下により詳細に記載される各中心合わせされた締結具構成要素対を同じ場所に配置するための視覚的補助をユーザーに提供することもできる。
【０１３０】
更に、ユーザー把持構造体５９、６１は、ユーザーがインサート５０をそれぞれの末端部で迅速かつ容易に把持できるようにするのに役立つ可能性があり、このそれぞれの末端部は、着用者の身体の排泄点からの距離により、インサート５０の交換が必要又は望ましくなったときに汚れにくい。したがって、ユーザーは、汚れたインサート５０を外側カバー２０から取り外すときに、着用者の排出物がユーザーの手と接触するのをうまく回避できるようになり得る。図２Ｙに示されるように、インサート角部付近に横方向に延びる把持構造５９を有する構造は、汚れたインサート５０を外部カバー２０から除去する際に、ユーザーの点が汚れるのを防ぐことを可能にし、ユーザーが廃棄のために汚れたインサート５０を折るか又は巻くことを更に可能にし得る。
【０１３１】
一実施形態において、図２Ｈ及び２Ｙに示される例を参照すると、ある状況では、インサート５０上に２つ以上の把持構造体５９を含むのが望ましくあり得る。これは、図２Ｈ及び２Ｙに示されるような、２つ以上の締結具構成要素５６がインサート５０の端部上に配置されている例において有用であると考えることができる。このような状況では、各締結要素５６に関連付けられ、かつ近接した独立した把持構造体５９を有することによって、ユーザーは、適切に同じ場所に配置及び／又は位置合わせされた締結要素５９、３３を用いて、インサート５０をより簡単に正確に外側カバー２０内に位置付ける及び設置するように、インサート５０の一部分を操作することができる。外側カバー２０からインサート５０を取り外すことが必要な場合に、締結要素の分離をもたらすのに必要な場所にユーザーの牽引力を局地化又は集中させることによって、ユーザーが対の締結要素３３から締結要素５６をより簡単に引き離して、それらを分離させることができるようにすることも可能である。
【０１３２】
ユーザー把持構造体５９、６１は、図２Ｈ、２Ｒ、２Ｔ、２Ｖ、２Ｙ、３及び４に示されるようなタブ状拡張部を有してもよく、インサート５０が外側カバー２０内に設置されるときに自由端は外側カバー２０に取り付けられておらず、容易に把持可能である。ユーザー把持構造５９、６１はまた、異なる形状を有し得る。非限定的な例として、ユーザー把持構造体は、インサート５０の末端部から延びるループ様拡張部分、インサート５０の末端部近くを貫通する指穴、インサートの横方向中心線７０に向かい合う開口部を有するポケット、及びインサート５０をその末端部に近接する位置で把持及び引っ張りやすくするその他の構造体、の形状をとることができる。
【０１３３】
更に、把持構造体５９、６１は、ユーザーがインサート５０をしっかりと把握しかつ引っ張りやすくするために、高い摩擦係数（例えば、少なくとも約０．５）を有する材料、弾性的な圧縮性材料、及び／又は三次元レリーフを有する表面で形成されてもよい。
【０１３４】
把持構造５９、６１はまた、インサート５０又は外側カバー２０の対応する端部の上、又は下で、インサート５０の横方向中心線７０の方に折り返され得るように、構成又は適合され得る。このことは、把持構造体を他の材料の背後に隠して、排泄物による汚れから把持構造体を保護する役割を果たし得る。あるいは、又は加えて、ユーザーの更なる利便性、及びパンツを引き上げる際の容易性をもたらし得る。
【０１３５】
図２Ｙ及び３に示されるように、把持構造５９、６１は、端部支持補強材６０、６２（以下で更に記載される）を形成する材料の長手方向、横方向又は他の延長部の形態であり得る。
【０１３６】
図２０〜２Ｐを参照し、インサート５０が把持構造を含まない場合、取り付けゾーン３２及び３３は、内部に凹みを画定し、ユーザーがインサート５０の端部を把持し、これを外側カバー２０から取り外せるようにする。図２Ｑ及び２Ｒを参照し、インサート５０が把持構造５９、６１を含む場合、取り付けゾーン３２及び３３はこれらの凹部を画定しないことがある。
【０１３７】
図３を更に参照し、インサート５０はまた、汚れたインサート５０を外側カバー２０から除去した後の良好な処理及び、廃棄の利便性のために、インサート５０を折り畳まれるか巻かれた構成に保持するように構成された、廃棄補助部８１を含み得る。図３に示されるように、廃棄補助部８１は、取り外し可能／再締結可能なテープのストリップの形態であり得る。汚れたインサート５０を外側カバー２０から取り除く際、ユーザーは、これをバックシート５２が外側を向くようにして長手方向に折り畳むか、又は巻くことができ、その後テープ型の廃棄補助部８１をバックシート５２へと持ち上げて再締結し、インサート５０が折り畳まれるか、又は巻かれた状況にあることを確実にする。トップシート５１を内側、バックシート５２を外側にした状態で、インサート５０を折り畳まれるか巻かれた状態に保持するように機能する、他の形態の廃棄補助部が使用され得る。
【０１３８】
インサート／外側カバー取り付けゾーン／締結構成要素；向きの印；他の可能な特徴
図２Ｂ、３、及び４を参照し、先に記載されたように、外側カバー２０は、上部に配置された前方取り付けゾーン３３及び／又は後方取り付けゾーン３２などの、１つ以上のインサート取り付けゾーンを有し得る。インサート５０は、インサート上に配置された前方締結具構成要素５６、及び／又は後方締結具構成要素５７を有してもよい。インサート５０上の各前側及び／又は後方締結要素５６、５７は、外側カバー２０上に配置された対応の前方取り付けゾーン３３、及び／又は後方取り付けゾーン３２との締結を可能にするように協働するよう選択及び／又は適合され得る。
【０１３９】
インサートは、外側カバーに取り付けられた領域の一部又は全部に塗布された１つ以上の接着剤を有し得る。パンツに関し、接着剤は、インサートが製品仕様中に縁部において折り返されないことを確実にするため、インサートの縁部に塗布されてもよい。あるいは、又は加えて、インサート縁部の補強など、縁部の折り返しを防ぐための手段がもたらされてもよい。
【０１４０】
締結位置のタイプ、位置、及び位置決め
一例を挙げれば、インサート５０の各前方締結要素５６、及び後方締結要素５７と、外側カバー２０上の対応の前方取り付けゾーン３３、及び後方取り付けゾーン３２との締結を可能にするために、対応の締結対５６、３３及び５７、３２は協働締結要素を有することができる。好適な面締結具式締結システムの例は、Ｖｅｌｃｒｏ  Ｉｎｄｕｓｔｒｉｅｓ  Ｂ．Ｖ．の製品であるＶＥＬＣＲＯシステムであり、このシステムの構成要素は、Ｖｅｌｃｒｏ  ＵＳＡ，Ｉｎｃ．（Ｍａｎｃｈｅｓｔｅｒ，Ｎｅｗ  Ｈａｍｐｓｈｉｒｅ）から入手可能である。フック・ループ締結システムは特定の利点を提供する。個々のフック・ループ構成要素はシート状で供給されるので、これらシート状の要素を適切な形状のパッチに切断することができ、このパッチを、接着剤結合、機械的結合、超音波接合、縫合、縫製、縁かがり、縁取り等の様々な手段で、布又は不織布基材に固定することができる。対応のフック・ループパッチを締結具構成要素として使用する場合、締結は、締結具構成要素を対面接触させて置き、ゆるい圧力を加えるだけで達成されるので、比較的容易な締結、ユーザーにとっての容易さ及び便宜（例えば、ボタンとボタン穴といった締結具構成要素と比較して）は、もたらされるいくつかの利点のうちの１つである。
【０１４１】
一部のタイプのフック構成要素は、ある状況では、意図される対応するループ要素以外の様々な材料に望ましくなくひっかかる又はからみつく傾向があり得るが、現在入手可能であるほとんどのタイプのループ要素は、この傾向を有さない。したがって、ある状況では、フック構成要素のパッチが取り付けゾーン３３、３２の一方又は両方を形成し、ループ構成要素のパッチがインサート締結構成要素５６、５７の一方又は両方を形成するのが望ましくあり得る。この構成は、外側カバー２０上にひっかからない取り付けゾーン構成要素を配置する。これは、外側カバー２０が再利用可能となるように設計されている場合などある状況において望ましくあり得、外側カバー２０上の取り付けゾーンが外側カバー２０の他の部分に、又は、外側カバー２０と一緒に保管又は洗濯される衣類物品などの他の物品に、望ましくなくひっかかる可能性を低減する。
【０１４２】
しかしながら、締結対５６、３３及び５７、３２は、フック・ループ締結システムの対応の要素を必ずしも有する必要はなく、２つの要素からなる締結システムの対応の要素を必ずしも有する必要はない。むしろ、締結システムは、１つの締結要素しか必要としなくてもよく、又は他のタイプの締結要素を使用してもよい。使用する締結要素は、インサート５０又はその一部分と係合する、これを固定する、及び別の方法で保持するように適合されてもよい。外側カバー２０上の取り付けゾーンには、接着剤のパッチ；比較的高い摩擦係数の領域を有する構造体；ポケット；フラップ；ストラップ；あるいはその他の捕捉、保持及び／又は固定表面、デバイス、又は構造体を挙げることができる。したがって、一例である図２Ｃを参照すると、外側カバー２０の内側は、外側カバー２０の内側表面２５上に又は内側表面２５に沿って位置付けられた１つ以上のポケット構造体３２ａ、３３ａを、例えば、前方腰部区域２７又は後方腰部区域２８内に有してもよい。このようなポケット構造体は、（立位姿勢の着用者に対して、及び図２Ｂに対して）下方及び上方を向く開口部を有してもよい。ポケット構造体は、例えば、インサート５０の前方区域５４の前縁部及び一部分を受容、嵌合及び捕捉するように構成されてもよい。ポケット構造体３２ａ、３３ａは、横方向軸４５と向かい合う開口部を有してもよく、インサート５０の末端部はその中に挿入されかつそれによって保持される。別の方法としては、ポケット構造体は、横方向軸４５とは反対側を向く開口部を有してもよく、それにより、インサート５０の末端部はその中に挿入されかつそれによって保持され、次にインサート５０はかかる開口部の上に横方向軸４５に向かって折り返されることができる。図２Ｄを参照すると、別の例では、インサート５０の角部がポケットの中に挿入されかつ保持されるように位置決めされた１つ以上のポケット３２ｂ、３３ｂが、外側カバー２０の内側表面２５の前方腰部区域２７及び／又は後方腰部区域２８に設けられてもよい。このようなポケットは材料の縁部３２ｃ、３３ｃの縁部により画定される対応する開口部を有してもよく、これらの縁部は、横方向及び長手方向軸の両方に対して約０〜９０°、更に好ましくは約３０°〜６０°（特に、指定される範囲の１°ごとの全ての値、及びその内部に、又はこれにより形成される全ての範囲）を形成する。このような締結具構成要素の１つ以上は、外側カバー２０の前方腰部区域２７及びインサート５０の前方区域に配置された他の締結具構成要素の代わりに、これらに加えて、又はこれらと組み合わされて設けられてもよい。一実施例として、外側カバー２０は、後方取り付けゾーン３２を形成するループ要素のパッチ（図２Ｂ参照）と一緒に、前方区域２７内にポケット構造体３３ａ（図２Ｃ参照）を有してもよい。このような構造体、及びフックのパッチを締結要素５７として有する適切に適合されたインサート５０を使ってインサートを設置するために、ユーザーは、インサート５０の前縁部をポケット構造体３３ａに挿入し、次に、取り付けゾーン３２を締結構成要素５７に係合させることによって、インサート５０の後方部分を外側カバー２０の後方腰部区域２８の中���締結することができる。
【０１４３】
別の例において、取り付けゾーン３２、３３はそれぞれフック要素のパッチであってもよく、一方で締結具構成要素５６、５７は、単に、そのようなフック要素によって取り付け可能に係合可能であるように適合された織布又は不織布材料で形成された表面であってもよい。更なる別の例において、締結構成要素５６、５７はそれぞれフック構成要素のパッチであってもよく、一方で取り付けゾーン３２、３３は、単に、そのようなフック構成要素によって取り付け可能に係合可能とされるのに好適な、又は取り付け可能に係合可能であるように適合された織布又は不織布材料で形成された表面であってもよい。
【０１４４】
また、取り付けゾーン／締結構成要素対５６、３３、及び５７、３２の対応する構成要素を含む、いずれかの形態の締結構成要素は、インサート５０、又は外側カバー２０のいずれかの上に配置されてもよい。例えば、フックパッチがインサート５０又は外側カバー２０のどちらかの上に配置され、協働するループパッチがインサート５０又は外側カバー２０のもう一方の上に配置されてもよい。
【０１４５】
外側カバー２０上の取り付けゾーン３２などの取り付けゾーンは、固定バンド３８又は対角線上の固定バンド３８ａなど、固定システムの少なくとも一部に取り付けられるか、又は接続されてもよい。これは、上で引用した１つ以上の特許出願の、固定バンドの説明において記載されているように、利点の１つとして、吸収又は収容された排出物の重量によって生じる構造負荷の分布をもたらすことができる。
【０１４６】
一実施形態において、図２Ｕ及び２Ｖを参照し、取り付けゾーンは、例えば、図２Ｕに例示される形態を取りうる。取り付けゾーンは、前方取り付けゾーン３３’、後方取り付けゾーン３２’、及び中央取り付けゾーン４３’を有してもよい。取り付けゾーンは、その長さに関して連続的であっても、又は非連続的であってもよい。図２Ｕに例示される取り付けゾーンを設けることにより、インサート５０は、インサート５０上の締結構成要素５６、７７、及び５７により、外側カバー２０に対して容易に係合及び調節することができる。他の実施形態において、いずれかの好適な数の締結講師要素が、インサート上に設けられてもよく、好適な形状の取り付けゾーンが、外側カバー２０上に設けられてもよい。中央取り付けゾーン４３’及び締結構成要素７７による、図２Ｕ及び２Ｖの代表的な実施形態により、インサート５０が中央区域に支持される。図２Ｓを参照し、外側カバー２０上の別の中央取り付けゾーン４３が例示される。図２Ｓの外側カバー２０は、例えば、図２Ｔのインサート５０、又は図２Ｖのインサート５０と共に使用され、インサートの中央区域に支持をもたらし得る。図２Ｖ１を参照し、外側カバー２０上の別の中央取り付けゾーン４３”が例示される。取り付けゾーンはまた、前方取り付けゾーン３３”及び後方取り付けゾーン３２”を含む。図２Ｖ２に例示されるインサート５０は、例えば、図２Ｓの２Ｖ２の外側カバー２０と共に使用するための締結構成要素７７’を開示する。外側カバー２０及びインサート５０の組み合わせは、その中央区行きのインサート５０に支持をもたらす。図２Ｖ１及び２Ｖ２の外側カバー２０上の取り付けゾーン、及び／又はインサート５０上の締結構成要素は、連続的、又は非連続的であってもよく、かつ依然として、インサート５０が外側カバーに取り付けられる際に、インサート５０の中央区域を支持する同じ利益を達成する。
【０１４７】
締結位置は、例えば、インサート５０の４つの角部のそれぞれと、外側カバー２０上のこれに対応する位置に、並びに、適切に選択され、かつ配置された締結要素によって生じるインサート５０及び外側カバー２０に沿った他の位置にも、複数箇所で配置されてもよい。例えば、締結構成要素は、インサート５０の前方区域５４及び／又は後方区域５５内のインサート５０の端部に近い長手方向側部に沿って配置されてもよい。締結具構成要素は、インサート５０の縁部に隣接して配置されてもよく、又は縁部の横方向及び長手方向内側に配置されてもよい。例えば、締結具構成要素は、インサート５０のいずれか又は全ての縁部から少なくとも１、２、又は３ｃｍの位置に配置されてもよい。特定の実施形態では、少なくとも１つの締結要素が、インサート５０の横方向又は長手方向縁部から、又はその両方から、少なくともインサート５０の幅の４分の１に等しい距離の位置に配置される。一実施形態において、締結構成要素は、インサート５０の長手方向軸の少なくとも１／５の長さに沿って配置され得る。
【０１４８】
締結構成要素は、衣類に面する表面上に材料を担持する接着剤、感圧接着剤、又は凝集剤材料のパッチ若しくはストリップの形態を有してもよく、ないしは別の方法により、接着剤、感圧接着剤又は凝集剤材料から形成され得る。パッチ又はストリップは、インサート５０の衣類に面する表面の約２０％、５０％、７５％、又は更に実質的に全てを被覆することができる。このようなパッチ又はストリップは、インサート５０の衣類に面する表面の少なくとも一部に固定され、かつこれを被覆してもよく、かつ任意により、ユーザーがインサート５０を設置する準備ができるまで、貯蔵及び輸送中に接着剤／粘着剤を保存し、汚染及び意図しない接着を防ぐか、又は少なくとも抑制するために剥離紙により被覆されてもよい。ユーザーが外側カバー２０内へのインサート５０の挿入に備えると、ユーザーは剥離紙を剥離し、それによって接着剤／凝集剤を露出して、外側カバー２０内にインサート５０を接着させるように機能するべく利用可能にする。接着剤又は凝集剤を含む締結具構成要素は一端又は両端において、インサート５０上の、本明細書において記載される他の種類の締結具構成要素と、締結構成において組み合わされてもよく、又はインサート５０の一端が１つ以上の接着剤又は凝集剤タイプの締結具構成要素を有してもよく、かつインサート５０の他端が、本明細書において記載される１つ以上の他の種類の締結具構成要素を有してもよい。
【０１４９】
取り付けゾーン／締結構成要素対５６、３３及び５７、３２のいずれかといった締結システムは、図示のように、前方／前方及び／又は後方／後部端部／領域のそれぞれあるいはいずれかの近くに、単一化され、横方向で中心に合わせ、かつ局所化された締結位置を形成してもよい。図２Ｂ及び図３に示される、挿入端部の一方又は両方において、インサート５０及び外側カバー２０上それぞれにおいて、実質的に横方向で中心に合わされた、単一化した、局所化した締結位置を有することが、一定の利益を提供し得る。
【０１５０】
ユーザーが、インサート５０の端部において、インサート５０を外側カバー２０に移し、締結しなければならない、位置の単一化及び局所化により生じる、ユーザーのための、挿入の単純性及び容易性が、１つの利益であり得る。
【０１５１】
第２の利点は、締結位置の単一化、局部化により生じる、外側カバー２０内のインサート５０の部分的な力分離取り付けから生じ得る。この力分離構成により、取り付けゾーン３３、３２周囲の外側カバー２０の一部分、例えばウエストバンド部分３４、３５、及び前方腰部区域２７及び特に後方腰部区域２８は、インサート５０及びその一部分の構造とは実質的に独立し、かつこれに妨げられずに、横方向に伸張及び収縮することができる。これは、外側カバー２０の横方向収縮による、インサート５０の端部に沿った横方向座屈又は塊化（これは不快感を生じ得、及び／又はインサート５０の端部の着用者に面する表面と着用者の皮膚との間に隙間を生じ、漏れに対する弱さを生じる）を避けることがある。これはまた、インサート５０の構造が外側カバー２０の横方向の伸張又は収縮を制限するのを防ぐ（これは、本来、その間のより力結合した構成の結果として生じ得る）。このような外側カバー２０の伸張及び収縮の横方向の塊化、座屈、又は制限は、さもなければ通常、例えば、所与の長手方向位置に近接してインサート５０の幅にわたって２つ以上の締結位置を用いて、又はインサート５０の幅の大部分に沿った横方向に非局在化／拡張された連続的な締結位置を用いて、インサート５０の幅の大部分を外側カバー２０に力結合するかたちで、外側カバー２０内にインサート５０を締結するのに付随して起こり得る。力分離はしたがって、フィットの向上、収容性能、外見及び着用者の快適性、意図されるインサートの形状及び着用中の性能の維持能力の改善を提供し得る。
【０１５２】
したがって、一実施例において、図２Ｗを参照し、インサート５０に取り付けられる、締結具構成要素５６及び／又は５７を形成するフック構成要素のパッチは、図中に提示されるように、インサート５０上に実質的に横方向で中心に合わされてもよく、インサート５０に沿った有効幅Ｗｆを有してもよく、これは、端部支持補強材を含まないインサート５０の最大横幅Ｗｉの約５０％以下だけ延びる（以下に記載）。これにより、例えば、インサート５０が外側カバー２０の中に設置されたときに、インサート５０の幅の約５０％以下が、フック構成要素のパッチの作用によって外側カバーに力結合されることになり、それに応じて、この幅の約５０％（すなわち、幅Ｗｆに沿ってインサートに取り付けられない又は力結合されない幅Ｗｉの部分）は、外側カバー２０から力分離されることになる。ある状況では、外側カバー２０から力分離されるインサート５０の前方領域５４及び／又は、特に、後方区域５５の横方向幅のこの部分は、約５０％をも超えるのが望ましくあり得る。このように、例えば、連続的に取り付けられるフックのパッチを含む締結構成要素５６又は５７の幅Ｗｆは、Ｗｉの約４０％以下、約３０％以下、又は更には約２０％以下であるのが望ましくあり得る。別の例では、前方区域５４及び／又は後方区域５５における横方向幅の少なくとも約Ｗｉ  ５０％が、外側カバー２０から力分離されるのが、ある状況では望ましくあり得る。ある状況では、外側カバーの中に設置されるときに、Ｗｉ  ％の約５０％超過、約６０％超過、約７０％超過、又は更には約８０超過が、外側カバー２０から力分離されるのが望ましくあり得る。パンツの一実施形態において、インサート５０の１００％以下を外側カバー２０に力結合するのが望ましい場合がある。
【０１５３】
しかしながら、一定の状況において、幅Ｗｉの５０％超が、外側カバー２０から力分離されることは重要でないことがある。いくつかの状況において、有用な利益が、別の目的を満たす一方で、インサート幅のより小さい部分を力分離することによってもたらされ得る。例えば、インサート５０は、利用可能なフックタイプ構成要素よりも比較的積極的でない、フックのパッチから形成される締結構成要素５６及び／又は５７を含む場合があり、したがって、良好な締結性能を提供するために、比較的より大きな接触表面を必要とする。これらの、及び他の状況において、これは、いくらかの力分離利益を達成する一方で、インサート５０の横幅の約９０％未満、あるいは約７５％未満、又はあるいは約６０％未満が、外側カバー２０に力分離されるために必要な締結／保持性能を提供するために、十分であり得る。
【０１５４】
このように単一化されかつ比較的横方向に局所化された締結位置を提供して、インサート５０の少なくとも一方の末端部の横方向幅にわたって限られた力結合を提供する、他の締結要素が可能である。他の好適な締結構成要素としては、タブ及びスロット締結具、マクロフック及びループ締結具、ボタン締結具、磁石締結具、インターロック締結具、フック及びスロット締結具、スナップ締結具、接着剤締結具、及び他の利用可能な締結具タイプが挙げられる。
【０１５５】
上記の単一化され、局所化された締結位置が上記の利益を提供し得るが、いくつかの状況においてこれらはまた、不利益をもたらし得る。いくつかのインサート実施形態において、インサート５０の外側角部は、外側カバー２０に固定されない場合、着用中に、着用者の運動若しくは位置、又は排出物の充填（例えば、股部区域）に反応し、インサート横方向軸７０に向かって、又はインサート５０の主な位置の外形外に、座屈、弛み、又は回転しやすくなる場合がある。更に、図３を参照すると、及び上述された縁部５８に沿ったカフ弾性体５８ａ、５８ｂを備える起立カフ５３の説明から、予め延伸されたカフ弾性体５８ａ、５８ｂによって長手方向張力が付与されると、起立カフ５３は、インサート５０の各外側の角部を互いに向けて長手方向に引っ張る傾向があり得ることが理解される。これらの力に抵抗する構造が存在しない場合、インサート５０の外側の角部は弛む又は座屈する可能性があり、起立カフ５３は緩む、弛む、又は更には潰れる可能性がある。これは、起立カフ５３の縁部５８と、着用者の身体との間の空隙につながることがある。その結果、このことはカフのガスケット機能を損なって、漏れリスクを高くする可能性がある。
【０１５６】
上記で特定される利益は、いくつかの状況において、インサート５０の前方区域５４においてより大きな関心となり得る。インサート５０の角部の制御は、インサートの両末端部において重要であり得るが、尿道により近位であるという理由から、前方領域５４において特に重要であり得る。排出された尿が主に前方領域５４で貯蔵されるインサート設計はまた、排出物負荷の重量及び膨張応力を、インサート５０の前方区域５４、ひいては前方角部に集中させる可能性がある。前方角部、又はその付近において作用するインサート５０の前部における応力はまた、着用者の脚の前方への関節運動（這う、又は歩くときに、一緒に又は交互に）、又は腰部に向けて胴体を折り曲げることにより、適用されるか又は倍増され得る。
【０１５７】
同時に、いくつかの状況において、力分離は、インサート５０の後方区域５５及びシャーシ２８、５５において、より望ましいことがあるが、これは後部におけるウエストバンド伸長に対するより大きな要求が、解剖学的特徴及び身体の運動の様式から生じ得るためである。例えば、着用者は尻部において通常前方に曲がるが後方には曲がらず、臀部及び尻部の外形と組み合わされたこのような運動は、フィット、快適性及び外観の目的のために、前方ウエストバンド領域よりも、後方ウエストバンド領域において、横方向伸張及び収縮に対する大きな要求を課す。他の実施形態において、力分離は、特にパンツの実施形態において、インサート５０の前方区域５４よりも、後方区域５５においてより望ましいことがある。
【０１５８】
したがって、図２Ｅ〜２Ｆ、及び２Ｇ〜２Ｈに記載されるように、単一化／局地化され、横方向で中央に合わせた、力分離した取り付けゾーン／締結構成要素対３２、５７は、例えば外側カバー２０の腰部区域２８、及びインサート５０の後方区域５５など、着用可能な吸収性物品１０の前方又は後方腰部区域の一方のみに利用され得、一方でインサート５０の前方角部を効果的に制御する、取り付けゾーン／締結構成要素対３３、５６が、外側カバー２０の前方腰部区域２７、及びインサート５０の前方区域５４などの他の区域に利用され得るような、実施例が想到される。この構成は、力分離が最も所望され得る一区域における力分離を可能にし、角部制御が最も所望され得る別の区域においてインサート角部制御を提供する。
【０１５９】
インサート５０の構成要素又は部分の緩み及び／又は回転の可能性を低減するための角部の制御は、一連の実施例において、締結構成要素対の配置及び／又は形成によって改善され得る。図２Ｅ〜２Ｆ、及び２Ｇ〜２Ｈを再び参照し、例えば、外側カバー２０及びインサート５０のそれぞれの前方／前方領域にある取り付けゾーン／締結具構成要素対３３、５６は、インサート５０が挿入されたときに、インサート５０の前方角部が外側カバー２０に効果的に捕捉及び保持されるように構成、成形、寸法設定及び／又は配置され得ることが分かる。したがって、インサート５０上に配置された締結具構成要素５６は、インサート５０の幅の約４分の１、又は２分の１と少なくとも等しい有効幅Ｗｆを有してもよい。いくつかの例では、締結構成要素の幅Ｗｆは、幅Ｗｉの約５０％〜１００％、又は約７５％〜９５％、又は更には約８５％〜９５％であってもよい。（Ｗｉ及びＷｆに関し、図２Ｗ及び２Ｘを参照されたい。）多くの締結具構成要素５６が含まれる場合（例えば、直線上、配列、又は他のパターンで）、締結具構成要素幅Ｗｆは、横方向に最も外側の締結具構成要素５６の締結可能な効果的な部分の横方向に最も外側の縁部の間の、横方向の間隔であるものと考えられる。（本明細書の目的のため、「締結可能な有効部分」とは、インサートの幅の一部を外側カバーへと有効に力分離する締結構成要素のいずれかの部分を意味する。
【０１６０】
図２Ｇ〜２Ｈを参照し、インサート５０の所与の長手方向縁部において２つ以上の締結具構成要素５６を有する実施例において、端部に沿ったインサート横方向幅の非取り付け部分は、締結具構成要素５６の横方向内側縁部間に存在する。非取り付け部分を横断するインサート５０の端部の緩み及び／又は座屈の可能性、及びひいては、着用者の不快感又は端部に沿った排出物の漏れの可能性を生じ得る。
【０１６１】
インサート末端支持補強材
上記の力分離又は力結合、及び取り付けゾーン／締結構成要素構成により提示され得る問題に更に対処するため、インサート５０の一端若しくは両端に近接する、又はインサートの長さを通じた１つ以上の強化構成要素を含むことが望ましい場合がある。例えば、いくつかの場合において、インサート端部が、インサート横方向又は長手方向軸を中心とした、過剰な屈曲、塊化、又は座屈に対して抵抗性であることが望ましい場合がある。他の状況において、インサート角部又はインサート端部が弛み又は座屈に抵抗性であることが望ましい場合がある。
【０１６２】
別の実施形態において、図３及び図４を参照し、端部支持補強材６０及び／又は６２が、インサート５０の一端及び両端において含まれ得る。このような端部支持補強材は、ユーザーがインサート５０を外側カバー２０に係合させるのに役立ち、インサート５０が外側カバーの下に装着されている間にその意図される形状及び配置を維持するのを助ける、すなわち、意図される形状、位置及びガスケット機能（例えば、起立カフ５３の）を維持するのを助けるように機能することができる。端部支持補強材６０、６２はまた、インサート５０上に含まれる締結構成要素の寸法、タイプ又は位置にかかわらず、インサート５０の角部を制御するのを助けることができる。カフ縁部５８の長手方向の引っ張りに対する抵抗をもたらすのに加えて、末端支持補強材６０、６２は、あらゆる方向への又はあらゆる平面における曲げに対する抵抗を提供することができる。
【０１６３】
端部支持補強材６０、６２は、インサート５０内にその一端又は両端の付近において、取り付けられるか又は組み込まれてよい（図３及び図４に示される）。使用中にインサート５０が最適な形状を維持する傾向を増加させるのに加えて、このような端部支持補強材は、インサート５０が外側カバー２０に設置される前に、インサート５０の関連付けられた端部が開いて平坦なままでいる傾向を増加させることができる。インサート５０の端部は、設置前にユーザーが保管及び／又は運搬する間、普通は折り重ねられる又は束ねられる可能性があるので、端部支持補強材は、インサート５０の関連付けられた端部に、外側カバー２０内に設置する及び／又はそこから取り外すためのユーザーによる操作をそれほど必要としない形状／配置を維持又は追求させることによって、ユーザーのための利便性を向上させることができる。
【０１６４】
図４を参照し、端部支持補強材６０、６２の１つ以上が、インサート５０に対して横方向の向きで配置され、任意の平坦なシート状、又はカード状材料、又は任意の平坦な効果アセンブリで形成されてもよく、これはインサート横方向軸７０のより近くに位置する隣接部分の剛性を上回る剛性を、インサート端部に付加する。一例を挙げれば、末端支持補強材は、インサート末端部の材料の一部分を折り重ねて、材料の折り畳まれた層を含む補強区域を形成することによって形成されてもよい。別の例では、端部支持補強材６０、６２は、インサート５０横方向バンドの端部の上に、液状接着剤若しくは半流動体接着剤又は硬化状態へと硬化又は冷却する他の材料の堆積物のストリップ、又は他の形状若しくはパターンを堆積し、これにより、これが適用される基材に対して追加的な硬度を付与することによって、形成される。別の実施例において、端部支持補強材は、シート形状の厚紙又は同様の材料で形成され得る。好適な補強材の一例は、シート形状で提供（される）、０．０７８ｃｍ（０．０３１インチ）厚さのＶＯＬＡＲＡ  ６Ａフォーム（Ｓｅｋｉｓｕｉ  Ｖｏｌｔｅｋ，ＬＬＣ（Ｌａｗｒｅｎｃｅ，ＭＡ）の製品）であり、異なる厚さの、同様の材料が入手可能であり使用されてもよい。補強材材料は、補強されるインサート５０の一部と積層されるか、又はこれに接着剤により適用されてもよく、又は他の任意の好適な方法によって適用されるか、固定されるか、含まれてもよい。好適な強化材料の他の実施例は、不織布材料の追加的な層；タフト状不織布；フィルム、フィルムの積層体、不織布、及び／又は他の材料の積層体；締結ループ又はフック構成要素のパッチ；好適な把持構造の一部；他のインサート及び／又はコア材料の１つ以上の部分などが挙げられる。当業者は、上記の、及び本明細書における試験により測定される硬度は、様々な方法による材料の選択及び／又はインサート端部の構成への追加により増加させることができることを容易に理解する。
【０１６５】
端部支持強化材６０、６２は、これらが位置するインサート５０の領域の平坦な横方向及び／又は長手方向の剛性を、このような強化材に隣接し、平面図における（例えば、図４）横方向軸７０により近い、インサート５０の部分と比較して、より高くしてもよい。剛性のこれらの異なる配向特性は、インサート５０の様々な特性に影響を与え得る。例えば、図３を参照すると、端部支持補強材６０、６２（補強部分）を含む部分の、起立カフ５３の長手方向張力に抵抗する能力（特に縁部５８に沿って）は、補強材の平面及び長手方向剛性の１つ以上の影響を受け得ることが分かる。補強部分の存在に付随する柔軟性、及び関連する着用者の快適性又は不快感は、補強材の平面剛性の影響を受け得る。
【０１６６】
補強材はまた、充填後に、不適切に又は望ましくないかたちでインサート５０が湾曲しないように補助し得る。一実施形態において、弓状（着用者上に位置付けられる場合と同様）の位置を長手方向に維持するのに役立つか、又は維持する、１つ以上の補強材が設けられてもよく、それによりインサートは連続的な周囲部を備える腰部区域を有するパンツ内に容易に挿入することができる。
【０１６７】
起立カフの長手方向張力に抵抗する補強部分の能力に関連した剛性の１つの尺度は、縁部偏向力であり、これは、以下に記載の縁部偏向力測定法に従って測定される。構造的剛性及び快適性という、潜在的に相容れない目的の観点から、インサート端部の強化部分（すなわち、端部支持強化材を含む端部）は、下記の縁部偏向力測定方法により測定した際に、少なくとも約０．２Ｎ、あるいは少なくとも約０．５Ｎ、又は代替的に、及び更により好ましくは、それぞれ、約０．２Ｎ〜約３．０Ｎ、又は約０．４Ｎ〜約２．０Ｎ、又は更に約０．５０Ｎ〜約１．７０Ｎの平均縁部屈曲力（３０）を有することが望ましい場合がある。（用語「ピーク縁部偏向力（ｙ）」、又は「縁部偏向力（ｙ）」が本明細書において使用されるとき、「ｙ」は、縁部偏向力測定方法において記載される際に間隔１０１０のｍｍによる横方向寸法であり、本明細書において図１９Ａに示される。）
【０１６８】
補強部分の快適性に関する剛性の他の測定は、以下に記載の曲げ剛性測定法に従って測定されるピーク屈曲力及び曲げ剛性（Ｐｅａｋ  Ｂｅｎｄｉｎｇ  Ｆｏｒｃｅ  ａｎｄ  Ｂｅｎｄｉｎｇ  Ｓｔｉｆｆｎｅｓｓ）である。快適性に対する懸念から、インサートの硬化部分（すなわち、端部支持補強材を含む端部の部分）は、約０．１Ｎ〜４．０Ｎ、あるいは約０．１Ｎ〜３．７Ｎ、あるいは約０．２Ｎ〜３．７Ｎ、あるいは約０．２Ｎ〜３．０Ｎ、又は約０．５Ｎ〜２．５Ｎの平均ピーク屈曲力を有することが望ましい場合がある。加えて、又は代替的に、インサート端部の硬化部分は、約１００Ｎ〜１０００Ｎ／ｍ、あるいは約１００Ｎ／ｍ〜６００Ｎ／ｍ、又は約２００Ｎ／ｍ〜５００Ｎ／ｍ、又は３００Ｎ／ｍ〜４００Ｎ／ｍの平均曲げ剛性を有することが望ましい場合がある。
【０１６９】
端部支持補強材６０、６２は、インサート５０の端部の一方若しくは両方に隣接して又は近くに位置付けられてもよく、その幅の実質的な部分に沿ってインサート５０を補強するために、その横方向中心から横方向に延在してもよい。あるいは、補強材は、その長手方向で最も外側の縁部（インサート５０に対して、すなわち、横方向軸７０から最も遠い縁部）が、インサート５０の関連する端部から少なくとも約０．５、１、２ｃｍに配置され、インサート５０の長手方向中央線の周囲で実質的に横方向で中心に合わされ得るように配置され得る。１つ以上の端部支持補強材６０、６２は、少なくとも、幅Ｗｉの約３０％、あるいは約４０％、あるいは約５０％〜約１００％の幅を有してもよく、又はインサート５０を形成する他の材料の長手方向縁部を超えて延びてもよい。端部支持補強材６０、６２は任意の長手方向寸法を有することができるが、ある状況では、インサートの長さの２５％未満の長手方向寸法が、着用者の快適性をより良好に保証することができ、したがって望ましくあり得る。いくつかの実施例において、端部支持補強材６０の長手方向寸法Ｌｉｓ（図２Ｗ、２Ｘ）は、補強材の長手方向に最も外側の縁部から、補強材の長手方向最も内側の範囲（すなわち、最も近い横方向軸７０）まで測定した際に、約５ｍｍ〜約５０ｍｍであってもよい。補強材はまた、インサート５０を形成する他の材料の長手方向縁部の一方又は両方を超えて横方向に延びてもよく、その端部のインサート５０を形成する他の材料の横方向縁部を超えて長手方向に延び得る。インサート５０の一方又は両方の末端部が、末端支持補強材を有してもよい。補強材は、フック材料のストリップ又はパッチなどの締結構成要素を含むか、これにより形成されるか、又はこれにより更に補強されてもよい。インサート５０が両端に端部支持補強材を含む実施例では、各端部支持補強材は、異なる形状、寸法、剛性、厚さ、色、構造、配置、材料、又は組成物を有してもよい。末端支持補強材はまた、上述のように、かつ図３に示されるように、把持構造体又は締結要素を包含してもよく、又はこれらと一体であってもよい（末端支持補強材６０は把持構造体５９と一体に描かれている）。
【０１７０】
一実施形態において、インサート５０の補強材は、連続的であっても、非連続的であってもよい、Ｉ字型又はＸ字型構成で設けられてもよい。Ｉ字型、又はＸ字型補強材の上部は、前方区域５４内で横方向に延びてもよく、Ｉ字型又はＸ字型補強材の中央部分が少なくとも前方区域５４と後方区域５５との間で長手方向に延びてもよく、Ｉ字型又はＸ字型補強材の底部は、後方区域５５を通じて横方向に延びてもよい。一実施形態において、このようなＩ字型又はＸ字型補強材がパンツに設けられてもよい。このようなＩ字型又はＸ字型補強材は、所望により、インサート５０を外側カバー２０に挿入するとき、及びここから取り外すときに、又は他のときに、インサート５０の湾曲を維持するのに役立つ場合がある。
【０１７１】
締結構成要素の構成及び端部補強の特徴
上記のように、インサート５０の端部における、効果的に力分離され、単一化／局所化された締結システムの使用は、利益と不利益の両方を呈し得る。不利益のいくつかは、端部支持強化材を含めることにより、又は代替的に、インサートの角部において支持を提供する、更なる力分離締結システムの使用によって、緩和され得る。
【０１７２】
同様に、角部、又はその付近のインサート５０の端部における、２つの分離した締結具構成要素を有する締結システムの使用は、利益及び不利益（製造における費用の増加及び複雑性を含む）の両方を呈することがある。不利益のいくつかは、端部支持補強材を含めること、及び／又は比較的力分離した、単一化／局所化した締結システムを使用することによって緩和され得る。
【０１７３】
インサート５０の端部支持補強材を含めることは、有益な効果を有し得るが、これはまた着用者の快適性、製造における費用の増加及び複雑性の問題を生じることがある。
【０１７４】
これらの様々な種類のインサート・外側カバー締結、及び／又は支持システムが呈する各利益及び不利益を考慮し、ユーザーの利便性、フィット、構造支持、インサート５０及び起立カフ５３の一体性、及び収容機能に対処するこれらのシステム、着用者の快適性、並びに製造における費用及び複雑性の最小化の組み合わせを利用することが望ましいことがある。
【０１７５】
ある状況において、インサート５０の端部角部を外側カバーに効果的に取り付ける取り付けゾーン／締結構成要素のペアを含めることは、費用及び／若しくは複雑性の理由により望ましくないことがあり、又は上記のように、インサート５０の各端部の近位のただ１つの単一化／局所化した、横方向で中心に合わされた締結位置を有することの利益を犠牲にし得る。例えば、外側カバー２０の後方区域では、上記の理由から、力分離された構成をもたらす単一化及び比較的局所化された締結位置が望ましくあり得る。しかしながら、この効果が、角部支持及び起立カフ５３の支持の望ましくない損失である場合、端部支持補強材は、単一化／局所化締結システムと共に、望ましい場合がある。
【０１７６】
１つ以上の端部支持補強材６０、６２を含むインサート５０の一部分は、起立カフ５３の張力に効果的に耐え、インサート５０の使用中に起立カフ５３及びその縁部５８をガスケット形状に実質的に維持し、かつインサート５０の角部を横方向に拡張された位置に実質的に維持して、角部の座屈又は塊化を抑制するのに十分なほど硬いのが望ましくあり得る。所望の追加の剛性の程度は、補完的な端部支持補強材を有さないインサート材料の固有の剛性、吸収性物品１０が着用される際の起立カフ５３内の張力の程度及び／又は範囲、横方向の最も外側の締結構成要素の横方向の最も外側の縁部とインサート５０の最も近い長手方向縁部との間の間隔を含む、様々な要因に依存し得る。同時に、着用者の快適性及び安全性の目的上、１つ以上の端部支持補強材６０、６２を含むインサート５０の一部分は、着用者の体の動きと共に楽に屈曲する、及びなんらかの打撲傷、摩擦、又は炎症が生じる前に降伏するか又は潰れるのに十分なほど柔軟であるのが望ましくあり得る。硬化した部分が弾性の性質であり、よって曲げるか、折り畳まれるか、又は拗られた後に、特定の形状（例えば、実質的に平坦又は平面的な）構成に戻る傾向を有することが望ましい場合がある。したがって、端部支持補強材は、弾性ポリマー材料、積層材料、及び／又は複合材料から形成され得る。
【０１７７】
図２Ｗ及び２Ｘは、自由縁部５８を備える起立カフ５３を有するインサート５０の端部に関する２つの可能な形態を概略的に示す。図２Ｗは、横方向で中心に合わされた、単一化した締結構成要素５６を有する端部を表す。図２Ｘは、横方向に分離され、インサートの隅部付近に配置された、２つの締結構成要素５６を有する端部を示す。これらの図において、Ｗｉは、端部支持補強材を含まない、インサート５０にわたる最も大きな幅であり、Ｗｆは、締結構成要素の締結可能な有効部分の横方向に最も外側の範囲の間のＷｉの部分であり、ＬＵＤ（横方向外側の固定されない寸法）は、いずれかの締結構成要素の締結可能な有効部分の横方向に最も外側の範囲の横方向外側に位置する幅Ｗｉの部分であり、ＣＵＤ（中央の固定されない寸法）は、２つの横方向に分離した締結構成要素の締結可能な有効部分の横方向に最も内側の間に位置する、幅Ｗｉの部分である。（本明細書の目的のため、「締結可能な有効部分」とは、インサート５０の幅の一部を外側カバー２０へと有効に力分離する締結具構成要素のいずれかの部分を意味する。Ｌｉｓは、補強材の長手方向に最も外側の縁部から、補強材の長手方向に最も内側の範囲（すなわち、最も近い横方向軸７０）まで測定した、端部支持補強材の長手方向寸法である。
【０１７８】
いずれかの特定理論により束縛されることを意図せず、インサートにおける、寸法Ｗｆ、ＬＵＤ、ＣＵＤ及び／又は曲げ剛性の組み合わせは、ユーザーの利便性、フィット、構造的支持、インサート５０及び起立カフ５３における一体性及び収容機能、並びに着用者の快適性を含む、属性間の良好なバランスを生じるために有効であり得るものと考えられる。（用語「ピーク縁部偏向力（ｙ）」、又は「縁部偏向力（ｙ）」が以下において使用されるとき、「ｙ」は、縁部偏向力測定法において記載される際に間隔１０１０のｍｍによる横方向寸法であり、本明細書において図１９Ａに示される。）
【０１７９】
締結構成要素構成によらない、インサート端部曲げ剛性
□インサート端部は、少なくとも約１００Ｎ／ｍ、又はより好ましくはそれぞれ、少なくとも約２００、３００又は４００Ｎ／ｍ、又は代替的に、約２００〜約５００Ｎ／ｍの曲げ剛性を有する。
□インサート端部は、端部支持補強材を有し、かつ少なくとも約１００Ｎ／ｍ、より好ましくは、それぞれ、少なくとも約２００、３００又は４００Ｎ／ｍの曲げ剛性を有し、又は代替的に、約２００〜約５００Ｎ／ｍの曲げ剛性を有する。
□インサート端部は、端部支持補強材を有し、かつ端部支持補強材が少なくとも約５０Ｎ／ｍ、より好ましくは、それぞれ、少なくとも約１００、２００又は３００Ｎ／ｍの曲げ剛性を有し、又は代替的に、約１００〜５００Ｎ／ｍの曲げ剛性を有する。
□インサート端部は、約５０ｍｍ以下のＬｉｓを有し、インサート端部は、少なくとも約１００Ｎ／ｍ、より好ましくは、それぞれ、少なくとも約２００、３００又は４００Ｎ／ｍの曲げ剛性を有し、又は代替的に、約２００〜約６００Ｎ／ｍの曲げ剛性を有する。
□インサート端部は、少なくとも約１０ｍｍのＬｉｓを有する端部支持補強材を有し、インサート端部は、約１，０００Ｎ／ｍ以下、より好ましくは約５００Ｎ／ｍ以下の曲げ剛性を有する。
□インサート端部は、約５０ｍｍ以下のＬｉｓを有し、補強材は、少なくとも約５０Ｎ／ｍ、より好ましくは、それぞれ、少なくとも約１００、２００、又は３００Ｎ／ｍの曲げ剛性を有し、又は代替的に、約１００〜約５００Ｎ／ｍの曲げ剛性を有する。
【０１８０】
非ゼロＬＵＤを有するインサート端部曲げ剛性、及びピーク縁部屈曲
□インサート端部は、ゼロ（０）を超えるＬＵＤを有し、少なくとも約０．５０Ｎ、より好ましくはそれぞれ、少なくとも約０．６０Ｎ、約０．７０Ｎ、約０．８０Ｎ、約０．９０Ｎ又は約１．０Ｎ又は代替的に約０．５０Ｎ〜約１．０Ｎの、ピーク縁部偏向力（３０）を有する。
□インサート端部のいずれのＬＵＤも約４０ｍｍを超えず、インサート端部は、少なくとも約２００Ｎ／ｍ、より好ましくは少なくとも約３００Ｎ／ｍの曲げ剛性を有する。
□インサート端部は、少なくとも約４０ｍｍのＬＵＤを有し、インサート端部は、少なくとも約３００Ｎ／ｍ、より好ましくは少なくとも約４００Ｎ／ｍの曲げ剛性を有する。
□インサート端部は、少なくとも約５ｍｍのＬＵＤ、及び少なくとも約２００Ｎ／ｍ、より好ましくは３００Ｎ／ｍ、更により好ましくは４００Ｎ／ｍの曲げ剛性を有する。
□インサート端部は端部支持剛性を有し、少なくとも約４０ｍｍのＬＵＤを有し、少なくとも約３００Ｎ／ｍ、及びより好ましくは４００Ｎ／ｍの曲げ剛性を有する。
□インサート端部は端部支持強化材を有し、少なくとも約４０ｍｍのＬＵＤを有し、端部支持補強材は、少なくとも約５０Ｎ／ｍ、より好ましくは１００Ｎ／ｍ、より好ましくは２００Ｎ／ｍ、及び更により好ましくは３００Ｎ／ｍの曲げ剛性を有する。
□インサート端部は、少なくとも約４０ｍｍのＬＵＤを有し、ＬＵＤを含むインサート端部区域の少なくとも一部に位置する端部支持強化材を有し、端部支持補強材は、少なくとも約５０Ｎ／ｍ、より好ましくは約１００Ｎ／ｍ、より好ましくは２００Ｎ／ｍ、及び更により好ましくは３００Ｎ／ｍの曲げ剛性を有する。
□インサート端部は端部支持補強材を有し、少なくとも約５ｍｍのＬＵＤを有し、端部支持補強材は、少なくとも約０．２Ｎ、より好ましくは、それぞれ、少なくとも約０．３Ｎ、約０．５Ｎ、０．７Ｎ又は約１．０Ｎのピーク縁部偏向力（３０）を有する。
【０１８１】
非ゼロＣＵＤを有する挿入端部曲げ剛性
□挿入端部は、約１００ｍｍ以下、より好ましくは約８０ｍｍ以下、より好ましくは約６０ｍｍ以下のＣＵＤ、又は代替的に約３０ｍｍ〜約８０ｍｍのＣＵＤ、かつ少なくとも約２００Ｎ／ｍ、より好ましくは少なくとも約３００Ｎ／ｍの曲げ剛性を有する。
□インサート端部は少なくとも約５．０ｍｍ、より好ましくは少なくとも約１０ｍｍ、２０ｍｍ、更により好ましくは少なくとも約５０ｍｍ、及びより好ましくは約８０ｍｍのＣＵＤ、かつ少なくとも約３００Ｎ／ｍ、より好ましくは少なくとも約４００Ｎ／ｍ、及び約５００Ｎ／ｍ以下の曲げ剛性を有する。
□インサート端部は、補強材を有し、約１００ｍｍ以下、より好ましくは８０ｍｍ、より好ましくは６０ｍｍのＣＵＤ、又は代替的に、約３０ｍｍ〜約８０ｍｍのＣＵＤを有し、かつ少なくとも約５０Ｎ／ｍ、より好ましくは１００Ｎ／ｍ、及びより好ましくは２００Ｎ／ｍの曲げ剛性を有する。
□インサート端部は、少なくとも約５．０ｍｍ、より好ましくは少なくとも約２０ｍｍ、更により好ましくは少なくとも約５０ｍｍのＣＵＤを有し、少なくとも約０．２Ｎ、より好ましくは０．５Ｎ、及び更により好ましくは０．７Ｎのピーク縁部偏向力（３０）を有する。
【０１８２】
目安印、向きの印、及び位置合わせ印
上述のように、インサート５０は、その横方向軸に対してインサート５０を非対称にする特徴を付与されてもよい。そのような非対称の形状にもかかわらず、図４に示されるように、インサート５０は、その横方向軸に対して非対称であるように見えない全体輪郭を有していてもよい。例えば、図４に示されるように、インサート５０は、開かれ、かつ平らにされたときに、実質的に矩形であり、したがってその横方向軸７０に対して対称に見える全体輪郭を有してもよい。横方向軸に対して対称に見える全体輪郭を有するその他のインサートの輪郭もまた可能である。更に、インサート５０が横方向軸に対して非対称である全体輪郭を有する場合でも、どの部分が前方部分であり、どの部分が後方部分であるかは、その輪郭からだけでは明確でない可能性がある。このように、インサート５０のどの部分が前方部分で、どちらが後方部分かを示す十分に認識可能なシグナルが存在しない場合、ユーザーがこれを判断するのは困難な可能性があり、その結果、間違った前後の相対的な向きでインサート５０を外側カバー２０の中に設置しようと試みて、結果として準最適なフィット、外観、排出物収容及び／又は快適性が生じる可能性がある。
【０１８３】
インサート５０及び／又は外側カバー２０は、インサート５０の一部分の外側カバー２０内への正しい位置決め及び関連付けを指示する、容易にする及び／又は強制するための１つ以上のインサート目安印を含んでもよい。インサート目安印は、着用可能な吸収性物品１０の最適性能を可能にするように、インサート５０と外側カバー２０の正しい領域との係合、及びそれらの正しい向きでの係合を指示する又は強制するように寸法設定されかつ形成された、言葉の又は言葉でない指示印、視覚的目安印、協働する幾何学的特徴、協働するタイプの締結要素、又は締結要素の協働する設計を含んでもよい。可能な目安印の構成要素の他の例には、１つ以上の協働する色、形状、模様、線、輪郭、シルエット、その他の幾何学的特徴、凸部又は凹部、質感、パターン、目標線又は十字線、ブルズアイ表現等が挙げられ、これらは外側カバー２０及び／又はインサート５０の上に配置されて、外側カバー２０内におけるインサート５０の正しい位置決めを示す。一実施形態において、図２Ｍ（角部、外形画像８０）に例示されるように、外側カバー２０の内側表面２５は、インサート５０の外形又はインサート５０のシルエット、若しくはその一分を印刷されてもよい。図２Ｙに示される別の実施形態において、把持タブ５９などのインサート５０の１つ以上の部分は、これを通じた孔又はウィンドー５９ａの形状の、標的印を有してもよく、外側カバー２０の内側は、その上の対応する標的印を有してもよく（例えば、点又は他の画像）（図示されない）、これは、インサート５０が外側カバー２０内に位置付けられる際に、孔／ウィンドー５９ａを通じて可視であり及び／又はこれと位置合わせされる。あるいは、インサート５０の前方区域５４及び後方区域５５の一方又は両方は、外側カバーの形状、又はその一般化した形を示す、インサート上に配置されたピクトグラムを有してもよく、外側カバー２０の前後は寸法、色、コントラスト、又は他の何らかの表示で示され、正しいインサートの設置の向きを示す。例えば、インサート５０の後方区域５５に配置される外側カバーのピクトグラムは、明るい色、矢印、円等で示される後方外側カバー領域又はその一部分を有してもよく、インサート５０の前方区域５４に配置される外側カバーのピクトグラムは、同様に示される前方外側カバー領域又はその一部分を有してもよい。
【０１８４】
目安印はまた、１つは外側カバー２０の上、もう１つはインサート５０の上の少なくとも２つの協働要素を含んでもよく、これら２つの要素が関連付けられると、外側カバー／インサートシステムの各要素は互いに対して適切に向きを定め、最も適切に機能することになる。一例を挙げれば、外側カバー２０の内側表面２５には、インサートの位置を指し示す第１の矢印がプリントされてもよく、インサート５０には、インサート５０と外側カバー２０とが正しく相対的に位置付けられると第１の矢印を指し示す第２の矢印がプリントされてもよい。
【０１８５】
印は、正しい最適な配置を示す相関性と、間違った準最適な配置を示す非相関性とを認知的に関連付けるか、又は関連付けない。対応の認知的に関連する目安印は、インサート５０上の印と認知的に関連する外側カバー２０上の印を含んでもよく、インサート５０と外側カバー２０との正しい相対位置決め及び係合をユーザーに示す。例えば、インサート５０上、及び外側カバー２０の各認識的に対応する印は、共通の色、形状又は感触を有し得る。（本明細書において使用するとき、「共通の色」には、第１の色、及び認識可能な色彩、又はその変化形が挙げられ、これは、吸収性物品の全ての特徴を考慮し、吸収性物品の別の色から視覚的、かつ認識的に区別可能である。
【０１８６】
一実施形態において、外側カバー２０は、内部に画定された１つ以上の「ウィンドー」透明部分、又は開口部を含み得る。インサート５０はその外側表面上に、１つ以上の湿潤インジケータ、充填インジケータ、又は当業者に既知の他のいずれかの好適なインジケータを含み得る。湿潤インジケータは、インサート５０を交換する必要があるときに、ユーザーにこれを指示するように構成されている。充填インジケータは、交換せずにインサート５０をあとどのくらい使用できるかを示すために、インサート５０の充填度（例えば、湿潤％）を示すように構成される。多数のインジケータは、外側カバー２０上に設けられた多数のウィンドー、透明部分、又は開口部を備えるインサート５０に設けられてもよい。様々なインジケータは、介護者がインジケータを見ることができるように、外側カバー２０内に画定されたウィンドー、透明部分、又は開口部と位置合わせされるべきである。加えて、ユーザーは、インサート５０を外側カバー２０に取り付けるときに、ウィンドー、透明部分、又は開口部を備えるインジケータを位置合わせするように、直感的に誘導される。一実施形態において、インジケータは、インサート５０の代わりに、又はこれに加えて、外側カバー２０上に設けられてもよい。
【０１８７】
図２Ｂ、図３及び図４を参照すると、インサート５０が上記のように非対称である場合、最適な前方区域５４は１つだけであり、最適な後方区域５５は１つだけであり得る。同様に、外側カバー２０が上記のように非対称である場合、最適な前側区域２７は１つだけであり、最適な後方区域２８は１つだけであり得る。したがって、これらの非対称の一方又は両方が存在する場合、間違った前後の相対的な向きで外側カバー２０内にインサート５０を設置すると、着用可能な吸収性物品１０が最適にフィット及び／又は機能しない可能性がある。したがって、外側カバー２０及び／又はインサート５０に、これらの構成要素の正しいそれぞれの前後の向きをユーザーに知らせるように適合された１つ以上の印を組み込むことが、ある状況では望ましくあり得る。そのような印はそのような情報を、機能的に、触覚的に及び／又は視覚的にユーザーに提供することができる。
【０１８８】
機能的な印は、正しい前後の向きでは適切に、有効に及び／又は最適に機能することが、間違った前後の向きでは適切に、有効に及び／又は最適に機能しない締結具構成要素を包含し得る。
【０１８９】
例えば、図２Ｂ及び図３を参照すると、外側カバー２０上の取り付けゾーン３３は、最適な／最大限の締結確実性をもたらすために、インサート５０上の前方締結要素５６とだけ協働し、インサート５０上の後方締結要素５７とは協働しない。同様に、外側カバー２０上の後方取り付けゾーン３２は、最適な／最大限の締結確実性をもたらすために、インサート５０上の後方締結要素５７とだけ協働し、インサート５０上の前方締結要素５６とは協働しない。
【０１９０】
図２Ｋ〜２Ｌから概念的に理解されるより具体的な例では、外側カバー２０上の前方インサート締結構成要素３３はループのパッチを有してもよく、インサート５０上の前方締結構成要素５６は係合するフックのパッチを有してもよい（図２Ｋ〜２Ｌにおいて、取り付けゾーン／締結構成要素３３、５６の斜線により示される係合関係）。これに対応して、外側カバー２０上の後方取り付けゾーン３２は、フックのパッチを含んでもよく、一方でインサート５０上の後方締結構成要素５７は、係合するループのパッチを含んでもよい（図２Ｋ〜２Ｌ内の取り付けゾーン／締結構成要素３２、５７の斜線の不在により示される締結関係）。したがって、この特定の例では、ユーザーが誤って、インサート５０上の後方締結構成要素５７（ループ）を外側カバー２０上の前方取り付けゾーン３３（ループ）と締結しようと試みると、適切な又は最適な締結はもたらされず、このことは、正しい／最適な前後の向きでインサートを外側カバー２０に設置するためには、ユーザーがインサート５０を１８０度回転させなければならないことを、ユーザーに伝達することになる。
【０１９１】
図２Ｋ〜２Ｌから同様に概念的に理解される別の具体的な例では、外側カバー２０上の前方取り付けゾーン３３は雌型スナップ締結構成要素を有してもよく、インサート５０上の前方締結構成要素５６は噛み合う雄型スナップ締結構成要素を含んでもよい（図２Ｋ〜２Ｌにおいて要素３３、５６の斜線で示される係合関係）。これに応じて、外側カバー２０上の後方取り付けゾーン３２は、雄型スナップ締結構成要素を含んでもよく、インサート５０上の後方締結構成要素５７は、係合する雌型スナップ締結構成要素を含み得る（図２Ｋ〜２Ｌ内の取り付けゾーン／締結構成要素３２、５７の斜線の不在により示される締結関係）。したがって、この特定の例では、ユーザーが誤って、インサート５０上の後側締結要素５７（雌スナップ締結要素）を外側カバー２０上の前方取り付けゾーン３３（雌型スナップ締結要素）と締結しようと試みると、要素は互いに適切にフィットせず、適切な又は最適な締結はもたらされず、このことは、適切／最適な前後の向きでインサートを設置するためには、ユーザーがインサート５０を１８０度回転させなければならないことを、ユーザーに伝達することになる。
【０１９２】
このように、機能的な印は、インサート５０及び外側カバー２０が適切に向きを定められると、適切に及び／又は最適に機能して、これらの間に締結及び最大限の締結確実性をもたらすが、そうでなければ適切に又は最適に機能しない、任意の取り付けゾーン／締結要素を包含することができる。インサート５０の前方区域５４及び後方区域５５を区別し、外側カバー２０内の正確な向きを示すために、いずれかの異なる種類の取り付けゾーン／締結構成要素、又はシステムが組み合わされてもよい。一般的に、このような機能的な印の使用により、インサート５０の前方区域５４及び外側カバー２０の前方腰部区域２７は、それぞれ、インサート５０の後方区域５５、及び外側カバー２０の後方腰部区域２８の対応する締結具構成要素種類と、不適合であるか、又は著しく効率が低い。このような機能的な印の別の例として、前方インサート取り付けゾーン／締結具の対３３、５６はフック・ループ締結システムでもよく、後方インサート取り付けゾーン／締結具の対３２、５７はスナップ締結システムでもよい。別の例では、前方インサートの取り付けゾーン／締結具構成要素はポケット又はフラップ構造体を包含してもよく、後方取り付けゾーン／締結具構成要素は異なる締結システムを具現化してもよい。前側及び後側取り付けゾーン／締結構成要素は、本明細書に開示の、ないしは別の方法で入手可能な、任意の２つの異なる締結システムを含んでもよい。
【０１９３】
別の例では、機能的な印は、類似の又は適合性のある締結システムタイプの相互排他的な幾何学的形状を有する取り付けゾーン／締結具の対３３、５６及び３２、５７によって具現化されてもよい。例えば、図２Ｅ〜２Ｆ、及び２Ｇ〜２Ｈに示されるように、前方取り付けゾーン／締結構成要素の対３３、５６は、第１の位置及び形状を有してもよく、一方で後方取り付けゾーン／締結具構成要素の対３２、５７は第２の位置及び形状を有し、これにより、外側カバー２０内で不適切な前後方向でインサート５０を設置しようとしたときに、取り付けゾーン／締結構成要素の対は、視覚的に適切で機能的に効果的な取り付けをもたらすように、位置合わせせず、ユーザーに、正確／最適な前後方向で設置するためにインサート５０を１８０°回転させなければならないことを伝える。別の同様の例では（図示せず）、前側インサートの締結システムは、輪状又はドーナッツ状の形状を有してもよく、後側インサートの締結システムは、前側インサートの締結システムの輪の中央開口部の直径よりも小さな直径を有する円の形状を有してもよい。更に別の例では（図示せず）、前側及び後側インサートの締結システムは、主として吸収性物品１０の長手方向軸（すなわち、インサート５０及び外側カバー２０の両方の長手方向軸）の片側に位置してもよい。この実施例において、インサート５０が、適切な前後方向で外側カバー２０に適用されると、取り付けゾーン／締結構成要素が適切に位置合わせしない。別の例では（図示せず）、前方インサートの締結システムは、吸収性物品１０の長手方向軸の方向に沿って配置された連結締結具を含んでもよく、後方締結システムは、吸収性物品１０の腰部縁部又は横方向軸の方向に沿って配向された連結締結具を含んでもよい。図２Ｅ〜２Ｆ及び２Ｇ〜２Ｈから概念的に理解することができる別の例では、前方締結システムは、インサート５０の長手方向縁部に沿って配置される１つ以上の取り付けゾーン／締結構成要素３３、５６を包含してもよく、後方締結システムは、インサート幅より幅が狭く、かつ吸収性物品１０の長手方向軸上に配置される単一取り付けゾーン／締結具構成要素対３２、５７を包含してもよい。
【０１９４】
インサートを外側カバーに結合するために接着剤を使用する成人失禁用パンツ製品の実施例において、外側カバーは、インサートの長手方向中点がどこに位置付けられるかを示す、横方向線を有してもよい。また、このような外側カバーは、インサートの角部又は縁部を位置合わせするための、マークを有してもよい。インサートはひいては、その長手方向中点を通じて延びる横方向線を有し得る。膝付近で、又は膝を超えてパンツが引き下ろされるとき、着用者又は介護者は、インサート上の横方向線を外側カバー上の横方向線に正確に位置合わせし、その後インサートを外側カバーの股部区域に取り付けることができる。その後着用者又は介護者は、インサートの角部又は縁部を、外側カバーの角部又は縁部マーキングと整列することを確かめながら、自らをインサートの前端部及び後端部に合わせる。これは女性の成人失禁用製品の１つの可能な実施であり、これは多くの女性が、この方法により、月経パッド又はライナーをそのパンティへと適用するためある。インサートの外側カバーへの取り付けを改善させるため、及びより良好な「適所に留まる」経験をもたらすため、未伸張不織布又はフィルムの追加的な層が、インサート取り付け領域の少なくとも一部、又は全部において外側カバーに追加され得る。この追加的な層は、インサートを外側カバーに取り付けるのを容易にし得る。
【０１９５】
一実施形態において、外側カバーは、２つ以上の異なる寸法のインサートのために、角部若しくは縁部、又はマークされた他の線を有し得る。可能性として、介護者又は着用者は、その所望の必要性のために、適切なインサートを選択することを所望する場合がある。例えば、ユーザーが外出し、トイレから長時間にわたって離れる場合、より大きな寸法及び／又はより大きな吸収能力を有し得る、より吸収性の高いインサートを使用してもよい。より短い使用時間では、ユーザーは、より寸法の小さい及び／又は吸収性能の低いインサートを使用することを選択してもよく、これはユーザーにとってより快適であり、また経済的である。また、インサートの前端及び後端を通じて漏れが生じる夜間には、ユーザーは、より大きく及び／又はより吸収性の高いインサートを使用することを選択してもよい。
【０１９６】
機能的な印は必ずしも取り付けゾーン／締結具構成要素に限定されない。機能的な印はまた、間違った（逆の）、準最適な前後方向に対して、適切な、最適な前後方向で、外側カバー及びインサートが互いにどのようにフィット又は機能するのかに影響を与える、外側カバー２０及びインサート５０の他の特徴で具現化されてもよい。このように、機能的な印は、追加的に、外側カバー２０又はインサート５０の別の機能要素と関連付けられてもよく、又は組み合わされてもよい。印は、ウエストバンド、サイドパネル、伸張要素、レッグカフ、物理的保持締結要素（例えば、ポケット又は保持ストラップ）等などの外側カバー２０の要素と関連付けられてもよい。印は、腰部キャップ、ウエストバンド、起立カフ、糞便管理機能、インサート位置付け補助具、インサート補強補助具、インサート取り外し補助具、又はインサート廃棄補助部などのインサート２０の要素と関連付けられてもよい。
【０１９７】
以上から、他の形態の機能的な向きの印が、上記説明の原理の範囲で可能であることが理解されるであろう。更に、記載された異なるタイプの印のいずれかは、任意の組み合わせで単一の吸収性物品内に含まれてもよい。
【０１９８】
他の可能な例では、上記のような対応の機能的に協働する／協働しない取り付けゾーン／締結具構成要素の対に代えて、インサート５０及び外側カバー２０は、触覚性又はその他の知覚的な印のような対応の非機能的な印を有してもよい。
【０１９９】
例えば、前方インサート及び外側カバー取り付けゾーン／締結構成要素は、第１の触覚特性を有するように選択又は形成されてもよく、後方インサート及び外側カバー取り付けゾーン／締結構成要素は、第２の触覚特性を有するように選択又は形成されてもよい。別の例では、インサート及び外側カバーの特徴は、最適な前後の向きでは噛み合う又は幾何学的に協働するが、逆の準最適な前後の向きでは噛み合わない又は幾何学的に協働しない三次元形状などの特徴を有してもよい。
【０２００】
他の可能な例では、上記のような対応の機能的に協働する／協働しない取り付けゾーン／締結構成要素の対又は触覚性の印構成要素に代えて又はこれに加えて、インサート５０及び外側カバー２０は、対応の視覚的印を有してもよい。外側カバー２０は、前方腰部区域２７及び後方腰部区域２８の上にそれぞれ配置される対応の前方視覚的印７３及び後方視覚的印７４を有してもよい。インサート５０及び外側カバー２０上に配置される対応する視覚的印は、外側カバー２０内のインサート５０の正しい／最適な配向及び配置の視覚的合図をユーザーに提供するように適合され得る。
【０２０１】
例えば、視覚的印、及び視覚的合図の構成要素は、一般的な色、又は明るい及び暗い色の使用を伴い得る。１つの具体的な例では、外側カバー２０上に配置される前方視覚的印７３、及び／又は後方視覚的印７４（図２Ｂ参照）は、相互に可視的に区別できる対応の一般的な色を含んでもよい。（本明細書において使用するとき、「共通の色」には、第１の色、及び認識可能な色彩、又はその変化形が挙げられ、これは、吸収性物品の全ての特徴を考慮し、吸収性物品の別の色から視覚的、かつ認識的に区別可能である。インサート５０は、その上に配置される又は具現化される対応の協働する印を有してもよい。したがって、例えば、インサート５０の上の前部ユーザー把持構造体５９、及び後部ユーザー把持構造体６１は、それぞれ一般的な、前側視覚的印７３、及び／又は後側視覚的印７４に含まれる色と対応する色を有してもよく又はこの色で着色されてもよい。より詳細には、例えば、前側視覚的印７３及び、前部ユーザー把持構造体５９などのインサートの特徴は、共に第１の共通の色を有してもよく又は該色で着色されてもよく、後側視覚的印７４、及び後部ユーザー把持構造体６１などの特徴の一方又は両方は、第１の一般的な色と視覚的に識別可能な第２の一般的な色で着色されてもよい。
【０２０２】
図２Ｉ〜２Ｊ、２Ｍ〜２Ｎ及び３から概念的に理解され得る別の特定の例では、外側カバー２０上に配置される前方及び後方視覚的印７３、７４は、前方及び後方ユーザー把持構造体５９、６１並びに／又は締結構成要素５６、５７などのインサートの特徴の上に具現化された又は描かれた対応する形状若しくは寸法と一致する、又は認知的に相関する、視覚的に相関する対応の形状若しくは寸法の画像を具現化してもよく、又はこの画像を有してもよい。より詳細には、例えば、前側視覚的印７３又は前部ユーザー把持構造体５９は共に三角形の画像を具現化又は有してもよく、後側視覚的印７４又は後部ユーザー把持構造体６１は共に円の画像を具現化又は有してもよい。インサートの上、及び外側カバーの上のこれに対応する位置にそれぞれ配置される認知的に相関する印の他の例には、野球のボールとグローブ、サッカーボールとゴール、テニスラケット及びテニスボール、ゴルフクラブ及びゴルフボール、鳥と巣、及びよく認識された組み合わせの構成要素の任意のその他の画像が挙げられ、これらは、このような画像を有する又は具現化する２つの部分が、インサート５０を外側カバー２０内に設置する間に合体されることをユーザーに示すことになる。
【０２０３】
別の特定の例では、外側カバー２０上に配置される前側及び後側視覚的印７３、７４は、「前側」及び「後側」の言葉又は記号による表示の画像を有して、前部ユーザー把持構造体５９、及び後部ユーザー把持構造体６１などのインサートの特徴の上の対応する言葉又は記号による表示と一致させてもよい。更なる特定の例では、前方視覚的印７３及び前方ユーザー把持構造体５９は共に、文字「Ｆ」（すなわち、「前方」）の画像を有してもよく、後方視覚的印７４及び後方ユーザー把持構造体６１は共に、文字「Ｒ」（すなわち、「後方」）の画像を有してもよい。
【０２０４】
別の特定の例では、外側カバー２０上に配置される前方視覚的印７３、及び／又は後方視覚的印７４は、ユーザーが期待される認識可能な形状、キャラクター、物体等のそれぞれの一部分の画像を具現化又は有して、前部及び／又は後方ユーザー把持構造体５９、６１などのインサートの特徴の上に具現化された又は描かれた期待通りにユーザーが認識可能な形状、キャラクター、物体等の対応する一部分と一致させてもよい。更なる特定の例では、前側視覚的印７３及び前部ユーザー把持構造体５９は共に、適切に合体されると、ユーザーが認識可能な第１の形状、キャラクター、物体等の認知的に完全な画像を形成することが期待される、第１の画像のそれぞれの一部分を具現化するか又は有してもよく；及び／又は後側視覚的印７４及び後部ユーザー把持構造体６１は共に、適切に合体されると、ユーザーが認識可能な第２の形状、キャラクター、物体等の認知的に完全な画像を形成することが期待され、第１の画像と異なる第２の画像のそれぞれの一部分を具現化するか又は有してもよい。実施例を例示するため、図２Ｚを参照し、インサート５０の１つの端部上に配置される視覚的な印７３ａは、インサート５０の縁部７３ｃに沿って切り取られたユーザーにより認識可能となり得る画像（例えば、ハート型）の第１の部分であってもよく、一方で、外側カバー２０上に配置される、視覚的印７３ｂは、同じ画像の第２部分であってもよく、このようなユーザーにより認識可能となり得る画像は、各印７３ａ及び７３ｂが一致し、適合して画像を完成するようにして、外側カバー２０内のインサート５０が適切に配置及び位置付けされた際に完成される。示されるハート型の画像は、しかしながら、標的及び／又は位置合わせの印として、このような方法で機能し得る、いくつかのユーザーにより認識可能となり得る画像、及びその各部分の一例である。画像及びその部分はまた、製品と関連してメーカーによって使用される商標、又は特定の区別可能な若しくは差別的な図柄の形態を取り得る。
【０２０５】
更に別の特定の実施形態において、視覚的な向きの印は、外側カバー２０及びインサート５０上にそれぞれ顕れる、視覚的印の単一の対へと単純化されてもよい。１つのそのような例では、外側カバー２０の内側表面２５は、前方縁部２１を長手方向に指す矢印の画像を有してもよく、インサート５０は、その前方端部を長手方向に指す矢印の画像を有してもよい。
【０２０６】
向き情報を提供するように適合された他の好適な視覚的な向きの印の例には、言葉を含む英数字テキスト、矢印、記号、図形、絵文字、アイコン、漫画、概念図、及び任意のその他の視覚的印を挙げることができる。
【０２０７】
ユーザーが両方の組の印を見るとき、外側カバー及びインサートの前側部分に関連する印は、外側カバー及びインサートの後側部分に関連する印と、認知的でなく相関する、又は認知的に相関しない、及び逆もまた同様であるのが望ましくあり得る。
【０２０８】
以上から、他の形態の視覚的な向きの印が、上記説明の原則の範囲で可能であることが理解されるであろう。
【０２０９】
外側カバー２０に対するインサート５０の正しい前後の向きを示す及び／又は強制する印を提供することに加えて、吸収性物品の設計される最適な収容、フィット、快適性及び外観を提供するために、外側カバー２０内のインサート５０の適切な長手方向及び横方向位置合わせを示す及び／又は強制する印を設けることもまた望ましくあり得る。図２Ｅ〜図２Ｎに示される例では、対応の取り付けゾーン／締結具構成要素対３２、５７及び３３、５６は、位置合わせ印として機能するように構成され、かつ配置される。適切な締結をもたらすためにこれらの締結要素対の一方又は両方を同じ場所に配置することは、適切な長手方向及び横方向位置合わせももたらすので、締結要素は、正しい前側／後側の向きを示す及び／又は強制するだけでなく、外側カバー２０に対するインサート５０の正しい長手方向及び横方向位置合わせも示す及び／又は強制するように構成されかつ配置され得ることが、これらの例から理解され得る。他の例では、この目的のために、外側カバー２０及びインサート５０上にそれぞれ配置される、例えば、長手方向位置合わせ印７９ａ、７９ｂ及び横方向位置合わせ印７８ａ、７８ｂといった別個の視覚的印を含んでもよい（図２Ｅ〜２Ｆ）。図２Ｅ〜２Ｆを参照すると、外側カバー２０の中にインサート５０を設置する際に、位置合わせ印対７８ａ、７８ｂ及び７９ａ、７９ｂが一致する、又は互いに密接に近接するのを確実にすることによって、インサート５０が外側カバー２０内で長手方向及び横方向に位置合わせされ得ることが分かる。視覚的な位置合わせ印は、外側カバー２０の内側表面上に配置される整合している直線線分、形状、インサートの端部又は角部の輪郭イメージ８０（例えば、図２Ｍ〜２Ｎ参照）等が挙げられるが、これらに限定されない他の形態をとってもよい。
【０２１０】
一実施形態において、取り付けゾーン／締結構成要素対３３、５６、及び３２、５７は、位置合わせを示すための、特定の色の２つの色相であり得る。例えば、取り付けゾーン３３及び締結構成要素５６は、暗い青色であってもよく、一方で取り付けゾーン３２及び締結構成要素５６は明るい青色であり得る。他の任意の好適な色又はその色相が使用されてもよい。一実施形態において、取り付けゾーン／締結構成要素３３、５６、及び３３、５７は、暗所で光り、光が制限された状況において着用者による変更を可能にしてもよい。取り付けゾーン／締結具構成要素の各対は、位置合わせを示すように異なる色で光ってもよい。あるいは、やはり位置合わせを示すために、取り付けゾーン／締結構成要素の１つの対のみが、光ってもよい。
【０２１１】
商品
本明細書に記載のような１枚又は複数の外側カバーと、１枚又は複数のインサートとを含む商品が作製され、そのまま販売され得ることが想到される。例えば、１枚又は複数の関連インサートと共に、１〜１２枚、又はそれ以上の外側カバーを含むパッケージをアセンブルして、一緒にパッケージ化して販売してもよい。パッケージの中の各外側カバー及びインサートは、本明細書に記載される整合／相補的締結システム、向きの印及び／又は位置合わせ印を有してもよい。
【０２１２】
そのような商品では、それぞれ便利な枚数の外側カバーとインサートのセットを構成するために、インサートと外側カバーとの比率を決定するのが望ましくあり得る。例えば、セットに含まれる１枚の外側カバーに対して、およそ半日又は１日分のインサートを含むのが好適であると考えられ得る。つまり、例えば、商品は、インサートと外側カバーの比率が１：１、２：１、３：１、４：１、５：１又は更には６：１で、インサートと外側カバーとを含んでもよい。したがって、例えば、セットを付随するパッケージは、１枚の外側カバーと、１、２、３、４、５又は６枚のインサート；２枚の外側カバーと、２、４、６、８、１０又は１２枚のインサート；３枚の外側カバーと、３、６、９、１２、１５又は１８枚のインサート、などを包含してもよい。初めての購入者のような特定の消費者向けの「スターター」セットとして、又は他の状況では、パッケージは２〜１４枚の外側カバーを含むのが望ましくあり得、この数は、洗濯が必要になる前に使用できる清潔な外側カバーのおよそ１日から１週間分の供給量に相当し得る。
【０２１３】
複数のインサートを含むセットでは、異なる環境下で使用するのに適している異なるデザインの複数のインサートを含むのもまた望ましくあり得る。一例を挙げれば、例えば、吸収性材料の位置及び吸収能力といった特徴に関して、複数のインサートの中の１枚以上は長時間又は夜間使用（睡眠中の使用）に適しており、１枚以上は日中の使用に適していてもよい。複数のインサートの中の半数、又は半数以下は、睡眠中の使用に適していてもよい。この実施形態の一例では、セットはまた、例えば、月、星、夜の空の色、及び他の夜の場面の画像、眠っている動物、眠っている人、眠っている擬人化されたキャラクター等の画像といった、夜間／睡眠に関連するテーマが施してある１枚以上の外側カバー；及び、例えば、太陽、鳥、明色、昼の空の色、及び他の昼の場面の画像、起きている／遊んでいる動物、人、擬人化されたキャラクター等の画像といった、日中／遊んでいる時間に関連するテーマが施してある１枚以上の外側カバーを含んでもよい。
【０２１４】
更なる実施形態では、パッケージの中のセットは、男児及び女児のいずれかに特別に適合されてもよい。例えば、パッケージは、女の子に関連した表面装飾及び装飾、例えば、ピンク、ラベンダー及び／若しくはその他の優しいパステルカラースキームの使用、花、蝶、ウサギ、子猫、小さな女の子、お姫様、女性の漫画キャラクター若しくは女性の擬人化されたキャラクター等の画像、又は通常女の子に関連するその他の装飾特徴、を有する１枚以上の外側カバーを含んでもよい。反対に、パッケージは、男の子に関連した装飾、例えば、青、黒、暗い若しくは力強いカラースキームの使用、車、電車、飛行機、船、ロケット、宇宙船、スポーツに関連する物、男の子、男性的な漫画キャラクター若しくは男性的な擬人化されたキャラクター等の画像、又は通常男の子に関連するその他の装飾特徴、を有する１枚以上の外側カバーを含んでもよい。男児又は女児用にデザインされたパッケージはまた、機能要素によるか、非機能的で装飾的な／装飾要素によるかにかかわらず、男児又は女児のいずれかに特別に適合された、関連の対応するインサートを含んでもよい。あるいは、パッケージは、男女の区別のない飾り／装飾及び機能要素を有する、男児又は女児のいずれかで使用するのに適した１枚以上の外側カバー及びインサートを含んでもよい。
【０２１５】
更なる実施形態では、パッケージのセットは、他の点で異なる機能設計を有する何種類かのインサートを含んでもよい。例えば、パッケージは、トップシートの中の糞便受容開口、糞便を隔離するためのトップシートの下の空隙、及び／又は、例えば、米国特許出願番号第８，０１６，８０３号、同第７，７７１，４０６号、及び同第７，７７１，４０８号に記載のような関連する特徴の１つ以上を有する１つ以上のインサートを含んでもよい。
【０２１６】
更なる実施形態では、パッケージの中のセットは、特定状況で使用されるように特別に適合されてもよい。例えば、セットは、水泳又は公共の場で水遊びする間に着用するのに適した、１枚以上の外側カバー及び関連インサートを含んでもよい。この例では、外側カバー及びインサートは、水に濡れる及び／又は浸漬している間の満足のいく使用に適していてもよく、及びその間構造的一体性を実質的に保持するように適合されてもよい。例えば、含まれる外側カバーは、濡れたときに引張り強度、伸張又は弛みを実質的に損なわない材料で構成されてもよい。この例では、主に高分子材料、疎水性材料、及び／又は伸縮性のある繊維材料で外側カバーを形成するのが望ましくあり得る。同様に、意図される使用期間中ずっと構造的一体性を実質的に損なわずに浸漬及び濡れに耐える材料で、含まれるインサートを形成するのが望ましくあり得る。超吸収性ポリマー又は吸収性ゲル材料を含まずにこのようなインサートを形成するのも望ましくあり得る。これらの吸収性材料は、多くの場合通常のおむつ吸収性コアに含まれるが、そのような材料は、浸漬されると水をすぐに吸収し、吸収した水によって膨張し膨れ上がるので、すなわち、吸収能力がなくなり、嵩及び重量が加わり、利点を有さなくなるので、水泳又は水遊びの間に着用される物品での使用に適さないと考えられる可能性がある。しかしながら、同じ外側カバーが水泳／水遊び、及び水泳以外、水遊び以外の活動の目的で使用され得るように、同じセットの中に、水泳以外、水遊び以外での使用を目的とした１枚以上のインサートが含まれてもよい。水泳以外、水遊び以外での使用を目的とする１枚以上のインサートは、超吸収性ポリマー又は吸収性ゲル材料を含む吸収性コアを有してもよい。
【０２１７】
更なる実施形態では、パッケージの中のセットは、耐性のある外側カバーごとに寸法が異なる脚部開口部縁部２３によって画定される脚部開口部を有する、複数の耐久性のある外側カバー２０を含んでもよい。そのような耐久性のある外側カバーの逐次使用は、複数の耐久性のある外側カバーの中の１枚を、そのような異なる寸法を有する複数の耐久性のある外側カバーの中の別の１枚と交換するたびに、着用者の皮膚を包囲する及び着用者の皮膚と接触する脚部バンド部分３６及び脚部開口部縁部２３の位置に変化をもたらすのに有用であり得る。これは、着用者の動きに起因し得るそのような接触位置における着用者の皮膚の擦傷の可能性及び重症度を低減するという利点をもたらすことができる。そのような擦傷は、普通は、集中した又は局所化されたやり方で繰り返される皮膚との包囲接触をもたらし得る、実質的に変わらない寸法の脚部開口部を有する一連の耐久性のある外側カバーの反復使用によって生じる又は悪化する可能性がある。したがって、例えば、ユーザーは、複数の中の第１の耐久性のある外側カバーを適用してもよく、着用者は第１の期間（その日）それを着用してもよく、ユーザーは複数の中の第２の耐久性のある外側カバーを適用してもよく、着用者は第２の期間（例えばその夜又は翌日）それを着用してもよく、以下同様であり、こうして、着用者の皮膚の上の脚部開口部縁部及び脚部バンドが包囲及び接触する位置を効果的に変化させて、擦傷の可能性及び重症度を低減する。図２Ｃを参照すると、外側カバー股幅ＷＣｃ、外側カバー前方幅ＷＣｆ、外側カバー後方幅ＷＣｒ、外側カバー長さＬＣ及び脚部バンド長さＬＬＢのいずれか、又は任意の組み合わせを変化させることは、同じ着用者に適用する際に、耐久性のある外側カバー２０の脚部開口部の寸法を変化させる効果を有すると理解され得る。したがって、パッケージの中の少なくとも第１及び第２の外側カバーのセットは、平面上に水平に展開されて、最大限の延伸されていない（弛緩した）寸法まで延伸された各外側カバーで測定した場合に、外側カバー股幅ＷＣｃ、外側カバー前側幅ＷＣｆ、外側カバー後側幅ＷＣｒ、外側カバー長さＬＣ又は脚部バン長さＬＬＢのいずれかの違いをそれらの間に有してもよい。寸法ＷＣｃ、ＷＣｆ、ＷＣｒ、ＬＣ又はＬＬＢのいずれかは、第１の耐久性のある外側カバーと第２の耐久性のある外側カバーとの間で、少なくとも約１０％、１５％、２０％、又はそれ以上異なってもよい。しかしながら、別の例では、例えば、それぞれ脚部バンド部分３６に含まれる異なるタイプの弾性ストランド若しくはストリップ、又は異なる寸法の弾性ストランド若しくはストリップ、あるいは異なる数の弾性ストランド若しくはストリップを使用することによって、又は更には脚部バンド部分３６の構造を変えることによって、脚部バンド３６の張力を、１枚の耐久性のある外側カバーと次のものとで変化させてもよい、すなわち、これらのいずれかは、パッケージの中の耐久性のある外側カバーごとに脚部開口部縁部２３の寸法を変化させることができる。
【０２１８】
更なる実施形態では、様々なタイプのセットを含む様々なパッケージは、様々な商品として提示されてもよい。一例を挙げれば、パッケージの中のセットの一部を形成する１枚以上の外側カバーは、機能又は飾り／装飾要素のいずれか、又はその両方によって、事実上ある季節に限られてもよい。外側カバーの別個のセットは、例えば、材料の坪量、絶縁特性、通気性など、セット間で属性が異なっていてもよい。例えば、「冬」又は「寒い天候」用の外側カバーは、比較的高い坪量を有する材料から別個に、又は組み合わせて形成されてもよく、一方で「夏」又は「厚い」天候用の外側カバーは、比較的軽い材料、及び／又はより高い通気性を有する材料（ＷＶＴＲにより特徴づけられ、かつ比較され得る）から形成され得る。
【０２１９】
別の例では、第１のパッケージの中のセットの一部を形成する１枚以上の外側カバーは全て、第１のデザイナーによってデザインされた飾り／装飾要素を有してもよく、及び／又は第１のデザイナーの名前又はブランドで標示又は銘柄を付けられてもよく、第２のパッケージの中のセットの一部を形成する１枚以上の外側カバーは全て、第２のデザイナーによってデザインされた飾り／装飾要素を有してもよく、及び／又は第２のデザイナーの名前又はブランドで標示又は銘柄を付けられてもよい。別の例では、第１のパッケージの中のセットの一部を形成する１枚以上の外側カバーは全て、デザイナーの第１の特定の「コレクション」又はデザインテーマと関連する飾り／装飾要素並びに／又は標示及び／若しくは銘柄を有してもよく、第２のパッケージの中のセットの一部を形成する１枚以上の外側カバーは全て、デザイナーの第２の特定の「コレクション」又はデザインテーマと関連する飾り／装飾要素並びに／又は標示及び／若しくは銘柄を有してもよい。
【０２２０】
上記の例のいずれにおいても、各個別商品の中の外側カバー及び関連インサートは、互いに最適に適合するように寸法設定される。したがって、更なる例では、各パッケージは、寸法で区別される外側カバー及び関連インサートのセットで作製及び提示されてもよい。例えば、第１のパッケージは、「寸法１」の子供に適合された外側カバーと関連インサートとを含んでもよく、第２のパッケージは、「寸法２」の子供に適合された外側カバーと関連インサートとを含んでもよく、以下同様である。
【０２２１】
一実施形態において、本開示の１つ以上の外側カバーは、トイレトレーニングの状況、又は他の状況において、インサートなしに販売及び使用され得る。これは外側カバーを、子供がおむつから下着へと移る際の好適なトレーニングツールとすることができる。一実施例において、外側カバーは、一日中、又はある時間、インサートなしに使用され、夜間にインサートと共に使用されてもよい。一実施形態において、やはりトイレトレーニングの目的のために、吸収性コアを含まないインサートが提供されてもよい。更に別の実施形態において、吸収性コアを含むインサートが提供されるが、吸収性コアはＡＧＭ又は超吸収性ポリマーを全く含まないか、ごく少量含む場合がある（例えば、１０重量％未満）これは、トイレトレーニングの目的のために、着用者が感じる湿潤の知覚を向上させ得る。このようなインサートはまた、吸収性ポリマーが存在せず、過度の膨張が生じない傾向にあるために、水泳用おむつの関連においても使用され得る。
【０２２２】
別の実施形態において、１つ以上の外側カバーは敏感肌用インサートと共に販売されてもよく、敏感肌用インサートは別個に販売されてもよい。インサートはその上にローション、又は他の添加剤を有し得る。このような実施形態において、外側カバーはまた、敏感肌を有する着用者が使用するように構成されてもよい。
【０２２３】
インサートのパッケージは、着用者が日常的に数時間おきに交換するような、デイケア環境において使用するように構成され得る。このような実施形態において、インサートは数時間のみ使用した後に廃棄されるため、インサートはそのコア内にいずれの超吸収性ポリマーも有さないことがあり、又はコア内の少量の材料を有してもよい。インサートのパッケージは、デイケアインサート、通常使用インサート、及び夜間使用インサートを含み得る。
【０２２４】
一実施形態において、インサートは、洗濯可能又は再利用可能な材料から作製され得る。他の実施形態において、インサートは、使用後にインサートを水に流せるように、水に流せる材料から作製され得る。
【０２２５】
成人失禁用製品の実施形態において、インサートが取り付けられた１つ以上の外側カバーがパッケージで販売されてもよい。追加的なインサート及び／又は外側カバーは、別個に購入することができる。これは、完全に組み立てた製品を一度使用して、その後これを廃棄することから、特定の外側カバー／インサートの組み合わせによる吸収性の必要性を調節することの選択まで、選択の幅を着用者又は介護者に与える。下側の外側カバーの着用者又は介護者に以下の利益の１つ以上をもたらす：コストの削減、優れた外側カバー、及び／又はインサート性能、並びに持続可能性。
【０２２６】
伸張可能区域の横方向長さ
本開示のパンツの少なくとも一部は、横方向長さを有する様々な伸張可能な区域を含む外側カバーを有する。図９を参照し、個別の伸張可能区域「ＳＲ」は、取り付けゾーン（例えば、３３及び３２）と、締結構成要素３０又は受容締結構成要素３１を含む締結ゾーン「ＦＺ」との間に位置し得る。伸張可能な区域はまた、取り付けゾーンよりも横方向軸に対して近位にが、取り付けゾーンと同じ横方向長さに及ぶ領域など、パンツの他の区域に延びてもよい。これらの追加的な伸張可能区域は、以下に説明され補助的な伸張可能区域と称される。
【０２２７】
図９において、締結構成要素３０及び受容締結構成要素３１は、一緒にスナップ又は磁石を形成するが、他の任意の好適な締結構成要素３０／締結受容構成要素３１が使用されてもよい。一実施形態において、各締結ゾーンにおいて、締結構成要素３０が１つだけ設けられてもよく、一方で多数の受容締結構成要素３１が、締結ゾーン内に設けられてもよい。このような実施形態において、単一の締結構成要素３０が多数の受容締結構成要素３１のいずれかと係合して、着用者上のパンツの調節を可能にする（横方向又は長手方向）。他の好適な締結構成要素は、フック・ループ締結具、接着剤、添着剤、ボタン、及び／又は当該技術分野において既知の他の任意の好適な締結具を含む。締結構成要素３０及び締結受容構成要素３１は、締結ゾーンＦＺ内において長手方向、又は実質的に長手方向に延びてもよい。また、締結ゾーンは長手方向（すなわち、長手方向軸２００と平行、又は実質的に平行）、並びに横方向軸２０２とほぼ垂直、又は横方向に延びてもよい。締結ゾーンＦＺの最も横方向内側の縁部が、図９において「ＬＥ」として示されている。
【０２２８】
再び図９を参照し、再使用可能な外側カバー２０は、パンツの一部に形成されるように構成され、インサート（例えば、図３）がここに取り付けられるときに、パンツを形成するように構成される。再使用可能な外側カバー２０は、横方向軸２０２の第１の側に位置付けられた前方腰部区域２７と、横方向軸２０２の第２の側に位置付けられた腰部区域２８と、横方向軸２０２に及び、前方腰部区域２７と後方腰部区域２８との中間に位置付けられた股部区域２６とを含む。外側カバー２０はまた、長手方向軸２００の第１の側（例えば、右側）に位置付けられた第１締結ゾーンを含み得る。第１締結ゾーンは、横方向軸２０２の第１の側（前方腰部区域２７）に位置付けられた第１部分（例えば、耳パネル２９）、並びに横方向軸２０２の第２の側（後方腰部区域２８）に位置付けられた第２部分（例えば、耳パネル２９）を含んでもよい（外側カバー２０が開かれ、平坦に配置されるとき）。外側カバー２０はまた、長手方向軸２００の第２側部（例えば、左側）上に位置付けられた第２締結ゾーンを含み得る。第２締結ゾーンは、横方向軸２０２の第１の側（前方腰部区域２７）に位置付けられた第１部分（例えば、耳パネル２９）、並びに横方向軸２０２の第２の側（後方腰部区域２８）に位置付けられた第２部分（例えば、耳パネル２９）を含んでもよい（外側カバー２０が平坦に配置されるとき）。外側カバー２０は、前方腰部区域２７に形成され、第１横方向長さ（Ｌ１＋Ｌ２）を有する前方伸張可能区域と、後方腰部区域２８に形成され、第２横方向長さ（Ｌ３＋Ｌ４）を有する後方伸張可能区域とを含み得る。前方及び後方伸張可能区域の横方向長さは以下の、前方及び後方伸張可能区域試験の横方向長さ、に記載されるようにして測定される。前方伸張可能区域の横方向長さは、後方伸張可能区域の横方向長さと等しいか、これより小さいか、又はこれより大きいことがある。
【０２２９】
一実施形態において、図９を再び参照し、前方伸張可能区域（Ｌ１＋Ｌ２）は、第１締結ゾーンＦＺ１の横方向内側縁部ＬＥ１と、前方取り付けゾーン３３の第１端部（ＬＥ１に最も近い）との間で横方向に延びる第１部分（Ｌ１）を含み得る。前方伸張可能区域（Ｌ１＋Ｌ２）はまた、第２締結ゾーンＦＺ２の横方向内側縁部ＬＥ２と、前方取り付けゾーン３３の第２端部（ＬＥ２に最も近い）との間で横方向に延びる第２部分（Ｌ２）を含み得る。後方伸張可能区域（Ｌ３＋Ｌ４）は、第３締結ゾーンＦＺ３の横方向内側縁部ＬＥ３と、後方取り付けゾーン３２の第１端部（ＬＥ３に最も近い）との間で横方向に延びる第１部分（Ｌ３）を含み得る。前方伸張可能区域（Ｌ３＋Ｌ４）はまた、第４締結ゾーンＦＺ４の横方向内側縁部ＬＥ４と、前方取り付けゾーン３２の第２端部（ＬＥ４に最も近い）との間で横方向に延びる第２部分（Ｌ４）を含み得る。
【０２３０】
図９を再び参照し、前方伸張可能区域において、Ｌ１の横方向長さは、Ｌ２の横方向長さと等しい、これとは異なる、より大きい、又はより小さい場合があり、同様に、後方伸張可能区域において、Ｌ３の横方向長さは、Ｌ４の横方向長さと等しい、異なる、より大きい、又はより小さい場合がある。一実施形態において、Ｌ１の横方向長さは、Ｌ３又はＬ４の横方向長さと等しい、異なる、より大きい、又はより小さい場合があり、Ｌ２の横方向長さは、Ｌ３又はＬ４の横方向長さと等しい、異なる、より大きい、又はより小さい場合がある。様々な実施形態において、Ｌ１、Ｌ２、Ｌ３、及び／又はＬ４の横方向長さは、約３０ｍｍ〜４０ｍｍ、約３５ｍｍ、３５ｍｍ、又は約２０ｍｍ〜約７０ｍｍの範囲（特に、上記の範囲内の０．５ｍｍごとの全ての値、及びその内部に、又はこれにより形成される全ての範囲）であり得る。また様々な実施形態において、横方向内側縁部ＬＥ１、ＬＥ２、ＬＥ３、及び／又はＬＥ４は、約８０ｍｍ〜約１１０ｍｍ、約９５ｍｍ、９５ｍｍ、又は約３０ｍｍ〜約１５０ｍｍ（特に、上記の範囲の０．５ｍｍごとの全ての値、及びその内部に、又はこれにより形成される全ての範囲）であり得る。前方取り付けゾーン３３及び／又は後方取り付けゾーン３２は、約６０ｍｍ〜約９０ｍｍ、約７５ｍｍ、７５ｍｍ、又は約１０ｍｍ〜約１２０ｍｍの範囲（特に、上記の範囲の０．５ｍｍごとの全ての値、及びその内部に、又はこれにより形成される全ての範囲）であり得る。成人失禁の関連において、インサートは主に、外側カバーの股部区域内に位置し得る。
【０２３１】
図１０を参照し、外側カバー２０は、前方腰部区域２７に第１締結要素３３’及び第２締結要素３３”を含む前方取り付けゾーンと、後方腰部区域２８内に第１締結要素３２’及び第２締結要素３２”を含む後方取り付けゾーンとを含み得る。外側カバー２０の他の特徴は、図９に関連して記載されるものと同じであっても、異なっていてもよい。例えば、図１０の締結ゾーンは、スナップの代わりに、フック構成要素、及び係合ループ構成要素を含み得る。フック構成要素及び係合ループ構成要素は依然として、長手方向、又は実質的に長手方向に延びてもよい。外側カバー２０は、前方腰部区域２７に形成され、第１横方向長さ（Ｌ１＋Ｌ２＋Ｌ３）を有する前方伸張可能区域と、後方腰部区域２８に形成され、第２横方向長さ（Ｌ４＋Ｌ５＋Ｌ６）を有する後方伸張可能区域とを含み得る。前方及び後方伸張可能区域の横方向長さは以下の、前方及び後方伸張可能区域試験の横方向長さ、に記載されるようにして測定される。前方伸張可能区域の横方向長さは、後方伸張可能区域の横方向長さと等しいか、これより小さいか、又はこれより大きいことがある。図９及び図１０は単に、横方向長さを有する前方及び後方伸張可能区域の２つの例を例示する。取り付けゾーンの他のいずれかの好適な構成がまた、前方及び後方伸張可能区域の横方向長さをもたらす。一実施形態において、例えば、前方腰部区域及び／又は後方腰部区域に、４つ以上の伸張可能区域が設けられてもよい。
【０２３２】
一実施形態において、図１０を再び参照し、前方伸張可能区域（Ｌ１＋Ｌ２＋Ｌ３）は、第１締結ゾーンＦＺ１の横方向内側縁部ＬＥ１と、第１締結要素３３の第１端部（ＬＥ１に最も近い）との間で横方向に延びる第１部分（Ｌ１）を含み得る。前方伸張可能区域（Ｌ１＋Ｌ２＋Ｌ３）はまた、第１締結要素３３’の第２端部（ＬＥ１から最も遠い）と、第２締結要素３３”の第１端部（ＬＥ１から最も遠い）との間で横方向に延びる第２部分（Ｌ２）を含み得る。前方伸張可能区域（Ｌ１＋Ｌ２＋Ｌ３）はまた、第２締結要素３３”の第２端部（ＬＥ１から最も遠い）と、第２締結ゾーンＦＺ２の横方向内側縁部ＬＥ２との間で横方向に延びる第３部分（Ｌ３）を含み得る。後方伸張可能区域（Ｌ４＋Ｌ５＋Ｌ６）は、第３締結ゾーンＦＺ３の横方向内側縁部ＬＥ３と、第１締結要素３２’の第１端部（ＬＥ３に最も近い）との間で横方向に延びる第１部分（Ｌ４）を含み得る。後方伸張可能区域（Ｌ４＋Ｌ５＋Ｌ６）はまた、第１締結要素３２’の第２端部（ＬＥ３から最も遠い）と、第２締結要素３２”の第１端部（ＬＥ１から最も近い）との間で横方向に延びる第２部分（Ｌ５）を含み得る。後方伸張可能区域（Ｌ４＋Ｌ５＋Ｌ６）はまた、第２締結要素３２”の第２端部（ＬＥ３から最も遠い）と、第４締結ゾーンＦＺ４の横方向内側縁部ＬＥ４との間で横方向に延びる第３部分（Ｌ６）を含み得る。前方伸張可能区域（Ｌ１＋Ｌ２＋Ｌ３）の横方向長さは、後方伸張可能区域（Ｌ４＋Ｌ５＋Ｌ６）の横方向長さと同じ、異なる、より大きい、又はより小さいことがある。
【０２３３】
図１０を参照し、前方伸張可能区域において、Ｌ１の横方向長さは、Ｌ２又はＬ３の横方向長さと等しい、これとは異なる、より大きい、又はより小さい場合があり同様に、後方伸張可能区域において、Ｌ４の横方向長さは、Ｌ５又はＬ６の横方向長さと等しい、異なる、より大きい、又はより小さい場合がある。一実施形態において、Ｌ１の横方向長さは、Ｌ４、Ｌ５、又はＬ６の横方向長さと等しい、異なる、より大きい、又はより小さい場合があり、Ｌ４の横方向長さは、Ｌ１、Ｌ２、又はＬ３の横方向長さと等しい、異なる、より大きい、又はより小さい場合がある。様々な実施形態において、Ｌ１、Ｌ３、Ｌ４、及び／又はＬ６の横方向長さは、約１０ｍｍ〜３０ｍｍ、約２０ｍｍ、２０ｍｍ、又は約１０ｍｍ〜約７０ｍｍの範囲（特に、上記の範囲の０．５ｍｍごとの全ての値、及びその内部に、又はこれにより形成される全ての範囲）であり得る。横方向長さＬ２及び／又はＬ５は、約７０ｍｍ〜約１００ｍｍ、約８５ｍｍ、８５ｍｍ、又は約１０ｍｍ〜約１２０ｍｍの範囲（特に、上記の範囲の０．５ｍｍごとの全ての値、及びその内部に、又はこれにより形成される全ての範囲）の長さを有し得る。また様々な実施形態において、横方向内側縁部ＬＥ１、ＬＥ２、ＬＥ３、及び／又はＬＥ４は、約８０ｍｍ〜約１１０ｍｍ、約９５ｍｍ、９５ｍｍ、又は約３０ｍｍ〜約１５０ｍｍ（特に、上記の範囲の０．５ｍｍごとの全ての値、及びその内部に、又はこれにより形成される全ての範囲）であり得る。横方向内側縁部ＬＥ１、ＬＥ２、ＬＥ３及び／又はＬＥ４は、締結ゾーンの長手方向長さを表し得る。前方取り付けゾーンの第１締結要素３３’及び／又は第２締結要素３３”は、約５ｍｍ〜約７５ｍｍの範囲、約１０ｍｍ〜約６０ｍｍ、又は約１５ｍｍ〜約３０ｍｍの範囲（特に、上記の範囲の０．５ｍｍごとの全ての値、及びその内部に、又はこれにより形成される全ての範囲）の長さを有し得る。後方取り付けゾーンの第１締結要素３２’及び／又は第２締結要素３２”は、約５ｍｍ〜約７５ｍｍの範囲、約１０ｍｍ〜約６０ｍｍ、又は約１５ｍｍ〜約３０ｍｍの範囲（特に、上記の範囲の０．５ｍｍごとの全ての値、及びその内部に、又はこれにより形成される全ての範囲）の長さを有し得る。
【０２３４】
一実施形態において、例示されないが、複数のほぼ線形に延びる締結要素が、前方腰部区域２７に設けられてもよい。締結構成要素の少なくとも一部が、連続的又は非連続的であり得る。これらの実施形態において、前方伸張可能区域の合計横方向長さは、ＬＥ１とＬＥ２との間の横方向長さから、全ての締結要素の合計横方向長さを引いたものである。後方腰部区域２８は、同じ又は同様の特徴を有し得る。
【０２３５】
図１１〜１３を参照し、パンツの概略平面図が例示されている。各パンツは、前方腰部区域２７内の前方取り付けゾーン３３と、後方腰部区域２８内の後方取り付けゾーン３２を有する。図１１は、パンツの側部の締結ゾーンを例示し、図１２は、パンツの前部の締結ゾーンを例示し、図１３は、パンツの後部の締結ゾーンを例示する。図１１において、前方伸張可能区域の横方向長さは、後方伸張可能区域の横方向長さと同じであるか、又は実質的に同じである（例えば、±１ｃｍ）。図１２において、前方伸張可能区域の横方向長さは、後方伸張可能区域の横方向長さよりも小さい。図１３において、前方伸張可能区域の横方向長さは、後方伸張可能区域の横方向長さよりも大きい。
【０２３６】
一実施形態において、外側カバーは、腰部区域全体、又は腰部周囲部の伸張機構として弾性ストランドを含み得る。弾性ストランドは、伸張を分配するために、予備伸張され、２つの不織布の間に積層されてもよい。弾性ストランド内の予備伸張の量は、約５０％〜約２５０％、又は約１００％〜約１５０％（特に、上記の範囲の１％ごとの全ての値、及びその内部に、又はこれにより形成される全ての範囲）で変動し得る。これらの弾性ストランドは、外側カバーの、横方向、実質的に横方向、又は他の方向で位置付けることができる。いくつかの場合において、これらの弾性ストランドは、前方及び後方腰部区域において位置付けられるが、外側カバーの股部区域には位置付けられない場合がある。ストランドの間の間隔は、同じであるか、又は異なる場合があり、これらのストランドは、外側カバーの異なる区域内の力を制御することができるように、異なるデニールを有し得る。例えば、ストランドの形態の直線的又は湾曲した弾性部材が、外側カバーの脚部開口部区域において使用され得る。
【０２３７】
別の実施形態において、外側カバーは、製品の全体的な長さ及び幅にわたるか、又は製品の前方及び後方腰部区域にある、例えば、Ｖｉｓｔａｍａｘｘフィルムなどのエラストマーポリプロピレンフィルムなどの、エラストマーフィルムを含む場合がある。２つの不織布を備えるこのフィルムのラミネートは、外側カバーの横方向若しくは長手方向のいずれかに漸進的に伸張させることにより、又はフィルムを伸張させ、次にこれを不織布のいくつかの層に積層する、「ライブストレッチ」によって、あるいは両方により、伸張可能としてもよい。この弾性フィルムは、通気性及び皮膚の健康のために有孔であってもよい。外側カバー内の典型的な伸張は、約５０％〜約２００％、又は約８０％〜約１５０％の範囲（特に、上記の範囲の１％ごとの全ての値、及びその内部に、又はこれにより形成される全ての範囲）であり得る。
【０２３８】
更に別の実施形態において、外側カバーは、標準的なポリプロピレン繊維に加えて、ポリウレタン及びエラストマーポリプロピレンなどの、エラストマー繊維を含む、エラストマー不織布を含み得る。この弾性不織布は、漸進的に伸張されてもよく、又はライブストレッチにより、１つ以上のエラストマーでない不織布に結合されてもよい。典型的には、弾性不織布は約５０％〜約１５０％、又は約６０％〜約１２０％の伸張（特に、上記の範囲の１％ごとの全ての値、及びその内部に、又はこれにより形成される全ての範囲）を有する。
【０２３９】
インサートは、外側カバーの全体的な長さ及び／若しくは幅、又は外側カバーの全体的な長さ又は幅未満にわたって延びてもよい。インサートは、主に股部区域内に位置付けられ、インサートの一部のみが前方及び後方腰部区域内に延びてもよい。これは少なくとも、前方及び後方腰部区域内のインサートが若干制限することにより、外側カバーの伸張を少なくとも抑制する。インサートの長さ及び幅は、外側カバーの長手方向長さの約２５％〜外側カバーの長手方向長さの約１００％、又は外側カバーの約５０％〜約８０％（特に、上記の範囲の１％ごとの全ての値、及びその内部に、又はこれにより形成される全ての範囲）変動してもよい。
【０２４０】
様々な実施形態において、成人失禁用製品は、約６５０ｍｍ〜約８７０ｍｍ（特に、上記の範囲の１ｍｍごとの全ての値、及びその内部に、又はこれにより形成される全ての範囲）の長手方向長さを有する外側カバーを有してもよい。インサートは、中程度に吸収性のインサートに関して、約４６０ｍｍ〜約４８０ｍｍ、又は約４７１ｍｍの長手方向長さ、最大限に吸収性のインサートに関して約５３５ｍｍ〜約５６５ｍｍ、又は約５４８ｍｍの長手方向長さを有し得る。インサート長手方向長さから、外側カバー長手方向長さに対する割合は、約５５％〜約９５％、約６０％〜約８５％、約５５％、約６２％、約６５％、約６９％、約７２％、又は約８１％（特に、上記の範囲の１％ごとの全ての値、及びその内部に、又はこれにより形成される全ての範囲）であり得る。
【０２４１】
以下に記載される特徴は、大腿及び臀部の上に引き上げるのが容易であり、完全に引き上げた際に適所に留まる、パンツとして使用するための外側カバーをもたらす。
【０２４２】
閉じた腰部外側カバーの平均伸張率
内部にインサートが位置付けられていない、閉じた腰部外側カバーの平均伸張率は、以下に記載される、全体外側カバー腰部開口部周囲部伸張力試験を使用して測定することができ、１１０ｍｍの伸張及び１７０ｍｍの伸張における力がニュートン（Ｎ）で測定される。次に、１１０ｍｍにおける、ニュートン（Ｎ）での力を１７０ｍｍにおけるニュートン（Ｎ）での力から引く。ニュートンによる、生じた力を、歪み又は伸張距離６０ｍｍ（すなわち、１７０ｍｍ〜１１０ｍｍ）（これはメートルに換算して０．０６ｍとする）で除す。したがって、平均伸張率は、ニュートン／メートルの単位を有する。内部にインサートが位置付けられていない、本開示の外側カバーの代表的な平均伸張率は、約４０Ｎ／ｍ〜約２００Ｎ／ｍ、約６０Ｎ／ｍ〜約１７０Ｎ／ｍ、又は約２５０Ｎ／ｍ未満であるが、約３０Ｎ／ｍ超である（特に、上記の範囲の１．０（Ｎ／ｍ）ごとの全ての値、及びその内部に、又はこれにより形成される全ての範囲）１１０ｍｍの伸張における代表的な閉じた外側カバーの力は、約２Ｎ〜約１２Ｎ、約４Ｎ〜約１０Ｎ、又は約５Ｎ〜約９Ｎ（特に、上記の範囲の０．１Ｎごとの全ての値、及びその内部に、又はこれにより形成される全ての範囲）であり得る。１７０ｍｍの伸張における代表的な閉じた外側カバーの力は、約５Ｎ〜約２０Ｎ、約９Ｎ〜約１７Ｎ、又は約１０Ｎ〜約１５．５Ｎ（特に、上記の範囲の０．１Ｎごとの全ての値、及びその内部に、又はこれにより形成される全ての範囲）であり得る。閉じた腰部外側カバーについて、１１０ｍｍにおける張力の１７０ｍｍにおける張力に対する比率は、約０．３〜０．８（特に、上記の範囲の０．０５ごとの全ての値、及びその内部に、又はこれにより形成される全ての範囲）であり得る。
【０２４３】
１１０ｍｍにおける回復力
閉じた腰部再利用可能な外側カバーの、１１０ｍｍにおける回復力は、以下に記載される、全体外側カバー腰部開口部周囲部伸張力試験を使用して測定される。１１０ｍｍ伸張における、閉じた腰部再利用可能な外側カバーの回復力は、約１Ｎ〜約８Ｎ、約１．５Ｎ〜約６Ｎ、約２Ｎ〜約４Ｎ、約２Ｎ〜約３Ｎ、又は約２．５Ｎ（特に、上記の範囲の０．１Ｎごとの全ての値、及びその内部に、又はこれにより形成される全ての範囲）であり得る。
【０２４４】
外側カバーの前方／後方腰部区域の平均伸張率
内部にインサートが位置付けられていない、外側カバーの前方／後方腰部区域の平均伸張率が、以下に記載される全体外側カバー腰部開口部周囲部伸張力試験を使用して測定される。外側カバーの前方／後方腰部区域の平均伸張率は、５５ｍ伸張において前方又は後方腰部区域によりかけられた力（Ｎ）を、８５ｍｍ伸張において前方又は後方腰部区域によりそれぞれかけられる力から引き、その後結果を０．０３ｍ（３０ｍｍ又は８５ｍｍ−５５ｍｍ）で除すことにより計算される。いくつかの実施例において、本開示の外側カバーの前方又は後方腰部区域の平均伸張率は、約１５Ｎ／ｍ〜約１００Ｎ／ｍ、約２０Ｎ／ｍ〜約９０Ｎ／ｍ、又は約１００Ｎ／ｍ未満であるが、約１０Ｎ／ｍ超（特に、上記の範囲の１．０（Ｎ／ｍ）ごとの全ての値、及びその内部に、又はこれにより形成される全ての範囲）であり得る。再利用可能な外側カバーの前方腰部区域の平均伸張率は、同じ再利用可能な外側カバーの後方腰部区域の平均伸張率と同じであるか、同様であるか、又は異なる場合がある。
【０２４５】
閉じた腰部外側カバーの、２０Ｎおける伸張
閉じた腰部外側カバーの、２０Ｎの力における伸張は、全体外側カバー腰部開口部周囲部伸張力試験を使用して測定される。伸張距離は、約１５０ｍｍ〜約４５０ｍｍ、約１６０ｍｍ〜約３５０ｍｍ、又は約１５０ｍｍ〜約６００ｍｍ（特に、上記の範囲の１．０ｍｍごとの全ての値、及びその内部に、又はこれにより形成される全ての範囲）であり得る。他の伸張距離もまた本開示の範囲である。
【０２４６】
閉じた腰部外側カバーの腰部幅
閉じた腰部外側カバーの腰部幅（２０Ｎの力まで弛緩及び伸張）は、本明細書において記載される全体外側カバー腰部開口部周囲部伸張力試験に記載されるように測定される。腰部幅は、弛緩した腰部開口部周囲部（１ｍｍ単位）を２で除したものである（図２６、及び関連する以下の記載参照）。２０Ｎの伸張をかけた状態で外側カバーの腰部幅を測定するために、２０Ｎ±０．１Ｎの力が読み取られるまで、フック５１２が互いに引き離される。腰部幅は、図２６におけるように測定する際の、２０Ｎの力における腰部開口部周囲部であり（１ｍｍ単位で測定される）、２で除したものである。
【０２４７】
８〜１５ｋｇの着用者のための、弛緩した閉じた腰部外側カバーの腰部幅は、約９０ｍｍ〜約２５０ｍｍ、約１１０ｍｍ〜約２００ｍｍ、又は約１１０ｍｍ〜約１９０ｍｍ（特に、上記の範囲の１．０ｍｍごとの全ての値、及びその内部に、又はこれにより形成される全ての範囲）である。８〜１５ｋｇの着用者のための、閉じた腰部外側カバーの腰部幅は、これに２０Ｎの伸張力がかけられたときに、約２７０ｍｍ〜約４５０ｍｍ、約２９０ｍｍ〜約４５０ｍｍ（特に、上記の範囲の１．０ｍｍごとの全ての値、及びその内部に、又はこれにより形成される全ての範囲）であり得る。いずれかの着用者（８〜１５ｋｇである必要はない）のための、弛緩した閉じた腰部外側カバーの腰部幅は、約９０ｍｍ〜約３００ｍｍ、約１５０ｍｍ〜約２７５ｍｍ、又は約２００ｍｍ〜約２７５ｍｍ（特に、上記の範囲の１．０ｍｍごとの全ての値、及びその内部に、又はこれにより形成される全ての範囲）であり得る。いずれかの着用者のための、閉じた腰部外側カバーの腰部幅は、これに２０Ｎの伸張力がかけられたときに、約２７０ｍｍ〜約１０００ｍｍ、約２７０ｍｍ〜約８００ｍｍ、又は約２７０ｍｍ〜約７７５ｍｍ（特に、上記の範囲の１．０ｍｍごとの全ての値、及びその内部に、又はこれにより形成される全ての範囲）であり得る。
【０２４８】
閉じた腰部外側カバーの平均伸張率
閉じた腰部外側カバーの腰部開口部の周囲部（２０Ｎの力まで弛緩及び伸張）は、以下で全体外側カバー腰部開口部周囲部伸張力試験に記載されるように測定され得る。腰部開口部の周囲部は、弛緩した腰部開口部周囲部である（例えば、図２６及び以下の関連する記載参照）。２０Ｎの伸張をかけた状態で外側カバーの腰部開口部の周囲部を測定するために、２０Ｎ±０．１Ｎの力が読み取られるまで、フック５１２が互いに引き離される。図２６におけるように、２０Ｎの伸張において腰部開口部の周囲部が測定され、１ｍｍ単位で報告される。
【０２４９】
８〜１５ｋｇの範囲の着用者の弛緩し、閉じた腰部外側カバーの周囲部は、約２００ｍｍ〜約４５０ｍｍ、約２２０〜約４００ｍｍ、又は約２２０〜３８０ｍｍ（特に、上記の範囲の１．０ｍｍごとの全ての値、及びその内部に、又はこれにより形成される全ての範囲）であり得る。８〜１５ｋｇの着用者のための、閉じた腰部外側カバーの周囲部は、これに２０Ｎの伸張力がかけられたときに、約５８０ｍｍ〜約８５０ｍｍ、約６００ｍｍ〜約９５０ｍｍ（特に、上記の範囲の１．０ｍｍごとの全ての値、及びその内部に、又はこれにより形成される全ての範囲）であり得る。いずれかの着用者（８〜１５ｋｇである必要はない）のための、弛緩した閉じた腰部外側カバーの周囲部は、約２００ｍｍ〜約６００ｍｍ、約２００ｍｍ〜約５５０ｍｍ、又は約２２０ｍｍ〜約５２５ｍｍ（特に、上記の範囲の１．０ｍｍごとの全ての値、及びその内部に、又はこれにより形成される全ての範囲）であり得る。いずれかの着用者のための、閉じた腰部外側カバーの腰部幅は、これに２０Ｎの伸張力がかけられたときに、約５５０ｍｍ〜約２０００ｍｍ、約６００ｍｍ〜約１７００ｍｍ、又は約６００ｍｍ〜約１５５０ｍｍ（特に、上記の範囲の１．０ｍｍごとの全ての値、及びその内部に、又はこれにより形成される全ての範囲）であり得る。本開示の外側カバー及びインサートは、いずれかの大きさのユーザーのための、成人失禁用製品とも使用することができる。
【０２５０】
伸張可能区域の面積
一実施形態において、図１４Ａ、１４Ｂ、及び１５を参照し、前方伸張可能区域は第１面積（Ａ１＋Ａ２）、後方伸張可能区域は第２面積（Ａ３＋Ａ４）を有し得る。第１面積は、第２面積と等しい、異なる、より小さい、又はより大きいことがある。同様に、前方伸張可能区域において、面積Ａ１は面積Ａ２と等しい、又は異なることがあり、後方伸張可能区域において、面積Ａ３は面積Ａ４と等しい、又は異なることがある。他の実施形態において、面積の全てが同じであるか、又は異なる場合がある。各伸張可能区域を構成する面積が図１４Ａ、１４Ｂ、及び１５に例示される。看取されるように、面積Ａ１及びＡ２は共に前方伸張可能区域の面積を構成し、面積Ａ３及びＡ４は共に、後方伸張可能区域の面積を構成する。各面積（例えば、面積Ａ１）は、長さ及び幅を有する。前方伸張可能区域の面積を決定するために、面積Ａ１及びＡ２を合計し、同様に、後方伸張可能区域の面積を決定するために、Ａ３及びＡ４の面積を合計する。伸張可能区域の面積は、以下に説明される、伸張可能区域の面積に従って測定される。
【０２５１】
様々な実施形態において、図１４Ａ〜１５を参照し、幅Ｗ１、Ｗ２、Ｗ３、及び／又はＷ４は、約３０ｍｍ〜約４０ｍｍ、約３５ｍｍ、３５ｍｍ、又は約２０ｍｍ〜約７０ｍｍ（特に、上記の範囲の１．０ｍｍごとの全ての値、及びその内部に、又はこれにより形成される全ての範囲）の寸法を有し得る。長さＬ１、Ｌ２、Ｌ３、及び／又はＬ４は、約８０ｍｍ〜約１１０ｍｍ、約９５ｍｍ、９５ｍｍ、又は約３０ｍｍ〜約１５０ｍｍ（特に、上記の範囲の１．０ｍｍごとの全ての値、及びその内部に、又はこれにより形成される全ての範囲）の寸法を有し得る。図１５における横方向内側の長さＬＥ１、ＬＥ２、Ｌ３、及び／又はＬＥ４は、図９及び図１０に関連して指定された横方向内側長さＬＥ１、ＬＥ２、ＬＥ３、及び／又はＬＥ４と同じであり得る。面積Ａ１、Ａ２、Ａ３、及び／又はＡ４は、約２５ｃｍ２〜約４０ｃｍ２、約３３．５ｃｍ２、３３．２５ｃｍ２、又は約６ｃｍ２〜約１０５２（特に、上記の範囲の０．５ｃｍ２ごとの全ての値、及びその内部に、又はこれにより形成される全ての範囲）であり得る。
【０２５２】
一実施形態において、例として図１５を参照し、インサートを受容するように構成されたサイズ４の再使用可能な外側カバーは、以下の値を有し得る。値Ｌ１〜Ｌ４は約９０ｍｍ、値Ｗ１は約６０ｍｍ、値Ｗ２は約６０ｍｍ、値Ｗ３は約７０ｍｍ、及び値Ｗ４は約７０ｍｍであり得る。したがって、この例において、面積Ａ１は約５４ｃｍ２、面積Ａ２は約５４ｃｍ２、面積Ａ３は約６３ｃｍ２、面積Ａ４は約６３ｃｍ２したがって、前方伸張可能区域の面積はＡ１＋Ａ２、すなわち１０８ｃｍ２であり、後方伸張可能区域の面積はＡ３＋Ａ４、すなわち１２６ｃｍ２である。当業者は、本開示の再使用可能な外側カバーに他の多くの面積が適用されることを理解する。
【０２５３】
補助伸張可能区域
一実施形態において、図１６を参照し、再使用可能な外側カバー２０は、前方腰部区域２７及び後方腰部区域２８の１つ以上の補助伸張可能区域を有し得る。前方腰部区域２７内に１つの補助伸張可能区域Ａｘｆが存在してもよく、後方腰部区域２８内に別の補助伸張可能区域Ａｘｒが存在し得る。補助伸張可能区域Ａｘｆ及びＡｘｒは、それぞれ、取り付けゾーン３３及び３２の長手方向最も内側の縁部と、外側カバー２０にわたり横方向に延び、脚部開口部２３の開始部と接続する線（各腰部区域における）との間で長手方向に延び得る。補助伸張可能区域Ａｘｆ及びＡｘｒはまたそれぞれ、領域Ａ１とＡ２との間、及びＡ３とＡ４との間で横方向に延び得る。いくつかの実施形態において、取り付けゾーン３３及び３２の締結具は、伸張可能であってもよく、又は伸張可能でなくてもよい。補助伸張可能区域Ａｘｆ及びＡｘｒの幅Ｗｓｆ及びＷｘｒは、取り付けゾーン３３及び３２の長さを測定することによって測定され得る。補助伸張可能区域Ａｘｆ及びＡｘｒの長さＬｘｆ及びＬｘｒは、脚部開口部２３の開始部と接続する横方向線から、各取り付けゾーン３３、３２の長手方向内側縁部まで測定されてもよい。例えば、補助伸張可能区域Ａｘｆの幅は、取り付けゾーン３３の横方向幅を測定することによって決定され得、長さは、取り付けゾーン３３の長手方向内側縁部と、脚部開口部２３の開始部と接続する横方向線との間の長手方向長さを測定することにより決定され得る。Ａｘｆ又はＡｘｒ内の、外側カバーにインサートを取り付けるためのいずれかの面積（例えば、Ａｘｆ又はＡｘｒ内の追加的な取り付けゾーン）は、測定される幅又は長さから適切に引かれ得る。前方補助伸張可能区域の面積は、後方補助伸張可能区域Ａｘｒの面積と異なる、より大きい、より小さい、又は等しいことがある。前方補助伸張可能区域Ａｘｆの長さ及び幅は、後方補助伸張可能区域Ａｘｒの長さ及び幅と異なる、同じ、より大きい、又はより小さい場合がある。一実施形態において、前方補助伸張可能区域Ａｘｆの長さは、補助伸張可能区域Ａｘｒの長さと異なるか、又は同じであり得、一方で各区域の幅は、同じであるか、又は異なっていてもよく、あるいはその逆である。他の補助伸張可能区域は、少なくとも一部、インサートの取り付けゾーンの構成によって、設けられてもよい。いくつかの実施形態において、複数の補助伸張可能区域は、前方腰部区域２７及び後方腰部区域２８それぞれに設けられてもよい。
【０２５４】
様々な実施形態において、図１６を再び参照し、寸法Ｌｘｆ及びＬｘｒは、約６０ｍｍ〜約９０ｍｍ、約７０ｍｍ、７０ｍｍ、又は約２０ｍｍ〜約１２０ｍｍ（特に、上記の範囲の０．５ごとの全ての値、及びその内部に、又はこれにより形成される全ての範囲）であり得る。寸法Ｗｘｆ及びＷｘｒは、約６０ｍｍ〜約９０ｍｍ、約７５ｍｍ、７５ｍｍ、又は約１０ｍｍ〜約１２０ｍｍ（特に、上記の範囲の０．５ごとの全ての値、及びその内部に、又はこれにより形成される全ての範囲）であり得る。面積Ａｘｆ及びＡｘｒは約４０ｃｍ２〜約６０２、約５２．５ｃｍ２、５２．５２、又は約５ｃｍ２〜約１４４ｃｍ２（特に、上記の範囲の０．５ｃｍ２ごとの全ての値、及びその内部に、又はこれにより形成される全ての範囲）であり得る。
【０２５５】
一実施形態において、前方腰部区域の幅（腰縁部において測定される）の、後方腰部区域の幅（腰縁部において測定される）は約１：１、約１：１．５、約１：２、約１：２．５、約１：３、約１：３．５、又は約１：４（特に、上記の範囲の全ての比率、及びその内部に、又はこれにより形成される全ての範囲）である。
【０２５６】
外側カバーの前方／後方腰部区域の伸張
８５ｍｍの伸張における外側カバー前方腰部区域伸張力は、以下に記載される外側カバー前方又は後方腰部区域伸張力に従って測定する際に、約１Ｎ〜約１０Ｎ、又は約１Ｎ〜約２Ｎ（特に、上記の範囲の０．１ごとの全ての値、及びその内部に、又はこれにより形成される全ての範囲）であり得る。８５ｍｍの伸張における外側カバー後方腰部区域は、前方腰部区域と同じであっても、前方腰部区域と異なっていてもよい。５５ｍｍの伸張における外側カバー前方腰部区域伸張力は、以下に記載される外側カバー前方又は後方腰部区域伸張力に従って測定する際に、約０．４Ｎ〜約５Ｎ、又は約０．５Ｎ〜約２Ｎ（特に、上記の範囲の０．１Ｎごとの全ての値、及びその内部に、又はこれにより形成される全ての範囲）であり得る。５５ｍｍの伸張における外側カバー後方腰部区域は、５５ｍｍの伸張における前方腰部区域と同じであっても、前方腰部区域と異なっていてもよい。
【０２５７】
１０Ｎにおける伸張
外側カバーの前方腰部区域又は後方腰部区域の、１０Ｎにおける伸張は、以下に記載される外側カバー前方又は後方腰部区域伸張力を使用して測定される。１０Ｎの力における伸張は、約１５０ｍｍ〜約３００ｍｍ、約１７５ｍｍ〜約２７５ｍｍ、約１８０ｍｍ〜約２５０ｍｍ（特に、上記の範囲の１．０ｍｍごとの全ての値、及びその内部に、又はこれにより形成される全ての範囲）であり得る。
【０２５８】
締結構成要素／受容締結構成要素の構成
図１７及び図１８は、締結耳部２９上に位置付けられた、締結構成要素３０及び受容締結構成要素３１の様々な代表的な構成を例示する。図１７を参照し、締結構成要素３０は、フックのストリップであってもよく、受容締結構成要素３１は、フックと係合するように構成されたループのストリップであってもよい。他の実施形態において、締結構成要素３０及び受容締結構成要素３１は、磁石、又は当業者に既知の、他の任意の好適な締結対であり得る。１つ以上の締結構成要素３０、及び１つ以上の受容締結構成要素３１が、各締結耳部２９に設けられてもよい。２つ以上の締結構成要素３０及び／又は２つ以上の締結構成要素３１を、１つ以上の耳部２９上に設けることにより、外側カバー２０の閉じた腰部周囲部が、特定の着用者に適合するように調節され得る。調節により、閉じた腰部周囲部において、例えば、最大５ｃｍ（２インチ）の変動が可能と成り得る。図１７に関連して記載される特徴とは別に、又はこれに加えて、長手方向の調節がまた達成されてもよい。図１８を参照し、締結構成要素３０は、スナップの雌型部分であってもよく、受容締結構成要素３１はスナップの雄型部分であってもよい。あるいは、締結構成要素３０及び受容締結構成要素は、磁石であってもよい。締結構成要素３０の１つ以上、及び受容締結構成要素３１の１つ以上が各耳部パネル２９上に設けられてもよい。図１８の締結構成要素３０及び受容締結構成要素３１は、特定の着用者に適切にフィットするように、外側カバー２０の長手方向の調節を可能にし得る。当業者は、他の長手方向及び横方向調節機構もまた、外側カバーに組み込まれ得ることを認識する。
【０２５９】
一実施形態において、本開示の外側カバーにおける閉じた腰部周囲部（腰縁部で測定される）の前方伸張可能区域面積及び後方伸張可能区域面積の合計伸張可能面積に対する比率が、約１：約１０〜約１：約５０であり得る。外側カバーにおける、閉じた腰部周囲部の締結ゾーンの長手方向長さ（腰縁部から脚部開口部の開始部まで測定される）に対する比率が、約１０：約１〜約２：約１であり得る。様々な実施形態において、外側カバーにおける、閉じた腰部周囲部の、締結ゾーンの横方向幅、又は締結ゾーン内の２つの締結要素の間の横方向距離は、約２０：約１〜約２：約１であり得る。外側カバーは、外側カバーの長手方向長さ（腰縁部から腰縁部まで長手方向軸を中心として測定される）の締結ゾーンの長手方向長さに対する比率は、約１０：約１〜約２：約１であり得る。外側カバーにおいて、外側カバーの長手方向長さの、最小の閉じた腰部周囲部と最大の閉じた腰部周囲部との差に対する比率は、約１０：約１〜約２：約１であり得る。上記の範囲の全ての比率が本明細書において特に指定されるが、簡潔さのために詳細に記載されない。
【０２６０】
本明細書に記載の特徴のいくつか又は全てを有する二部分からなる着用可能な吸収性物品は、従来の完全に再利用可能な布おむつ及び従来の完全に使い捨てのおむつの両方に優る利点を提供することができる。外側カバーを形成するために半耐久性の材料及びより耐久性のある材料を使用することに関する潜在性は、１回を超えて使用することができる、及び選択される材料によっては何度も使用及び洗濯することができる外側カバーを提供する。本明細書に記載の特徴のいくつか又は全てを有する外側カバーは、使い捨て外側カバー構造体の必要性を排除することができるので、典型的な使い捨ておむつと比べて、ユーザーが廃棄しなければならない汚れた廃棄物の量が低減される。更に、通常使い捨ておむつにかかる構造負荷のほとんどを支持する再利用可能な外側カバーの可能性が存在するので、使い捨ての吸収部分はより簡略化された設計を有して、使い捨ておむつと比べて製造費及び材料費を低減することができる。非従来型の再生可能な材料（例えば紙）の使い捨て可能な吸収性インサートを製造する可能性が提起される。同時に、本明細書に記載の特徴のいくつか又は全てを有する使い捨て吸収性インサート及び外側カバーは、多くの状況において、着用者の排出物による外側カバーの汚れのほとんど又は全てを防ぐか、少なくとも抑制し、取り扱い及び保管に付随する衛生及び臭気問題を軽減し、必要な洗濯頻度を低減し、かつ従来の布おむつに付随する洗濯資源、労力及び／又は出費の必要性を低減することができる。本明細書に記載の特徴のいくつか又は全てを有する使い捨て可能な吸収性インサートは、従来の布おむつと比べて、排出物をより良好に吸収し、かつ着用者の皮膚、並びに着用者の衣類及び環境から排出物をより良好に隔離することも可能である。
【０２６１】
外側カバーに耐久性のある材料を使用することで、使い捨ておむつと比べて改善された及び／又はより魅力的な快適性、フィット、デザイン、色、模様等を目的として材料の使用の選択肢を創出する際に、その他の付帯利益を提供することも可能である。本明細書に記載の特徴を有する外側カバーは、着用可能な吸収性物品をより魅力的に見せる及び／又はより衣類品、外着、又は下着のように見せるための多種多様な選択肢を提供する。上記の利点に加えて、非対称構造及び向きの印を有するインサートを使用することにより、前側と後側で異なる着用者の生体構造及び身体機能に合わせたインサートの設計、より良好な性能、並びに材料の設計、構成、及び使用の更なる節約が可能になるのと同時に、ユーザーが外側カバー内におけるインサートの正しい前後の向きを確実にすることができる。上記の説明からその他の利点が明らかである。
【０２６２】
試験方法
特に指定されない限り、試験はすべて２３度±２℃、及び５０±２％の相対湿度で行われる。試料はすべて、試験の前に少なくとも２時間その環境で平衡化される。
【０２６３】
縁部偏向力測定法
測定される力がセルの限度の１０％〜９０％以内であるロードセルを使用し、コンピュータインターフェース（好適な機器は、ＭＴＳ  Ｓｙｓｔｅｍｓ  Ｃｏｒｐ．，Ｅｄｅｎ  Ｐｒａｉｒｉｅ，ＭＮから入手可能なようなＴｅｓｔｗｏｒｋｓ  ４．０ソフトウェアを使用したＭＴＳ  ＱＴｅｓｔ／１Ｌである）により一定速度の引張り試験機で縁部偏向力を測定する。図１９ａを参照すると、可動（上方）空気ジョー１００１に２．５ｃｍ×２．５ｃｍ（１インチ×１インチ）のダイヤモンド面把持部１００２が装着されている。
【０２６４】
引張り試験機を圧縮試験用に構成する。０．０１Ｎの力が検出されるまでクロスヘッドが５．０ｍｍ／分の速度で下降するように引張り試験機をプログラミングする。時間及び伸張チャネルをゼロにして、取得レート１００Ｈｚでデータ収集を開始する。クロスヘッドを５０ｍｍ／分の速度で１０ｍｍ下降させ、続いてクロスヘッドを元のゲージ長に戻す。力対伸び曲線からピーク力（Ｎ）を記録するようにソフトウェアをプログラミングする。
【０２６５】
図１９ａ及び図１９ｂを参照すると、下部締付具１０００は、幅９０ｍｍ×奥行き４０ｍｍ×厚さ６ｍｍの基部１００５で構成される。基部１００５は、試験機の固定式マウントに連結するように適合された下側の取り付けシャフト１００６を有する好適な取り付け装置に固定される。下側の取り付けシャフト１００６は、図のようにねじ付きであり、ロッキングカラー１００７を有している。下側の取り付けシャフト１００６を試験機の固定式マウントに連結したら、ロッキングカラー１００７を固定式マウントに向けて回転させて基部１００５を試験機の固定式マウントに対して固定し、試験中それらの間に相互作用なく基部１００５は固定式マウントに対して静止した状態を維持する。Ｔｅｆｌｏｎなどの低摩擦性材料で作製された幅３０ｍｍ×奥行き３０ｍｍ×高さ３０ｍｍのＶ字型切欠のあるブロック１００３を基部１００５に載せる。別方向からの図１９Ｂを参照すると、ブロック１００３は、側面から中央まで「Ｖ字形」に、１０度の角度１００４で切り込みが入っている。基部１００５に載せたら、ブロックを前後に中心合わせして取り付けシャフト１００６の中心軸から３２．７ｍｍの距離１０１２だけオフセットさせ、「Ｖ字型」切欠の頂点によって画定される線が取り付けシャフト１００６の中心軸と交差すようにする。
【０２６６】
試験用に１０枚のインサートから１０個のサンプルを次のように入手する：インサートの前方又は後方部分のどちらを試験するかを決定し、それに従って１０個のサンプルの全てを当該部分から取り出す。外側／衣類に面する表面を上に向けてインサートを水平面に置く。
【０２６７】
（ａ）インサート端部のサンプル（全ての層及び構成要素を含む）
全ての層及びその構成要素を含むインサート端部の値を測定すると、以下のサンプルが得られる：図２０を参照して、端部の強化部分１００９の内側部分１０２２を視覚的に特定する（すなわち、端部支持強化材６０又は６２を有する部分）。インサートの特定の構成に起因して内側縁部１０２２を視覚的に識別するのが困難な場合は、インサートを対象末端部を有する区域に沿って長手方向に十分に平らにし（カフ弾性体によってもたらされるあらゆる収縮に逆らってインサートを延伸する）、一般に１０２０で示される位置で一方の手をインサートの末端部近くの上に置いてインサートを延伸された／平坦な位置に保持し、もう一方の手で外側外端１０２１を垂直に持ち上げて、内側縁部１０２２を識別してもよい。天然の「ヒンジ」位置が補強部分と隣接する補強されていない部分との間の接合点に存在するので、インサートは最初に内側縁部１０２２に沿って折れ曲がる傾向がある。補強部分１００９を縁部１０２２に沿ってインサートから切り離す。これで補強部分１００９が試験されるサンプルになる。（端部が、上記の方法によって明瞭に識別可能な強化部分を有さない場合、インサートを水平な表面に、着用者に面する表面を上にして配置する）参照のために図２Ｗを考察し、カフ５３のいずれかの縁部５８を形成する材料の長手方向に最も外側の範囲１０１から、３０ｍｍの間隔でインサートの内側を測定する。このような間隔で位置する、直線１０２３に沿って、かつインサート横方向軸と平行に、インサートの端部を切断する。切断された部分がサンプルとなる。）締結構成要素、把持構造など、いずれの構成要素も除去しない。外側縁部１０２１が、把持構造５９、６１などの、別個の機構によって切断された縁部から独自に容易に区別可能でない場合、後に特定するために外側端縁部１０２１をマーキングしてもよい。
【０２６８】
（ｂ）インサート端部強化材のサンプル（インサートから除去される）
追加された挿入端部支持補強材自体の値を測定する場合、前の項（ａ）によるインサート端部のサンプルを得る。いずれかの接着剤の粘着性を低減する必要性に応じて凍結スプレーを噴霧し、端部サンプルの他の全ての構成要素又は層を、端部支持強化材部分から、強化部分を損傷しないように注意しながら、静かに剥離する。
【０２６９】
方向及び位置配向に関して図１９Ａを参照すると、内側縁部１０２２を水平かつ上に向けて配向し、外側外端１０２１を下に向けて配向し、把持部１００２の底縁部と同一線上に合わせてサンプル１００９を把持部１００２の中に位置付ける。加えて、距離１０１０測定されるピーク縁部偏向力（ｙ）、又は縁部偏向力（ｙ）の値が決定されると共に設計され、距離１０１１が１０ｍｍであるようにして、把持部１００２のサンプル１００９を位置付ける。サンプル１００９が試験中に滑ったり回転したりしないようにしっかりと固定されるが、試験中に把持部においてサンプルの破断が生じるほどきつくなく把持部１００２を閉じる。
【０２７０】
ロードセル及びクロスヘッド位置をゼロに合わせる。引張り試験機のプログラムを開始し、データを記録する。ピーク力（縁部偏向力）（Ｎ）を±０．００１Ｎまで報告する。各サンプルに対し左右両側に試験を実施し（図７参照）、両側に関する縁部偏向力を記録する。１０個のサンプルを試験する。１０個のサンプルの両側の平均縁部偏向力を計算する。
【０２７１】
曲げ剛性測定法
ピーク屈曲力及び曲げ剛性は、１０Ｎのロードセルを装着した、コンピュータインターフェースを有する一定速度の拡張引張試験機（好適な機器は、ＭＴＳ  Ｓｙｓｔｅｍｓ  Ｃｏｒｐ．（Ｅｄｅｎ  Ｐｒａｉｒｉｅ，Ｍｉｎｎｅｓｏｔａ）から入手可能なＴｅｓｔＷｏｒｋｓ  ４ソフトウェアを使用したＭＴＳ  Ａｌｌｉａｎｃｅである）を使用して測定する。図２２（正面図）と図２３（側面図）に示されたプランジャブレード２１００は、上側可動試験治具に使用される。図２１に示された基礎支持プラットフォーム２２００は、下側固定試験治具として使用される。
【０２７２】
プランジャ２１００の構成要素は、アルミニウムなどの軽量材料から作製され、利用可能なロードセル容量を最大にする。シャフト２１０１は、引張り試験機に適合するよう機械で作られ、プランジャを安定させベース支持プラットフォーム２２０４と直交する位置合わせを維持するようロッキングカラー２１０２を有する。ブレード２１０３は、長さ２１０８が１１５ｍｍ、高さ２１０７が６５ｍｍ、幅２１０９が３．２５ｍｍであり、連続半径が１．６２５ｍｍの材料接触末端部を有する。ブラケット２１０４には、ブレードを水平にするために使用される止めねじ２１０５と、調節後それを所定の場所に堅固に保持するための主止めねじ２１０６が取り付けられる。
【０２７３】
下部締付具２２００が、シャフト２２０１とロッキングカラー２２０２とを有する引っ張り試験機に取り付けられる。２つの可動支持プラットフォーム２２０４が、レール２２０３に実装される。各試験表面２２０５は、幅２２０６が８５ｍｍ、長さ（図面の平面内）が１１５ｍｍであり、最小の摩擦係数を有するように研摩されたステンレス鋼から作製される。各プラットフォームは、個々のプラットフォーム位置を読み取るデジタル式の位置モニター２２０８及び調節後それらの位置をロックするための止めねじ２２０７を有する。２つのプラットフォーム２２０４は、間隙末端部で正方形であり、プレート末端部は、前側から後側まで平行としなければならない。２つのプラットフォームは、調節可能な間隙幅２２１０を有する間隙２２０９を形成する。
【０２７４】
支持プラットフォーム２２０４の上面と直交し、それらの間隙末端部に対してゆがみを示さないようにプランジャブレード２１０３を正確に（±０．０２ｍｍ）そろえる。位置モニター２２０８を使用し、プランジャブレード２１０３が間隙内に正確に（±０．０２ｍｍ）中心合わせされた状態で支持プラットフォーム２２０４の２つの間隙末端部の間の間隙２２１０を正確に２５．００±０．０２ｍｍに設定する。圧縮試験用の引張り試験機をプログラミングする。プランジャブレード２１０３下部から支持プラットフォーム２２０４上面までのゲージ長を１５ｍｍに設定する。
【０２７５】
２５ｍｍの距離にわたって５００ｍｍ／分で降下するようにクロスヘッドを設定する。データ取得レートを２００Ｈｚに設定する。
【０２７６】
上記の縁部偏向力測定法の説明において記載されるように、１０個の試験サンプル１００９を得る。（取り付けゾーン／締結構成要素、把持構造などのいずれの構成要素も除去しないが、ただし、いずれかの剥離紙がいずれかの接着剤締結構成要素状に存在する場合は剥離紙を除去する。）試料を試験前に２時間、約２３℃±２℃、約５０％±２％の相対湿度で予め調湿する。
【０２７７】
試験されるサンプル１００９を任意の露出した接着剤について調べ、必要に応じて接着剤にベビーパウダーを塗布することによって任意の露出した接着剤を非活性化する。サンプルを、着用者に面する表面が上に向いた状態で、間隙２２０９をまたいで支持プラットフォーム２２０４の表面上に平坦に置く。縁部１０２２を間隙に対して垂直にした状態で間隙を中心にサンプル１００９を中心合わせする。ロードセルをゼロにし、引張試験機とデータ収集を開始する。
【０２７８】
力（Ｎ）対伸び（ｍ）曲線から最大ピーク屈曲力（Ｎ）及び剛性（Ｎ／ｍ）を計算するようにソフトウェアをプログラミングする。剛性は、合計ピーク曲げ力（図２４参照）の少なくとも２５％を有する、最適ラインセグメントから計算される曲げ／伸張曲線の最大の傾きとして測定される。
【０２７９】
０．１Ｎの単位でピーク屈曲力を、０．１Ｎ／ｍの単位で曲げ剛性を報告し、結果を記録する。試験を繰り返し、１０個のサンプル全てに関する結果を記録する。平均ピーク屈曲力及び平均曲げ剛性を計算する。
【０２８０】
全体外側カバー腰部開口部周囲部伸張力試験
本方法は、パンツの再使用可能な外側カバーの連続的な腰部開口部周囲部の伸張性を測定するために使用される。パンツは、再使用可能な外側カバー、及び再使用可能な外側カバーに取り付け可能であり、かつ少なくとも一部がその内部に位置付けることができる使い捨て吸収性インサートから形成される。この方法を実行する前に、外側カバーのみを試験するように、外側カバーからインサートが取り外される。適用可能な場合、外側カバーの１つ以上の再締結可能な側部シーム（すなわち、締結ゾーン）は、この方法のために閉じた構成である（すなわち、外側カバーが、連続的な腰部開口部周囲部を有するように形成される）。再締結可能な側部シームを閉じるとき、締結具は、これらが側部シームの各側部において、同じ大きさ、形状、及び位置であるときに位置合わせされる。同じ大きさ及び形状ではないが、側部シームの各側部において同じ又は実質的に同じ位置を有する締結具に関し、これらの中点が位置合わせされるべきである。
【０２８１】
全体外側カバー腰部開口部周囲部伸張力は、測定した力がセルの限界の１０％〜９０％以内となるロードセルを使用して、コンピュータインターフェースを有する一定速度の引張試験機（好適な計器は、ミネソタ州Ｅｄｅｎ  Ｐｒａｉｒｉｅ所在のＭＴＳ  Ｓｙｓｔｅｍｓ  Ｃｏｒｐ．から入手可能な、Ｔｅｓｔｗｏｒｋｓ  ４．０  Ｓｏｆｔｗａｒｅを使用したＭＴＳ  Ａｌｌｉａｎｃｅである）で測定する。初期の弛緩した腰部開口部周囲部は、可撓性巻き尺を使用して測定される。可撓性巻き尺の正確性は、ＮＩＳＴ又は他の標準化機構により追跡可能であるか、又は追跡可能な定規により正確性を確認される。５つの実質的に同様な再使用可能な外側カバーが分析され、結果の平均が求められる。
【０２８２】
この試験に関し、図２５を参照し、カスタムフック付属品５１０が使用される。フック付属品５１０は、Ｊ字型のフック５１２の対を含み、それぞれ、テスターの静止基部及び上方の可動クロスヘッドに（ロードセルを介して）取り付けられるように設計された取付部材５１４を備える。各Ｊ字型フック５１２は、実質的に円形の断面形状を有し、１ｃｍの直径Ｄを備える。フック５１２は、取付部材５１４の長手方向軸と垂直に位置付けられる、２つの係合アーム５１６を形成する、平滑な湾曲を呈する。各取り付け部材は固定カラー５１３を装着され、これは、互いに平行であり、引張試験機の引っ張り軸と垂直なフック５１２の係合アーム５１６を固定する。係合アーム５１６は、図２５に示されるように、１３ｃｍの幅Ｗを有する。
【０２８３】
本明細書において使用するとき、１００％歪みとは、負荷なしで測定した際に、試料の周囲部がその元の長さの１００％伸長していることを意味する。例えば、元の長さ１００ｍｍの試料は、周囲部２００ｍｍまで伸長されたとき、１００％の歪みを有することになる。本明細書において使用するとき「伸張」とは、２つのフック５１２が引き離された距離を意味する。
【０２８４】
１００％歪みまでクロスヘッドを２５４ｍｍ／分の速度で上に移動させ、１００％歪みで３０秒保持し、その後クロスヘッドを初期位置まで２５４ｍｍ／分で戻すように引張試験機をプログラムする。データ取得レートを１００Ｈｚに設定する。
【０２８５】
クロスヘッドを手動で上に動かす。再使用可能な外側カバーが上部アームからのみ支持されるように、再使用可能な外側カバーを上部係合アーム５１６から吊り下げ、ロードセルをゼロに合わせる。図２６に例示されるように、再使用可能な外側カバー５１９が、係合アーム５１６上へと摺動できるように、上部係合アーム５１６を低くする。再使用可能な外側カバー５１９からいずれかの緩みを排除しつつ、ロードセルにより測定される力が５グラム以下であることを確実にするように、係合アーム５１６を調節する。クロスヘッドをゼロにする。図２６に例示されるように、ｍｍの目盛付けした可撓性巻き尺５１７（上記）を用い、このテープを再使用可能な外側カバーの腰部開口部付近の係合アーム５１６の周囲に巻きつけることによって、再使用可能な外側カバーの弛緩した腰部開口部周囲部を測定する。弛緩した腰部開口部周囲部を１ｍｍ単位で記録し、弛緩した腰部開口部周囲部を２で除したものをゲージ長としてソフトウェアに入力する。引張試験機のプログラムを始動し、力及び伸張データを記録する。形成した力（Ｎ）対伸張（ｍｍ）の曲線から以下のものを計算するようにソフトウェアをプログラムする。
ａ）２０Ｎにおける腰部開口部周囲部＝弛緩した腰部開口部周囲部＋（２×２０Ｎにおける伸張）１．０ｍｍ単位で記録する。
ｂ）１１０ｍｍ伸張における力０．１Ｎ単位で記録する。
ｃ）１７０ｍｍ伸張における力０．１Ｎ単位で記録する。
ｄ）戻りサイクルからの、１１０ｍｍ伸張における回復力０．１Ｎ単位で記録する。
ｅ）平均伸張率（（工程ｃの結果（Ｎ）−工程ｂの結果（Ｎ））／０．０６ｍ）Ｎ／ｍ。１Ｎ／ｍ単位で記録する。
ｆ）２０Ｎの力における伸張１ｍｍ単位で記録する。
【０２８６】
残りのサンプルについても同じ試験を行う。上記の記録（reportables）の平均を計算し、記録する。
【０２８７】
外側カバー前方又は後方腰部区域伸張力試験
試験されるパンツは、再使用可能な外側カバー、及び使い捨て吸収性インサートを含む。試験に先立ち、外側カバーが試験されるように、使い捨て吸収性インサートが再使用可能な外側カバーから取り外される。外側カバーは、連続的な腰部開口部周囲部を備えるパンツの一部を形成するように、恒久的な側部シーム、又は再締結可能な側部シーム（例えば、締結ゾーン）を有し得る。外側カバーがいずれかの再締結可能な側部シームを有する場合、これらの再締結可能な側部シームは、試験前に分離されるべきである。外側カバーが１つ又は２つの恒久的な側部シームを有する場合、これらの恒久的な側部シームは、試験前にシームの中央軸に沿って長手方向に切断されるべきである。
【０２８８】
外側カバー腰部区域伸張力は、測定した力がセルの限界の１０％〜９０％以内となるロードセルを使用して、コンピュータインターフェースを有する一定速度の引張試験機（好適な計器は、ミネソタ州Ｅｄｅｎ  Ｐｒａｉｒｉｅ所在のＭＴＳ  Ｓｙｓｔｅｍｓ  Ｃｏｒｐ．から入手可能な、Ｔｅｓｔｗｏｒｋｓ  ４．０  Ｓｏｆｔｗａｒｅを使用したＭＴＳ  Ａｌｌｉａｎｃｅである）で測定する。試験機は、上方可動空気式ジョー、及び下方静止空気式ジョーを有するべきである。可動（上方）及び静止（下方）空気式ジョーに、２．５４ｃｍ×２．５４ｃｍ（１インチ×１インチ）菱形面把持部を装着する。ジョーに供給される空気圧は、試料が滑るのを防ぐのに十分でなければならない。線形測定は、ＮＩＳＴ又は他の標準化機構に従う、ｍｍ単位で目盛付けした校正した定規により行われる。５つの実質的に同様な再使用可能な外側カバーが分析され、結果の平均が求められる。
【０２８９】
本明細書で使用する場合、１００％歪みは、試料が、無負荷下で測定された元の長さが１００％伸長したことを意味する。例えば、元の長さ１００ｍｍの試料は、２００ｍｍの長さまで伸張されたとき、１００％の歪みを有することになる。
【０２９０】
１００％歪みまでクロスヘッドを２５４ｍｍ／分の速度で上に移動させ、１００％歪みで３０秒保持し、その後クロスヘッドを初期位置まで２５４ｍｍ／分で戻すように引張試験機をプログラムする。データ取得レートを１００Ｈｚに設定する。
【０２９１】
開いた再使用可能な外側カバーを、平坦な実験台上に平坦に配置する。校正した定規により、再使用可能な外側カバーの後方腰部区域に沿って、分離されたサイドパネルの遠位縁部から、反対側の分離されたサイドパネルの遠位縁部まで長さを測定し、１ｍｍ単位で長さを記録する。引張試験機のゲージ長（上方把持面の下縁部から、下方把持面の上縁部まで）を、測定される後方腰部区域長さ±５ｃｍ（２インチ）に設定する。クロスヘッド位置をゼロに合わせ、ゲージ長をソフトウェアに入力する。再使用可能な外側カバーの内部が操作者の方を向き、後方右サイドパネルが上方を向き、後方左サイドパネルが下方を向くようにして、再使用可能な外側カバーを把持する。上方把持面の間に、右サイドパネルの後方腰部区域（製品の長手方向中心線の遠位）を挿入し、再使用可能な外側カバーのシーム縁部を把持面の上方縁部に、再使用可能な外側カバーの腰縁部を把持面の左縁部に位置合わせする。上方ジョーを閉じる。再使用可能な外側カバーが、完全に試験機の上方把持部から吊るされるように、引張試験機のクロスヘッドを手動で持ち上げる。ロードセルをゼロにする。クロスヘッドを元のゲージ長を低くする。上方把持面の間に、左サイドパネルの後方腰部区域（製品の長手方向中心線の遠位）を挿入し、シーム縁部を把持面の下縁部に、腰縁部を把持面の左縁部に位置合わせする。下方ジョーを閉じる。外側カバーの前方腰部区域及び股部区域を下方に吊るす。
【０２９２】
引張試験機のプログラムを始動し、試験の力及び伸張データを記録する。形成した力（Ｎ）対伸張（ｍｍ）の曲線から以下のものを計算するようにソフトウェアをプログラムする。
ａ）５５ｍｍ伸張における力０．１Ｎ単位で記録する。
ｂ）８５伸張における力０．１Ｎ単位で記録する。
ｃ）１０Ｎの力における伸張１ｍｍ単位で記録する。
ｄ）戻りサイクルでの、５５ｍｍ伸張における力０．１Ｎ単位で記録する。
ｅ）平均伸張率（（工程ｂの結果（Ｎ）−工程ａの結果（Ｎ））／０．０３ｍ）Ｎ／ｍ。１Ｎ／ｍ単位で記録する。
【０２９３】
残りのサンプルについても同じ試験を行う。上記の後方腰部区域記録の平均値を形成及び報告する。
【０２９４】
同様の試験がまた、再使用可能な外側カバーの前方腰部区域で行われる。
【０２９５】
開いた再使用可能な外側カバーを、平坦な実験台上に平坦に配置する。校正した定規により、再使用可能な外側カバーの前方腰部区域に沿って、分離されたサイドパネルの遠位縁部から、反対側の分離されたサイドパネルの遠位縁部まで長さを測定し、１ｍｍ単位で記録する。引張試験機のゲージ長（上方把持面の下縁部から、下方把持面の上縁部まで）を、測定される前方腰部区域長さ±５ｃｍ（２インチ）に設定する。クロスヘッド位置をゼロに合わせ、ゲージ長をソフトウェアに入力する。再使用可能な外側カバーの内部が操作者の方を向き、前方右サイドパネルが上方を向き、前方左サイドパネルが下方を向くようにして、再使用可能な外側カバーを把持する。上方把持面の間に、右サイドパネルの前方腰部区域（製品の長手方向中心線の遠位）を挿入し、再使用可能な外側カバーのシーム縁部を把持面の上方縁部に、再使用可能な外側カバーの腰縁部を把持面の左縁部に位置合わせする。上方ジョーを閉じる。再使用可能な外側カバーが、完全に試験機の上方把持部から吊るされるように、引張試験機のクロスヘッドを手動で持ち上げる。ロードセルをゼロにする。クロスヘッドを元のゲージ長を低くする。上方把持面の間に、左サイドパネルの前方腰部区域（製品の長手方向中心線の遠位）を挿入し、シーム縁部を把持面の下縁部に、腰縁部を把持面の左縁部に位置合わせする。下方ジョーを閉じる。外側カバーの後方腰部区域及び股部区域を下方に吊るす。
【０２９６】
引張試験機のプログラムを始動し、試験の力及び伸張データを記録する。形成した力（Ｎ）対伸張（ｍｍ）の曲線から以下のものを計算するようにソフトウェアをプログラムする。
ａ）５５ｍｍ伸張における力０．１Ｎ単位で記録する。
ｂ）８５伸張における力０．１Ｎ単位で記録する。
ｃ）１０Ｎの力における伸張１ｍｍ単位で記録する。
ｄ）戻りサイクルでの、５５ｍｍ伸張における力０．１Ｎ単位で記録する。
ｅ）平均伸張率（（工程ｂの結果（Ｎ）−工程ａの結果（Ｎ））／０．０３ｍ）Ｎ／ｍ。１Ｎ／ｍ単位で記録する。
【０２９７】
残りのサンプルについても同じ試験を行う。上記の前方腰部区域記録の平均値を計算及び報告する。
【０２９８】
前方及び後方伸張可能区域の横方向長さ
取り付けられている場合、インサートを、パンツの外側カバーから取り除く。
【０２９９】
外側カバーは、連続的な腰部開口部周囲部を備えるパンツの一部を形成するように、恒久的な側部シーム、又は再締結可能な側部シーム（例えば、締結ゾーン）を有し得る。外側カバーがいずれかの再締結可能な側部シームを有する場合、再締結可能な側部シームは、測定前に分離されるべきである。外側カバーが、いずれかの恒久的なサイドシームを有する場合、恒久的なサイドシームは、試験前にこれらの中心軸付近で長手方向に切断されるべきである。外側カバーはその後、測定のために平坦な表面上に配置されて、平坦化されるべきである。
【０３００】
前方伸張可能区域の横方向長さ：前方伸張可能区域の横方向長さを決定するため、以下の工程に従う：
前方腰部区域に存在する取り付けゾーンが１つのみである場合：
ａ）外側カバーを平坦に配置した状態で（すなわち、弾性による収縮を排除する）、平坦な表面上に、着用者に面する表面２５が平坦な表面の反対側を向くようにして、位置付ける；
ｂ）前方腰縁部と後方腰縁部の横方向中点を決定して、これらを接続する線を引き、外側カバーの長手方向軸を示す；
ｃ）長手方向軸の中点（例えば、長手方向軸／２の長さ）を決定し、長手方向軸と垂直であり、中点において長手方向軸と交差する線を引いて横方向軸を示す；
ｄ）前方腰部区域内の第１締結ゾーンの横方向内側縁部の最も横方向内側部分を見つけ、横方向軸へと延びる長手方向軸と平行な線を引く；
ｅ）横方向外側縁部の最も横方向外側の部分を見つけ（インサート取り付けゾーンにおける、工程ｄで引いた線に最も近い縁部）、横方向軸へと延びる長手方向軸と平行な線を引く；
ｆ）工程ｄ及びｅにおける、２つの長手方向に向けられた線の間の横方向距離を測定し、前方伸張可能区域の一部の横方向長さを決定する；
ｇ）前方腰部区域内の第２締結ゾーンの横方向内側縁部の最も横方向内側部分を見つけ、横方向軸へと延びる長手方向軸と平行な線を引く；
ｈ）横方向外側縁部の最も横方向外側の部分を見つけ（インサート取り付けゾーンにおける、工程ｇで引いた線に最も近い縁部）、横方向軸へと延びる長手方向軸と平行な線を引く；
ｉ）工程ｇ及びｈにおける、２つの長手方向に向けられた線の間の横方向距離を測定し、前方伸張可能区域の別の部分の横方向長さを決定する；
ｊ）前方伸張可能区域の合計横方向長さを決定するために、工程ｆ及びｉからの測定値を加える；
前方腰部区域に存在する取り付けゾーンが２つ以上である場合：
ａ）上記の工程ａ〜ｃに従う；
ｂ）前方腰部区域内の第１締結ゾーンの横方向内側縁部の最も横方向内側部分を見つけ、横方向軸へと延びる長手方向軸と平行な線を引く；
ｃ）工程ｂで引いた線と最も近い、取り付けゾーンの横方向外側縁部の最も横方向外側部分（工程ｂで引いた線に最も近い縁部）を見つけ、横方向軸へと延びる、長手方向軸と平行な線を引く；
ｄ）工程ｂ及び工程ｃにおける、２つの長手方向に向けた線の間の、横方向距離を測定し、前方伸張可能区域の一部分の横方向長さを決定し、この長さを±１ｍｍ内で記録する；
ｅ）工程ｃで説明した取り付けゾーンの他方の端部を見つけ、横方向軸へと延びる、長手方向軸と平行な線を引く；
ｆ）工程ｅで説明した取り付けゾーンと最も近い、取り付けゾーンの端部を見つけ、横方向軸へと延びる、長手方向軸と平行な線を引く；
ｇ）工程ｅ及びｆにおいて、２つの長手方向に向けた線の間の横方向距離を測定し、長さを±１ｍｍ内で記録する。
ｈ）追加的な取り付けゾーンの間の横方向距離を測定するために工程ｅ〜ｇを行う；
ｉ）前方腰部区域内の第２締結ゾーンの横方向内側縁部の最も横方向内側部分を見つけ、横方向軸へと延びる長手方向軸と平行な線を引く；
ｊ）最も近位のインサート取り付けゾーンの横方向外側縁部の最も横方向外側部分（工程ｉで引いた線に最も近い縁部）を見つけ、横方向軸へと延びる長手方向軸と平行な線を引く；
ｋ）工程ｉ及びｊにおける、２つの長手方向に向けられた線の間の横方向距離を測定し、前方伸張可能区域の別の部分の横方向長さを決定する；
ｌ）工程ｄ、ｇ、ｈ、及びｋでの測定値を全て一緒に加え、前方伸張可能区域の合計横方向長さを決定する。
【０３０１】
後方伸張可能区域の横方向長さ：後方伸張可能区域の横方向長さを決定するために以下の工程に従う：
後方腰部区域に存在する取り付けゾーンが１つのみである場合：
ａ）外側カバーを平坦に配置した状態で（すなわち、弾性による収縮を排除する）、平坦な表面上に、着用者に面する表面２５が平坦な表面の反対側を向くようにして、位置付ける；
ｂ）前方腰縁部と後方腰縁部の横方向中点を決定して、これらを接続する線を引き、外側カバーの長手方向軸を示す；
ｃ）長手方向軸の中点（例えば、長手方向軸／２の長さ）を決定し、長手方向軸と垂直であり、中点において長手方向軸と交差する線を引いて横方向軸を示す；
ｄ）後方腰部区域内の第１締結ゾーンの横方向内側縁部の最も横方向内側部分を見つけ、横方向軸へと延びる長手方向軸と平行な線を引く；
ｅ）横方向外側縁部の最も横方向外側の部分を見つけ（インサート取り付けゾーンにおける、工程ｄで引いた線に最も近い縁部）、横方向軸へと延びる長手方向軸と平行な線を引く；
ｆ）工程ｄ及びｅにおける、２つの長手方向に向けられた線の間の横方向距離を測定し、後方伸張可能区域の一部の横方向長さを決定する；
ｇ）後方腰部区域内の第２締結ゾーンの横方向内側縁部の最も横方向内側部分を見つけ、横方向軸へと延びる長手方向軸と平行な線を引く；
ｈ）横方向外側縁部の最も横方向外側の部分を見つけ（インサート取り付けゾーンにおける、工程ｇで引いた線に最も近い縁部）、横方向軸へと延びる長手方向軸と平行な線を引く；
ｉ）工程ｇ及びｈにおける、２つの長手方向に向けられた線の間の横方向距離を測定し、後方伸張可能区域の別の部分の横方向長さを決定する；
ｊ）後方伸張可能区域の合計横方向長さを決定するために、工程ｆ及びｉからの測定値を加える；
後方腰部区域に存在する取り付けゾーンが２つ以上である場合：
ａ）上記の「後方腰部区域に存在する取り付けゾーンが１つのみである場合」の工程ａ〜ｃに従う；
ｂ）後方腰部区域内の第１締結ゾーンの横方向内側縁部の最も横方向内側部分を見つけ、横方向軸へと延びる長手方向軸と平行な線を引く；
ｃ）工程ｂで引いた線と最も近い、取り付けゾーンの横方向外側縁部の最も横方向外側部分（工程ｂで引いた線に最も近い縁部）を見つけ、横方向軸へと延びる、長手方向軸と平行な線を引く；
ｄ）工程ｂ及び工程ｃにおける、２つの長手方向に向けた線の間の、横方向距離を測定し、後方伸張可能区域の一部分の横方向長さを決定し、この長さを±１ｍｍ内で記録する；
ｅ）工程ｃで説明した取り付けゾーンの他方の端部を見つけ、横方向軸へと延びる、長手方向軸と平行な線を引く；
ｆ）工程ｅで説明した取り付けゾーンと最も近い、取り付けゾーンの端部を見つけ、横方向軸へと延びる、長手方向軸と平行な線を引く；
ｇ）工程ｅ及びｆにおいて、２つの長手方向に向けた線の間の横方向距離を測定し、長さを±１ｍｍ内で記録する。
ｈ）追加的な取り付けゾーンの間の横方向距離を測定するために工程ｅ〜ｇを行う；
ｉ）後方腰部区域内の第２締結ゾーンの横方向内側縁部の最も横方向内側部分を見つけ、横方向軸へと延びる長手方向軸と平行な線を引く；
ｊ）最も近位のインサート取り付けゾーンの横方向外側縁部の最も横方向外側部分（工程ｉで引いた線に最も近い縁部）を見つけ、横方向軸へと延びる長手方向軸と平行な線を引く；
ｋ）工程ｉ及びｊにおける、２つの長手方向に向けられた線の間の横方向距離を測定し、後方伸張可能区域の別の部分の横方向長さを決定する；
ｌ）工程ｄ、ｇ、ｈ、及びｋでの測定値を全て一緒に加え、後方伸張可能区域の合計横方向長さを決定する。
【０３０２】
本質的に、前方伸張可能区域の横方向長さは
第１締結ゾーンの最も横方向内側の縁部から第２締結ゾーンの最も横方向内側の縁部への距離から、前方伸張可能区域の取り付けゾーンの合計横方向長さを引いたものである。同じ論理が後方伸張可能区域の横方向長さに適用される。
【０３０３】
伸張可能区域の面積
前方及び後方伸張可能区域の面積を求めるために、
最初に、上記の前方及び後方伸張可能区域の各部分の長さを測定するべきである。前方腰部区域において、各脚部開口部２３の２つの最も長手方向外側の範囲を特定し、これらの２つの点の間に、横方向軸と平行な線を引く。後方腰部区域において同じ工程を行う。前方伸張可能区域の各部分で、前方腰部区域内で横方向軸と平行に引いた線と、前方腰縁部との間の長手方向長さを測定し、この長さを±１ｍｍ内で記録する。後方伸張可能区域の各部分で、後方腰部区域内で横方向軸と平行に引いた線と、後方腰縁部との間の長手方向長さを測定し、この長さを±１ｍｍ内で記録する。前方伸張可能区域の各部分において、測定された長手方向長さに、同じ部分の測定される横方向長さをかけて、各部分の面積を判定する。前方伸張可能区域の部分の面積が全て判定されると、これらの面積の合計を出し、前方伸張可能区域の合計面積を判定する。後方伸張可能区域の各部分において、測定される長手方向長さに、同じ部分の測定される横方向長さをかけて、各部分の面積を判定する。後方伸張可能区域の部分の面積を全て判定したら、これらの面積の合計を出して後方伸張可能区域の合計面積を判定する。面積は±０．５ｃｍ２まで判定するべきである。
【０３０４】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示される寸法は、「約４０ｍｍ」を意味することを意図する。
【０３０５】
相互参照されるか又は関連するすべての特許又は特許出願を含む、本願に引用されるすべての文書を、特に除外すること又は限定することを明言しないかぎりにおいて、その全容にわたって本願に援用するものである。いずれの文献の引用も、こうした文献が本明細書で開示又は特許請求されるすべての発明に対する先行技術であることを容認するものではなく、あるいは、こうした文献が、単独で、又は他のすべての参照文献との任意の組み合わせにおいて、こうした発明のいずれかを教示、示唆又は開示していることを容認するものでもない。更に、本文書内の用語のいずれかの意味又は定義が、参照によって援用される文書内の同じ用語のいずれかの意味又は定義と矛盾する場合、本文書においてその用語に付与される意味又は定義が優先するものとする。
【０３０６】
本発明の特定の実施形態が例示され記載されてきたが、本発明の趣旨及び範囲から逸脱することなく他の様々な変更及び修正を実施できることが、当業者には自明であろう。したがって、添付した特許請求の範囲はそのような変更及び修正の全てを含み、上記のいかなる説明又は図面も本明細書の範囲を制限せず、添付の特許請求の範囲だけがこれらを制限するものとする。
【図１Ａ】
2016513994.tif 000003
【図１Ｂ】
2016513994.tif 000004
【図１Ｃ】
2016513994.tif 000005
【図１Ｄ】
2016513994.tif 000006
【図１Ｅ】
2016513994.tif 000007
【図１Ｆ】
2016513994.tif 000008
【図１Ｇ】
2016513994.tif 000009
【図１Ｈ】
2016513994.tif 000010
【図１Ｉ】
2016513994.tif 000011
【図１Ｊ】
2016513994.tif 000012
【図１Ｋ】
2016513994.tif 000013
【図１Ｌ】
2016513994.tif 000014
【図１Ｍ】
2016513994.tif 000015
【図１Ｎ】
2016513994.tif 000016
【図１Ｏ】
2016513994.tif 000017
【図２Ａ】
2016513994.tif 000018
【図２Ｂ】
2016513994.tif 000019
【図２Ｃ】
2016513994.tif 000020
【図２Ｄ】
2016513994.tif 000021
【図２Ｅ】
2016513994.tif 000022
【図２Ｆ】
2016513994.tif 000023
【図２Ｇ】
2016513994.tif 000024
【図２Ｈ】
2016513994.tif 000025
【図２Ｉ】
2016513994.tif 000026
【図２Ｊ】
2016513994.tif 000027
【図２Ｋ】
2016513994.tif 000028
【図２Ｌ】
2016513994.tif 000029
【図２Ｍ】
2016513994.tif 000030
【図２Ｎ】
2016513994.tif 000031
【図２Ｏ】
2016513994.tif 000032
【図２Ｐ】
2016513994.tif 000033
【図２Ｑ】
2016513994.tif 000034
【図２Ｒ】
2016513994.tif 000035
【図２Ｓ】
2016513994.tif 000036
【図２Ｔ】
2016513994.tif 000037
【図２Ｕ】
2016513994.tif 000038
【図２Ｖ】
2016513994.tif 000039
【図２Ｖ１】
2016513994.tif 000040
【図２Ｖ２】
2016513994.tif 000041
【図２Ｗ】
2016513994.tif 000042
【図２Ｘ】
2016513994.tif 000043
【図２Ｙ】
2016513994.tif 000044
【図２Ｚ】
2016513994.tif 000045
【図３】
2016513994.tif 000046
【図４】
2016513994.tif 000047
【図５Ａ】
2016513994.tif 000048
【図５Ｂ】
2016513994.tif 000049
【図５Ｃ】
2016513994.tif 000050
【図５Ｄ】
2016513994.tif 000051
【図５Ｅ】
2016513994.tif 000052
【図５Ｆ】
2016513994.tif 000053
【図６Ａ】
2016513994.tif 000054
【図６Ｂ】
2016513994.tif 000055
【図６Ｃ】
2016513994.tif 000056
【図６Ｄ】
2016513994.tif 000057
【図６Ｅ】
2016513994.tif 000058
【図６Ｆ】
2016513994.tif 000059
【図６Ｇ】
2016513994.tif 000060
【図６Ｈ】
2016513994.tif 000061
【図６Ｉ】
2016513994.tif 000062
【図７Ａ】
2016513994.tif 000063
【図７Ｂ】
2016513994.tif 000064
【図７Ｃ】
2016513994.tif 000065
【図７Ｄ】
2016513994.tif 000066
【図８Ａ】
2016513994.tif 000067
【図８Ｂ】
2016513994.tif 000068
【図８Ｃ】
2016513994.tif 000069
【図８Ｄ】
2016513994.tif 000070
【図８Ｅ】
2016513994.tif 000071
【図８Ｆ】
2016513994.tif 000072
【図８Ｇ】
2016513994.tif 000073
【図８Ｈ】
2016513994.tif 000074
【図８Ｉ】
2016513994.tif 000075
【図８Ｊ】
2016513994.tif 000076
【図８Ｋ】
2016513994.tif 000077
【図８Ｌ】
2016513994.tif 000078
【図８Ｍ】
2016513994.tif 000079
【図８Ｎ】
2016513994.tif 000080
【図８Ｏ】
2016513994.tif 000081
【図８Ｐ】
2016513994.tif 000082
【図９】
2016513994.tif 000083
【図１０】
2016513994.tif 000084
【図１１】
2016513994.tif 000085
【図１２】
2016513994.tif 000086
【図１３】
2016513994.tif 000087
【図１４Ａ】
2016513994.tif 000088
【図１４Ｂ】
2016513994.tif 000089
【図１５】
2016513994.tif 000090
【図１６】
2016513994.tif 000091
【図１７】
2016513994.tif 000092
【図１８】
2016513994.tif 000093
【図１９Ａ】
2016513994.tif 000094
【図１９Ｂ】
2016513994.tif 000095
【図２０】
2016513994.tif 000096
【図２１】
2016513994.tif 000097
【図２２】
2016513994.tif 000098
【図２３】
2016513994.tif 000099
【図２４】
2016513994.tif 000100
【図２５】
2016513994.tif 000101
【図２６】
2016513994.tif 000102
【国際調査報告】
2016513994.tif 000103
2016513994.tif 000104
2016513994.tif 000105